(57)【要約】  本発明は、チャネル状態情報（ＣＳＩ）のフィードバック方法、プリコーディング方法及び装置を開示する。本発明において、端末は、ダウンリンク伝送レイヤの数に基づき、ダウンリンク伝送レイヤの数に対応する第１サブバンド上の第１プリコーディングマトリックス集合を取得し、前記第１プリコーディングマトリックス集合には、１つ以上のプリコーディングマトリックスが含まれ、第１サブバンド内の１個の物理リソースは、第１プリコーディングマトリックス集合内の各々プリコーディングマトリックスに対応し、端末は、ダウンリンクチャネル情報及び第１サブバンド上の第１プリコーディングマトリックス集合に基づき、第２サブバンド上のチャネル・クオリティ指示子（ＣＱＩ）を確定し、端末は、ＣＳＩをフィードバックし、前記ＣＳＩには、前記ダウンリンク伝送レイヤの数を示すＲＩと、第１サブバンド上の第１プリコーディングマトリックス集合を示すＰＭＩと、第２サブバンド上のＣＱＩとのうちの１つまたは複数が含まれる。本発明に係る技術案によれば、ＣＳＩのフィードバックを提供する端末のシグナリングオーバーヘッドを低減することができる。
2019512948.tif 000002
【特許請求の範囲】
【請求項１】
端末は、ダウンリンク伝送レイヤの数に基づき、前記ダウンリンク伝送レイヤの数に対応する第１サブバンド上の第１プリコーディングマトリックス集合を取得するステップであって、前記第１プリコーディングマトリックス集合には、１つ以上のプリコーディングマトリックスが含まれ、第１サブバンド内の１個の物理リソースは、第１プリコーディングマトリックス集合内の各々プリコーディングマトリックスに対応する前記取得するステップと、
前記端末は、ダウンリンクチャネル情報及び第１サブバンド上の第１プリコーディングマトリックス集合に基づき、第２サブバンド上のチャネル・クオリティ指示子（ＣＱＩ）を確定するステップと、
前記端末は、ＣＳＩをフィードバックするステップであって、前記ＣＳＩには、前記ダウンリンク伝送レイヤの数を示すＲＩと、第１サブバンド上の第１プリコーディングマトリックス集合を示すＰＭＩと、第２サブバンド上のＣＱＩとのうちの１つまたは複数が含まれる前記フィードバックするステップとを備えることを特徴とするチャネル状態情報（ＣＳＩ）のフィードバック方法。
【請求項２】
前記第１プリコーディングマトリックス集合は、約定したベクターグループ集合内のベクターグループ及び位相集合内の位相係数にもとづいて得られたものであることを特徴とする請求項１に記載のチャネル状態情報（ＣＳＩ）のフィードバック方法。
【請求項３】
前記ベクターグループ集合には、１つ以上のベクターグループが含まれ、１ベクターグループに基づき１つの第１プリコーディングマトリックス集合が得られ、及び/または、
前記位相集合には１つ以上の位相係数が含まれ、１つの位相係数に基づいて１つの第１プリコーディングマトリックス集合内の１つのプリコーディングマトリックスが得られることを特徴とする請求項２に記載のチャネル状態情報（ＣＳＩ）のフィードバック方法。
【請求項４】
約定したベクターグループ集合内のベクターグループ及び位相集合内の位相係数に基づき、前記第１プリコーディングマトリックス集合を得る場合、
１つの位相係数に基づき得られた位相マトリックスと、前記ベクターグループ集合内の１ベクターグループ内のベクターを、クロネッカー積算し、積載し得られたマトリックス内の列ベクターを用いて第１プリコーディングマトリックス集合内の１つのプリコーディングマトリックスを構成することを特徴とする請求項２に記載のチャネル状態情報（ＣＳＩ）のフィードバック方法。
【請求項５】
前記位相マトリックスは、
【数１】
2019512948.tif 000088
であることを特徴とする請求項４に記載のチャネル状態情報（ＣＳＩ）のフィードバック方法。
【請求項６】
前記位相集合は、
【数２】
2019512948.tif 000089
であり、前記nは整数であり、０<=n<Ｎ、前記Ｎは位相集合内の位相係数の数であることを特徴とする請求項２ないし請求項５のいずれか１項に記載のチャネル状態情報（ＣＳＩ）のフィードバック方法。
【請求項７】
前記第１サブバンド上の第１プリコーディングマトリックス集合の表示情報は、
第１ＰＭＩを含み、前記第１ＰＭＩは、約定したベクターグループ集合内の第１ベクターグループのインデックスであり、前記第１プリコーディングマトリックス集合は、前記第１ベクターグループに基づき得られたものであり、または、
第１ＰＭＩ及び第２ＰＭＩを含み、前記第１ＰＭＩは前記ベクターグループ集合内の１ベクターグループの部分集合のインデックスであり、前記第２ＰＭＩは、前記第１ＰＭＩにより示されるベクターグループの部分集合内の第１ベクターグループのインデックスであり、前記第１プリコーディングマトリックス集合は、前記第１ベクターグループに基づき得られたものであることを特徴とする請求項２ないし請求項５のいずれか１項に記載のチャネル状態情報（ＣＳＩ）のフィードバック方法。
【請求項８】
前記第１サブバンド上の第１プリコーディングマトリックス集合の表示情報は、
第１ＰＭＩを含む、前記第１ＰＭＩは第１コードブック内の前記第１プリコーディングマトリックス集合のインデックスであり、前記第１コードブックは、前記ベクターグループ集合及び位相集合に基づき得られた複数の第１プリコーディングマトリックス集合を含むか、または、
第１ＰＭＩ及び第２ＰＭＩを含み、前記第１ＰＭＩは、第１コードブック内の第４プリコーディングマトリックス集合のインデックスであり、第２ＰＭＩは、前記第４プリコーディングマトリックス集合内の前記第１プリコーディングマトリックス集合のインデックスであり、前記第１コードブックは、前記ベクターグループ集合及び位相集合に基づき得られた複数の第１プリコーディングマトリックス集合を含み、前記第４プリコーディングマトリックス集合は、１つ以上の第１プリコーディングマトリックス集合を含み、かつ前記第１コードブックの部分集合であることを特徴とする請求項２ないし請求項５のいずれか１項に記載のチャネル状態情報（ＣＳＩ）のフィードバック方法。
【請求項９】
前記第１プリコーディングマトリックス集合は、第２プリコーディングマトリックス及び約定した第３プリコーディングマトリックス集合に基づいて得られたものであり、前記第１プリコーディングマトリックス集合内の各々プリコーディングマトリックスは、第２プリコーディングマトリックス及び第３プリコーディングマトリックス集合内の１つのプリコーディングマトリックスを計算して得られたものであることを特徴とする請求項１に記載のチャネル状態情報（ＣＳＩ）のフィードバック方法。
【請求項１０】
前記第２プリコーディングマトリックスは、約定したベクターグループ集合内の１ベクターグループ内の１ベクターより構成され、または、
前記第２プリコーディングマトリックスは、約定したベクターグループ集合内の１ベクターグループ内の複数のベクターより構成され、または、
前記第２プリコーディングマトリックスは、約定したベクターグループ集合内の１ベクターグループ内の１つ以上のベクター及び０ベクターより構成され、前記０ベクターは、すべての要素が０であるベクターであることを特徴とする請求項９に記載のチャネル状態情報（ＣＳＩ）のフィードバック方法。
【請求項１１】
前記演算は、マトリックス積算、または、マトリックス・クロネッカー積算であることを特徴とする請求項９に記載のチャネル状態情報（ＣＳＩ）のフィードバック方法。
【請求項１２】
前記第１サブバンド上の第１プリコーディングマトリックス集合の表示情報は、
第１ＰＭＩを含み、前記第１ＰＭＩは、１つの第２プリコーディングマトリックスの第２プリコーディングマトリックス集合内のインデックスであり、前記第１プリコーディングマトリックス集合は前記第２プリコーディングマトリックスに基づいて得られたものであり、
または、第１ＰＭＩ及び第２ＰＭＩを含み、前記第１ＰＭＩは、第２プリコーディングマトリックス集合内の１つの第２プリコーディングマトリックス部分集合のインデックスであり、前記第２ＰＭＩは、前記第１ＰＭＩにより示された第２プリコーディングマトリックス部分集合内の前記第２プリコーディングマトリックスのインデックスであり、前記第１プリコーディングマトリックス集合は前記第２プリコーディングマトリックスに基づいて得られたものであることを特徴とする請求項９ないし請求項１１のいずれか１項に記載のチャネル状態情報（ＣＳＩ）のフィードバック方法。
【請求項１３】
前記第１サブバンド上の第１プリコーディングマトリックス集合の表示情報は、
第１ＰＭＩを含み、前記第１ＰＭＩは第１コードブック内の前記第１プリコーディングマトリックス集合のインデックスであり、前記第１コードブックは、第２プリコーディングマトリックス集合及び第３プリコーディングマトリックス集合に基づいて得られた複数の第１プリコーディングマトリックス集合を含み、１つの第１プリコーディングマトリックス集合は、前記第２プリコーディングマトリックス集合内の各々第２プリコーディングマトリックス及び第３プリコーディングマトリックス集合に基づいて得られたものであり、
または、第１ＰＭＩ及び第２ＰＭＩを含み、前記第１ＰＭＩは、第１コードブック内の第４プリコーディングマトリックス集合のインデックスであり、第２ＰＭＩは、前記第４プリコーディングマトリックス集合内の前記第１プリコーディングマトリックス集合のインデックスであり、前記第１コードブックは、第２プリコーディングマトリックス集合及び第３プリコーディングマトリックス集合に基づいて得られた複数の第１プリコーディングマトリックス集合を含み、前記第４プリコーディングマトリックス集合は、１つ以上の第１プリコーディングマトリックス集合を含み、かつ前記第１コードブックの部分集合であることを特徴とする請求項９ないし請求項１１のいずれか１項に記載のチャネル状態情報（ＣＳＩ）のフィードバック方法。
【請求項１４】
前記端末は、ダウンリンクチャネル情報及び第１サブバンド上の第１プリコーディングマトリックス集合に基づき、第２サブバンド上のチャネル・クオリティ指示子（ＣＱＩ）を確定する場合、
前記端末は、第１サブバンド内の物理リソースに対応する第１プリコーディングマトリックス集合内のプリコーディングマトリックスに基づき、第２サブバンド内の物理リソースに対応するプリコーディングマトリックスを確定し、
前記端末は、第２サブバンド内の物理リソースに対応するプリコーディングマトリックスに基づき、第２サブバンド上のＣＱＩを確定することを特徴とする請求項１ないし請求項１３のいずれか１項に記載のチャネル状態情報（ＣＳＩ）のフィードバック方法。
【請求項１５】
端末は、ダウンリンク伝送レイヤの数に基づき、前記ダウンリンク伝送レイヤの数に対応する第１サブバンド上の第１プリコーディングマトリックス集合を取得した後、前記第１プリコーディングマトリックス集合内のプリコーディングマトリックスに対し、プリコーディングマトリックスに対応する列ベクターの排列パターンに基づき、列ベクターを排列し、第１サブバンド上の第５プリコーディングマトリックス集合を取得し、
前記端末を第２サブバンド上のＣＱＩを確定する場合、ダウンリンクチャネル情報及び第１サブバンド上の第５プリコーディングマトリックス集合に基づき、第２サブバンド上のチャネル・クオリティ指示子（ＣＱＩ）を確定することを特徴とする請求項１に記載のチャネル状態情報（ＣＳＩ）のフィードバック方法。
【請求項１６】
前記第１サブバンド上の第１プリコーディングマトリックス集合内のプリコーディングマトリックスの列数は、前記ダウンリンク伝送レイヤの数と同様であることを特徴とする請求項１ないし請求項１５のいずれか１項に記載のチャネル状態情報（ＣＳＩ）のフィードバック方法。
【請求項１７】
第１サブバンドには１つ以上のＰＲＢが含まれ、
第２サブバンドは、第１サブバンドと同様であり、または、第２サブバンドには複数の第１サブバンドが含まれることを特徴とする請求項１ないし請求項１５のいずれか１項に記載のチャネル状態情報（ＣＳＩ）のフィードバック方法。
【請求項１８】
前記第１サブバンドにおいて、i番目の物理リソースは、前記第１プリコーディングマトリックス集合内のk番目のプリコーディングマトリックスに対応し、
ここで、k=i mod Ｋであり、i=０,１,２…Ｎ，k=０,１,２,３,…,Ｋ-１、Ｋは、第１プリコーディングマトリックス集合内のプリコーディングマトリックスの数であり、Ｎは第１サブバンド内の物理リソース数であり、または、
k=ceil(i/v) mod Ｋであり、ここで、ceil(i/v)はi/vより小さくない最少整数を示し、v=ＲＩまたはvはアンテナポート数であり、i=０,１,２…Ｎ，k=０,１,２,３,…,Ｋ-１、Ｋは、第１プリコーディングマトリックス集合内のプリコーディングマトリックスの数であり、Ｎは第１サブバンド内の物理リソース数であることを特徴とする請求項１ないし請求項１５のいずれか１項に記載のチャネル状態情報（ＣＳＩ）のフィードバック方法。
【請求項１９】
基地局は、端末よりフィードバックされたチャネル状態情報（ＣＳＩ）を受信するステップであって、前記ＣＳＩには、第１サブバンド上の第１プリコーディングマトリックス集合を示すＰＭＩが含まれる前記受信するステップと、
前記基地局は、前記ＰＭＩに基づき、第１サブバンド上の第１プリコーディングマトリックス集合を確定するステップであって、前記第１プリコーディングマトリックス集合には、１つ以上のプリコーディングマトリックスが含まれ、第１サブバンド内の１個の物理リソースは、第１プリコーディングマトリックス集合内の各々プリコーディングマトリックスに対応する前記確定するステップと、
前記基地局は、前記第１プリコーディングマトリックス集合に基づき、第１サブバンド上の物理リソースにおいて伝送されるデータに対し、前記物理リソースに対応するプリコーディングマトリックスを用いて、プリコーディングするステップとを備えることを特徴とするプリコーディング方法。
【請求項２０】
前記基地局は、前記ＰＭＩに基づき、第１サブバンド上の第１プリコーディングマトリックス集合を確定する場合、
前記基地局は、前記ＰＭＩに基づき、約定したベクターグループ集合内の第１ベクターグループのインデックスを確定し、
前記基地局は、前記第１ベクターグループ及び位相集合内の位相係数に基づき、第１サブバンド上の第１プリコーディングマトリックス集合を取得することを特徴とする請求項１９に記載のプリコーディング方法。
【請求項２１】
前記第１サブバンド上の第１プリコーディングマトリックス集合の表示情報は、
第１ＰＭＩを含み、前記第１ＰＭＩは、約定したベクターグループ集合内の第１ベクターグループのインデックスであり、前記第１ベクターグループに基づき、前記第１プリコーディングマトリックス集合を得るか、
または、第１ＰＭＩ及び第２ＰＭＩを含み、前記第１ＰＭＩは前記ベクターグループ集合内の１ベクターグループの部分集合のインデックスであり、前記第２ＰＭＩは、前記第１ＰＭＩにより示されるベクターグループの部分集合内の第１ベクターグループのインデックスであり、前記第１ベクターグループに基づき、前記第１プリコーディングマトリックス集合を得ることを特徴とする請求項２０に記載のプリコーディング方法。
【請求項２２】
前記第１サブバンド上の第１プリコーディングマトリックス集合の表示情報は、第１ＰＭＩを含み、前記第１ＰＭＩは、第１コードブック内の第１プリコーディングマトリックス集合インデックスであり、前記第１コードブックには、約定したベクターグループ集合及び位相集合に基づいて得られた複数の第１プリコーディングマトリックス集合が含まれ、
前記基地局は、前記第１ＰＭＩに基づき、第１サブバンド上の第１プリコーディングマトリックス集合を確定し、
または、
前記第１サブバンド上の第１プリコーディングマトリックス集合の表示情報は、第１ＰＭＩ及び第２ＰＭＩを含み、前記第１ＰＭＩは、第１コードブック内の第４プリコーディングマトリックス集合のインデックスであり、第２ＰＭＩは、前記第４プリコーディングマトリックス集合内の第１プリコーディングマトリックス集合のインデックスであり、前記第１コードブックには、約定したベクターグループ集合及び位相集合に基づいて得られた複数の第１プリコーディングマトリックス集合が含まれ、前記第４プリコーディングマトリックス集合は、１つ以上の第１プリコーディングマトリックス集合を含み、かつ前記第１コードブックの部分集合であり、
前記基地局は、前記第１ＰＭＩに基づき、及び第２ＰＭＩ第１サブバンド上の第１プリコーディングマトリックス集合を確定することを特徴とする請求項１９に記載のプリコーディング方法。
【請求項２３】
前記基地局は、前記ＰＭＩに基づき、第１サブバンド上の第１プリコーディングマトリックス集合を確定する場合、
前記基地局は、前記ＰＭＩに基づき、第２プリコーディングマトリックス集合内の第２プリコーディングマトリックスのインデックスを確定し、
前記基地局前記第２プリコーディングマトリックス及び約定した第３プリコーディングマトリックス集合に基づき、第１サブバンド上の第１プリコーディングマトリックス集合を取得し、前記第１プリコーディングマトリックス集合内の各々プリコーディングマトリックスは、前記第２プリコーディングマトリックスと、第３プリコーディングマトリックス集合内の１つのプリコーディングマトリックスを演算して得られたものであることを特徴とする請求項１９に記載のプリコーディング方法。
【請求項２４】
前記第１サブバンド上の第１プリコーディングマトリックス集合の表示情報は、
第１ＰＭＩを含み、前記第１ＰＭＩは、第２プリコーディングマトリックス集合内の前記第２プリコーディングマトリックスのインデックスであり、前記第２プリコーディングマトリックスに基づき、前記第１プリコーディングマトリックス集合を得るか、
または、第１ＰＭＩ及び第２ＰＭＩを含み、前記第１ＰＭＩは、第２プリコーディングマトリックス集合内の１つの第２プリコーディングマトリックス部分集合のインデックスであり、前記第２ＰＭＩは、前記第１ＰＭＩにより示された第２プリコーディングマトリックス部分集合内の前記第２プリコーディングマトリックスのインデックスであり、前記第２プリコーディングマトリックスに基づき、前記第１プリコーディングマトリックス集合を得ることを特徴とする請求項２３に記載のプリコーディング方法。
【請求項２５】
前記第１サブバンド上の第１プリコーディングマトリックス集合の表示情報は、第１ＰＭＩを含み、
前記第１ＰＭＩは、第１コードブック内の第１プリコーディングマトリックス集合インデックスであり、前記第１コードブックは、第２プリコーディングマトリックス集合及び第３プリコーディングマトリックス集合に基づいて得られた複数の第１プリコーディングマトリックス集合を含み、１つの第１プリコーディングマトリックス集合は、前記第２プリコーディングマトリックス集合内の各々第２プリコーディングマトリックス及び第３プリコーディングマトリックス集合に基づいて得られたものであり、
前記基地局は、前記第１ＰＭＩに基づき、第１サブバンド上の第１プリコーディングマトリックス集合を確定し、
または、
前記第１サブバンド上の第１プリコーディングマトリックス集合の表示情報は、第１ＰＭＩ及び第２ＰＭＩを含み、前記第１ＰＭＩは、第１コードブック内の第４プリコーディングマトリックス集合のインデックスであり、第２ＰＭＩは、前記第４プリコーディングマトリックス集合内の第１プリコーディングマトリックス集合のインデックスであり、前記第１コードブックは、第２プリコーディングマトリックス集合及び第３プリコーディングマトリックス集合に基づいて得られた複数の第１プリコーディングマトリックス集合を含み、前記第４プリコーディングマトリックス集合は、１つ以上の第１プリコーディングマトリックス集合を含み、かつ前記第１コードブックの部分集合であり、
前記基地局は、前記第１ＰＭＩに基づき、及び第２ＰＭＩ第１サブバンド上の第１プリコーディングマトリックス集合を確定することを特徴とする請求項１９に記載のプリコーディング方法。
【請求項２６】
前記第１サブバンドにおいて、i番目の物理リソースは、前記第１プリコーディングマトリックス集合内のk番目のプリコーディングマトリックスに対応し、
k=i mod Ｋであり、ここで、i=０,１,２…Ｎ，k=０,１,２,３,…,Ｋ-１、Ｋは、第１プリコーディングマトリックス集合内のプリコーディングマトリックスの数であり、Ｎは第１サブバンド内の物理リソース数であり、または、
k=ceil(i/v) mod Ｋであり、ここで、ceil(i/v)はi/vより小さくない最少整数を示し、v=ＲＩまたはvはアンテナポート数であり、i=０,１,２…Ｎ，k=０,１,２,３,…,Ｋ-１、Ｋは、第１プリコーディングマトリックス集合内のプリコーディングマトリックスの数であり、Ｎは第１サブバンド内の物理リソース数であることを特徴とする請求項１９ないし請求項２５のいずれか１項に記載のプリコーディング方法。
【請求項２７】
ダウンリンク伝送レイヤの数に基づき、前記ダウンリンク伝送レイヤの数に対応する第１サブバンド上の第１プリコーディングマトリックス集合を取得し、前記第１プリコーディングマトリックス集合には、１つ以上のプリコーディングマトリックスが含まれ、第１サブバンド内の１個の物理リソースは、第１プリコーディングマトリックス集合内の各々プリコーディングマトリックスに対応する第１確定モジュールと、
ダウンリンクチャネル情報及び第１サブバンド上の第１プリコーディングマトリックス集合に基づき、第２サブバンド上のチャネル・クオリティ指示子（ＣＱＩ）を確定する第２確定モジュールと、
ＣＳＩをフィードバックする，前記ＣＳＩには、前記ダウンリンク伝送レイヤの数を示すＲＩと、第１サブバンド上の第１プリコーディングマトリックス集合を示すＰＭＩと、第２サブバンド上のＣＱＩとのうちの１つまたは複数が含まれるフィードバックモジュールとを備えることを特徴とする端末。
【請求項２８】
前記第１プリコーディングマトリックス集合は、約定したベクターグループ集合内のベクターグループ及び位相集合内の位相係数にもとづいて得られたものであることを特徴とする請求項２７に記載の端末。
【請求項２９】
前記第１サブバンド上の第１プリコーディングマトリックス集合の表示情報は、
第１ＰＭＩを含み、前記第１ＰＭＩは、約定したベクターグループ集合内の第１ベクターグループのインデックスであり、前記第１プリコーディングマトリックス集合は、前記第１ベクターグループに基づき得られたものであり、
または、第１ＰＭＩ及び第２ＰＭＩを含み、前記第１ＰＭＩは前記ベクターグループ集合内の１ベクターグループの部分集合のインデックスであり、前記第２ＰＭＩは、前記第１ＰＭＩにより示されるベクターグループの部分集合内の第１ベクターグループのインデックスであり、前記第１プリコーディングマトリックス集合は、前記第１ベクターグループに基づき得られたものであることを特徴とする請求項２８に記載の端末。
【請求項３０】
前記第１サブバンド上の第１プリコーディングマトリックス集合の表示情報は、
第１ＰＭＩを含み、前記第１ＰＭＩは第１コードブック内の前記第１プリコーディングマトリックス集合のインデックスであり、前記第１コードブックは、前記ベクターグループ集合及び位相集合に基づき得られた複数の第１プリコーディングマトリックス集合を含み、
または、第１ＰＭＩ及び第２ＰＭＩを含み、前記第１ＰＭＩは、第１コードブック内の第４プリコーディングマトリックス集合のインデックスであり、第２ＰＭＩは、前記第４プリコーディングマトリックス集合内の前記第１プリコーディングマトリックス集合のインデックスであり、前記第１コードブックは、前記ベクターグループ集合及び位相集合に基づき得られた複数の第１プリコーディングマトリックス集合を含み、前記第４プリコーディングマトリックス集合は、１つ以上の第１プリコーディングマトリックス集合を含み、かつ前記第１コードブックの部分集合であることを特徴とする請求項２８に記載の端末。
【請求項３１】
前記第１プリコーディングマトリックス集合は、第２プリコーディングマトリックス及び約定した第３プリコーディングマトリックス集合に基づいて得られたものであり、前記第１プリコーディングマトリックス集合内の各々プリコーディングマトリックスは、第２プリコーディングマトリックス及び第３プリコーディングマトリックス集合内の１つのプリコーディングマトリックスを計算して得られたものであることを特徴とする請求項２７に記載の端末。
【請求項３２】
前記第１サブバンド上の第１プリコーディングマトリックス集合の表示情報は、
第１ＰＭＩを含み、前記第１ＰＭＩは、１つの第２プリコーディングマトリックスの第２プリコーディングマトリックス集合内のインデックスであり、前記第１プリコーディングマトリックス集合は前記第２プリコーディングマトリックスに基づいて得られたものであり、
または、第１ＰＭＩ及び第２ＰＭＩを含み、前記第１ＰＭＩは、第２プリコーディングマトリックス集合内の１つの第２プリコーディングマトリックス部分集合のインデックスであり、前記第２ＰＭＩは、前記第１ＰＭＩにより示された第２プリコーディングマトリックス部分集合内の前記第２プリコーディングマトリックスのインデックスであり、前記第１プリコーディングマトリックス集合は前記第２プリコーディングマトリックスに基づいて得られたものであることを特徴とする請求項３１に記載の端末。
【請求項３３】
前記第１サブバンド上の第１プリコーディングマトリックス集合の表示情報は、
第１ＰＭＩを含み、前記第１ＰＭＩは第１コードブック内の前記第１プリコーディングマトリックス集合のインデックスであり、前記第１コードブックは、第２プリコーディングマトリックス集合及び第３プリコーディングマトリックス集合に基づいて得られた複数の第１プリコーディングマトリックス集合を含み、１つの第１プリコーディングマトリックス集合は、前記第２プリコーディングマトリックス集合内の各々第２プリコーディングマトリックス及び第３プリコーディングマトリックス集合に基づいて得られたものであり、
または、第１ＰＭＩ及び第２ＰＭＩを含み、前記第１ＰＭＩは、第１コードブック内の第４プリコーディングマトリックス集合のインデックスであり、第２ＰＭＩは、前記第４プリコーディングマトリックス集合内の前記第１プリコーディングマトリックス集合のインデックスであり、前記第１コードブックは、第２プリコーディングマトリックス集合及び第３プリコーディングマトリックス集合に基づいて得られた複数の第１プリコーディングマトリックス集合を含み、前記第４プリコーディングマトリックス集合は、１つ以上の第１プリコーディングマトリックス集合を含み、かつ前記第１コードブックの部分集合であることを特徴とする請求項３１に記載の端末。
【請求項３４】
前記第２確定モジュールは、
第１サブバンド内の物理リソースに対応する第１プリコーディングマトリックス集合内のプリコーディングマトリックスに基づき、第２サブバンド内の物理リソースに対応するプリコーディングマトリックスを確定し、
第２サブバンド内の物理リソースに対応するプリコーディングマトリックスに基づき、第２サブバンド上のＣＱＩを確定することを特徴とする請求項２７ないし請求項３３のいずれか１項に記載の端末。
【請求項３５】
端末よりフィードバックされたチャネル状態情報（ＣＳＩ）を受信し、前記ＣＳＩには、第１サブバンド上の第１プリコーディングマトリックス集合を示すＰＭＩが含まれる受信モジュールと、
前記ＰＭＩに基づき、第１サブバンド上の第１プリコーディングマトリックス集合を確定し，前記第１プリコーディングマトリックス集合には、１つ以上のプリコーディングマトリックスが含まれ、第１サブバンド内の１個の物理リソースは、第１プリコーディングマトリックス集合内の各々プリコーディングマトリックスに対応する確定モジュールと、
前記第１プリコーディングマトリックス集合に基づき、第１サブバンド上の物理リソースにおいて伝送されるデータに対し、前記物理リソースに対応するプリコーディングマトリックスを用いて、プリコーディングするプリコーディングモジュールとを備えることを特徴とする基地局。
【請求項３６】
前記確定モジュールは、
前記ＰＭＩに基づき、約定したベクターグループ集合内の第１ベクターグループのインデックスを確定し、
前記第１ベクターグループ及び位相集合内の位相係数に基づき、第１サブバンド上の第１プリコーディングマトリックス集合を取得することを特徴とする請求項３５に記載の基地局。
【請求項３７】
前記第１サブバンド上の第１プリコーディングマトリックス集合の表示情報は、第１ＰＭＩを含み、前記第１ＰＭＩは、第１コードブック内の第１プリコーディングマトリックス集合インデックスであり、前記第１コードブックには、約定したベクターグループ集合及び位相集合に基づいて得られた複数の第１プリコーディングマトリックス集合が含まれ、
前記基地局は、前記第１ＰＭＩに基づき、第１サブバンド上の第１プリコーディングマトリックス集合を確定し、
または、
前記第１サブバンド上の第１プリコーディングマトリックス集合の表示情報は、第１ＰＭＩ及び第２ＰＭＩを含み、前記第１ＰＭＩは、第１コードブック内の第４プリコーディングマトリックス集合のインデックスであり、第２ＰＭＩは、前記第４プリコーディングマトリックス集合内の第１プリコーディングマトリックス集合のインデックスであり、前記第１コードブックには、約定したベクターグループ集合及び位相集合に基づいて得られた複数の第１プリコーディングマトリックス集合が含まれ、前記第４プリコーディングマトリックス集合は、１つ以上の第１プリコーディングマトリックス集合を含み、かつ前記第１コードブックの部分集合であり、
前記基地局は、前記第１ＰＭＩに基づき、及び第２ＰＭＩ第１サブバンド上の第１プリコーディングマトリックス集合を確定することを特徴とする請求項３５に記載の基地局。
【請求項３８】
前記確定モジュールは、
前記ＰＭＩに基づき、第２プリコーディングマトリックス集合内の第２プリコーディングマトリックスのインデックスを確定し、
前記第２プリコーディングマトリックス及び約定した第３プリコーディングマトリックス集合に基づき、第１サブバンド上の第１プリコーディングマトリックス集合を取得し、前記第１プリコーディングマトリックス集合内の各々プリコーディングマトリックスは、前記第２プリコーディングマトリックスと、第３プリコーディングマトリックス集合内の１つのプリコーディングマトリックスを演算して得られたものであることを特徴とする請求項３５に記載の基地局。
【請求項３９】
前記第１サブバンド上の第１プリコーディングマトリックス集合の表示情報は、第１ＰＭＩを含み、
前記第１ＰＭＩは、第１コードブック内の第１プリコーディングマトリックス集合インデックスであり、前記第１コードブックは、第２プリコーディングマトリックス集合及び第３プリコーディングマトリックス集合に基づいて得られた複数の第１プリコーディングマトリックス集合を含み、１つの第１プリコーディングマトリックス集合は、前記第２プリコーディングマトリックス集合内の各々第２プリコーディングマトリックス及び第３プリコーディングマトリックス集合に基づいて得られたものであり、
前記基地局は、前記第１ＰＭＩに基づき、第１サブバンド上の第１プリコーディングマトリックス集合を確定し、
または、
前記第１サブバンド上の第１プリコーディングマトリックス集合の表示情報は、第１ＰＭＩ及び第２ＰＭＩを含み、前記第１ＰＭＩは、第１コードブック内の第４プリコーディングマトリックス集合のインデックスであり、第２ＰＭＩは、前記第４プリコーディングマトリックス集合内の第１プリコーディングマトリックス集合のインデックスであり、前記第１コードブックは、第２プリコーディングマトリックス集合及び第３プリコーディングマトリックス集合に基づいて得られた複数の第１プリコーディングマトリックス集合を含み、前記第４プリコーディングマトリックス集合は、１つ以上の第１プリコーディングマトリックス集合を含み、かつ前記第１コードブックの部分集合であり、
前記基地局は、前記第１ＰＭＩに基づき、及び第２ＰＭＩ第１サブバンド上の第１プリコーディングマトリックス集合を確定することを特徴とする請求項３５に記載の基地局。
【発明の詳細な説明】
【技術分野】
【０００１】
本発明は通信技術分野に関し、特にＣＳＩのフィードバック方法、プリコーディング方法及び装置に関する。
【背景技術】
【０００２】
モビリティと広帯域は、近代的な通信技術の発展の傾向となっている。３ＧＰＰ（３ｒｄ Ｇｅｎｅｒａｔｉｏｎ Ｐａｒｔｎｅｒｓｈｉｐ Ｐｒｏｊｅｃｔ，３ＧＰＰ）ロングタームエボリューション（Ｌｏｎｇ Ｔｅｒｍ Ｅｖｏｌｕｔｉｏｎ，ＬＴＥ）システムは、進化した３Ｇシステムとして、３ＧＰＰ無線アクセス技術を高データレート、短時間遅延、及び最適化されたパケットデータアプリケーションに向けて開発する目的で、３Ｇシステムから進化しているＬＴＥ（Ｌｏｎｇ Ｔｅｒｍ Ｅｖｏｌｕｔｉｏｎ）システムに専念している。物理層におけるマルチアンテナＭＩＭＯ（Ｍｕｌｔｉｐｌｅ−Ｉｎｐｕｔ Ｍｕｌｔｉｐｌｅ−Ｏｕｔｐｕｔ，ＭＩＭＯ）技術は、既に１つのモビリティ通信システムの重要な技術となっており、マルチアンテナ技術は多くの利点を有し、例えば、マルチアンテナの空間分割多重化利得を用いてシステム容量を増大し、複数アンテナの多重化利得を用いてシステムのスループットを向上させるなど。
【０００３】
基地局が一定のチャネル状態情報（Ｃｈａｎｎｅｌ Ｓｔａｔｅ Ｉｎｆｏｒｍａｔｉｏｎ，ＣＳＩ）（瞬時値でも短期間または中長期の統計情報でもかまわない）を受信した後に、いくつかの前処理スキームにより、各データストリームに適用される電力、レート、さらには送信方向を最適化することができ、前処理によってデータストリーム間の干渉の一部または全部を端末で事前に除去して、より良い性能を獲得することができる。しかし、現時点でダウンリンクＭＩＭＯフィードバックのようなかなりのオーバヘッドが存在し、特に高いｒａｎｋ（即ち、ダウンリンク伝送レイヤの数）での送信において、フィードバックオーバヘッドの増大は、性能における対応する利得を達成することができない。また、従来のコードブック設計の性能は、高速での移動性のシナリオでは大幅に低下するため、伝送効率を保証することはできない。既存のコードブック設計の性能は、高速での移動性のシナリオでは大幅に低下するため、伝送効率を保証することはできない。
【０００４】
よって、業界では、ＣＳＩのフィードバックを提供する端末のシグナリングオーバーヘッドを低減することが非常に望ましい
【発明の概要】
【発明が解決しようとする課題】
【０００５】
本発明に係る実施例は、ＣＳＩのフィードバック方法、プリコーディング方法及び装置を提供し、ＣＳＩのフィードバックを提供する端末のシグナリングオーバーヘッドを低減する。
【課題を解決するための手段】
【０００６】
本発明の実施例に係るＣＳＩのフィードバック方法は、
端末は、ダウンリンク伝送レイヤの数に基づき、前記ダウンリンク伝送レイヤの数に対応する第１サブバンド上の第１プリコーディングマトリックス集合を取得するステップと、
前記端末は、ダウンリンクチャネル情報及び第１サブバンド上の第１プリコーディングマトリックス集合に基づき、第２サブバンド上のチャネル・クオリティ指示子（ＣＱＩ）を確定するステップと、
前記端末は、ＣＳＩをフィードバックするステップとを備え、
前記第１プリコーディングマトリックス集合には、１つ以上のプリコーディングマトリックスが含まれ、第１サブバンド内の１個の物理リソースは、第１プリコーディングマトリックス集合内の各々プリコーディングマトリックスに対応し、
前記ＣＳＩには、前記ダウンリンク伝送レイヤの数を示すＲＩと、第１サブバンド上の第１プリコーディングマトリックス集合を示すＰＭＩと、第２サブバンド上のＣＱＩとのうちの１つまたは複数が含まれる。
【０００７】
前記第１プリコーディングマトリックス集合は、約定したベクターグループ集合内のベクターグループ及び位相集合内の位相係数にもとづいて得られたものである。
【０００８】
前記ベクターグループ集合には、１つ以上のベクターグループが含まれ、１ベクターグループに基づき１つの第１プリコーディングマトリックス集合が得られ、及び/または、前記位相集合には１つ以上の位相係数が含まれ、１つの位相係数に基づいて１つの第１プリコーディングマトリックス集合内の１つのプリコーディングマトリックスが得られる。
【０００９】
具体的に、約定したベクターグループ集合内のベクターグループ及び位相集合内の位相係数に基づき、前記第１プリコーディングマトリックス集合を得るのは、
１つの位相係数に基づき得られた位相マトリックスと、前記ベクターグループ集合内の１ベクターグループ内のベクターを、クロネッカー積算し、積載し得られたマトリックス内の列ベクターを用いて第１プリコーディングマトリックス集合内の１つのプリコーディングマトリックスを構成する。
【００１０】
前記位相マトリックスは、
【００１１】
【数１】
2019512948.tif 000003
【００１２】
である。
好ましくは、位相集合は
【００１３】
【数２】
2019512948.tif 000004
【００１４】
であり、前記nは整数であり、０<=n<Ｎ、Ｎは位相集合内の位相係数の数である。
さらに、得られた前記ダウンリンク伝送レイヤの数に対応する第１サブバンド上の第１プリコーディングマトリックス集合数が複数であれば、所定の規則に従い、複数の第１プリコーディングマトリックス集合から１つの第１プリコーディングマトリックス集合を選出する。
【００１５】
具体的に、第１サブバンド上の第１プリコーディングマトリックス集合の表示情報は、第１ＰＭＩを含み、前記第１ＰＭＩは、約定したベクターグループ集合内の第１ベクターグループのインデックスであり、前記第１プリコーディングマトリックス集合は、前記第１ベクターグループに基づき得られたものであり、
または、第１サブバンド上の第１プリコーディングマトリックス集合の表示情報は、第１ＰＭＩ及び第２ＰＭＩを含み、前記第１ＰＭＩは前記ベクターグループ集合内の１ベクターグループの部分集合のインデックスであり、前記第２ＰＭＩは、前記第１ＰＭＩにより示されるベクターグループの部分集合内の第１ベクターグループのインデックスであり、前記第１プリコーディングマトリックス集合は、前記第１ベクターグループに基づき得られたものである。
【００１６】
具体的に、第１サブバンド上の第１プリコーディングマトリックス集合の表示情報は、第１ＰＭＩを含み、前記第１ＰＭＩは第１コードブック内の前記第１プリコーディングマトリックス集合のインデックスであり、前記第１コードブックは、前記ベクターグループ集合及び位相集合に基づき得られた複数の第１プリコーディングマトリックス集合を含み、
または、
第１ＰＭＩ及び第２ＰＭＩを含み、前記第１ＰＭＩは、第１コードブック内の第４プリコーディングマトリックス集合のインデックスであり、第２ＰＭＩは、前記第４プリコーディングマトリックス集合内の前記第１プリコーディングマトリックス集合のインデックスであり、前記第１コードブックは、前記ベクターグループ集合及び位相集合に基づき得られた複数の第１プリコーディングマトリックス集合を含み、前記第４プリコーディングマトリックス集合は、１つ以上の第１プリコーディングマトリックス集合を含み、かつ前記第１コードブックの部分集合である。
【００１７】
前記第１プリコーディングマトリックス集合は、第２プリコーディングマトリックス及び約定した第３プリコーディングマトリックス集合に基づいて得られたものであり、前記第１プリコーディングマトリックス集合内の各々プリコーディングマトリックスは、第２プリコーディングマトリックス及び第３プリコーディングマトリックス集合内の１つのプリコーディングマトリックスを計算して得られたものである。
【００１８】
前記第２プリコーディングマトリックスは、約定したベクターグループ集合内の１ベクターグループ内の１ベクターより構成され、または、前記第２プリコーディングマトリックスは、約定したベクターグループ集合内の１ベクターグループ内の複数のベクターより構成され、または、前記第２プリコーディングマトリックスは、約定したベクターグループ集合内の１ベクターグループ内の１つ以上のベクター及び０ベクターより構成され、前記０ベクターは、すべての要素が０であるベクターである。
【００１９】
さらに、演算は、マトリックス積算、または、マトリックス・クロネッカー積算である。
【００２０】
具体的に、第２プリコーディングマトリックス及び第３プリコーディングマトリックス集合に基づき、前記第１プリコーディングマトリックス集合を得る場合、
第２プリコーディングマトリックス集合内のＱ個の第２プリコーディングマトリックス及び第３プリコーディングマトリックス集合に基づき、演算してＱ個の第１プリコーディングマトリックス集合を取得し、ここで、１つの第２プリコーディングマトリックスと前記第３プリコーディングマトリックス集合を演算して、１つの第１プリコーディングマトリックス集合を取得し、所定の規則に従い、前記Ｑ個の第１プリコーディングマトリックス集合から、１つの第１プリコーディングマトリックス集合を選出し、前記Ｑは１より大きいか等しい整数であり、または、
所定の規則に従い、第２プリコーディングマトリックス集合から１つの第２プリコーディングマトリックスを選出し、選出された第２プリコーディングマトリックス及び第３プリコーディングマトリックス集合に基づき、演算して１つの第１プリコーディングマトリックス集合を取得する。
【００２１】
具体的に、第１サブバンド上の第１プリコーディングマトリックス集合の表示情報は、第１ＰＭＩであり、前記第１ＰＭＩは、１つの第２プリコーディングマトリックスの第２プリコーディングマトリックス集合内のインデックスであり、前記第１プリコーディングマトリックス集合は前記第２プリコーディングマトリックスに基づいて得られたものであり、または、
第１サブバンド上の第１プリコーディングマトリックス集合の表示情報は、第１ＰＭＩ及び第２ＰＭＩであり、前記第１ＰＭＩは、第２プリコーディングマトリックス集合内の１つの第２プリコーディングマトリックス部分集合のインデックスであり、前記第２ＰＭＩは、前記第１ＰＭＩにより示された第２プリコーディングマトリックス部分集合内の前記第２プリコーディングマトリックスのインデックスであり、前記第１プリコーディングマトリックス集合は前記第２プリコーディングマトリックスに基づいて得られたものである。
【００２２】
具体的に、第１サブバンド上の第１プリコーディングマトリックス集合の表示情報は、第１ＰＭＩであり、前記第１ＰＭＩは第１コードブック内の前記第１プリコーディングマトリックス集合のインデックスであり、前記第１コードブックは、第２プリコーディングマトリックス集合及び第３プリコーディングマトリックス集合に基づいて得られた複数の第１プリコーディングマトリックス集合を含み、１つの第１プリコーディングマトリックス集合は、前記第２プリコーディングマトリックス集合内の各々第２プリコーディングマトリックス及び第３プリコーディングマトリックス集合に基づいて得られたものであり、
または、第１サブバンド上の第１プリコーディングマトリックス集合の表示情報は、第１ＰＭＩ及び第２ＰＭＩであり、前記第１ＰＭＩは、第１コードブック内の第４プリコーディングマトリックス集合のインデックスであり、第２ＰＭＩは、前記第４プリコーディングマトリックス集合内の前記第１プリコーディングマトリックス集合のインデックスであり、前記第１コードブックは、第２プリコーディングマトリックス集合及び第３プリコーディングマトリックス集合に基づいて得られた複数の第１プリコーディングマトリックス集合を含み、前記第４プリコーディングマトリックス集合は、１つ以上の第１プリコーディングマトリックス集合を含み、かつ前記第１コードブックの部分集合である。
【００２３】
ここで、端末は、ダウンリンクチャネル情報及び第１サブバンド上の第１プリコーディングマトリックス集合に基づき、第２サブバンド上のチャネル・クオリティ指示子（ＣＱＩ）を確定する場合、
前記端末は、第１サブバンド内の物理リソースに対応する第１プリコーディングマトリックス集合内のプリコーディングマトリックスに基づき、第２サブバンド内の物理リソースに対応するプリコーディングマトリックスを確定し、
前記端末は、第２サブバンド内の物理リソースに対応するプリコーディングマトリックスに基づき、第２サブバンド上のＣＱＩを確定する。
【００２４】
さらに、端末は、ダウンリンク伝送レイヤの数に基づき、前記ダウンリンク伝送レイヤの数に対応する第１サブバンド上の第１プリコーディングマトリックス集合を取得した後、前記第１プリコーディングマトリックス集合内のプリコーディングマトリックスに対し、プリコーディングマトリックスに対応する列ベクターの排列パターンに基づき、列ベクターを排列し、第１サブバンド上の第５プリコーディングマトリックス集合を取得し、
前記端末第２サブバンド上のＣＱＩを確定する場合、ダウンリンクチャネル情報及び第１サブバンド上の第５プリコーディングマトリックス集合に基づき、第２サブバンド上のチャネル・クオリティ指示子（ＣＱＩ）を確定する。
【００２５】
前記第１サブバンド上の第１プリコーディングマトリックス集合内のプリコーディングマトリックスの列数は、前記ダウンリンク伝送レイヤの数と同様である。
【００２６】
前記第１サブバンドには１つ以上のＰＲＢが含まれ、第２サブバンドは、第１サブバンドと同様であり、または、第２サブバンドには複数の第１サブバンドが含まれる。
【００２７】
具体的に、第１サブバンドにおいて、i番目の物理リソースは、前記第１プリコーディングマトリックス集合内のk番目のプリコーディングマトリックスに対応し、
ここで、k=i mod Ｋ、i=０,１,２…Ｎ，k=０,１,２,３,…,Ｋ-１、Ｋは、第１プリコーディングマトリックス集合内のプリコーディングマトリックスの数であり、Ｎは第１サブバンド内の物理リソース数であり、または、
k=ceil(i/v) mod Ｋ、ここで、ceil(i/v)はi/vより小さくない最少整数を示し、v=ＲＩまたはvはアンテナポート数であり、i=０,１,２…Ｎ，k=０,１,２,３,…,Ｋ-１，Ｋは、第１プリコーディングマトリックス集合内のプリコーディングマトリックスの数であり、Ｎは第１サブバンド内の物理リソース数である。
【００２８】
本発明の実施例に係る端末は、
ダウンリンク伝送レイヤの数に基づき、前記ダウンリンク伝送レイヤの数に対応する第１サブバンド上の第１プリコーディングマトリックス集合を取得する第１確定モジュールであって、前記第１プリコーディングマトリックス集合には、１つ以上のプリコーディングマトリックスが含まれ、第１サブバンド内の１個の物理リソースは、第１プリコーディングマトリックス集合内の各々プリコーディングマトリックスに対応する前記第１確定モジュールと、
ダウンリンクチャネル情報及び第１サブバンド上の第１プリコーディングマトリックス集合に基づき、第２サブバンド上のチャネル・クオリティ指示子（ＣＱＩ）を確定する第２確定モジュールと、
ＣＳＩをフィードバックするフィードバックモジュールであって、前記ＣＳＩには、前記ダウンリンク伝送レイヤの数を示すＲＩと、第１サブバンド上の第１プリコーディングマトリックス集合を示すＰＭＩと、第２サブバンド上のＣＱＩとのうちの１つまたは複数が含まれる前記フィードバックモジュールとを備える。
【００２９】
具体的に、第１プリコーディングマトリックス集合は、約定したベクターグループ集合内のベクターグループ及び位相集合内の位相係数にもとづいて得られたものである。
【００３０】
具体的に、第１サブバンド上の第１プリコーディングマトリックス集合の表示情報は、第１ＰＭＩを含み、前記第１ＰＭＩは、約定したベクターグループ集合内の第１ベクターグループのインデックスであり、前記第１プリコーディングマトリックス集合は、前記第１ベクターグループに基づき得られたものであり、
または、
第１サブバンド上の第１プリコーディングマトリックス集合の表示情報は、第１ＰＭＩ及び第２ＰＭＩを含み、前記第１ＰＭＩは前記ベクターグループ集合内の１ベクターグループの部分集合のインデックスであり、前記第２ＰＭＩは、前記第１ＰＭＩにより示されるベクターグループの部分集合内の第１ベクターグループのインデックスであり、前記第１プリコーディングマトリックス集合は、前記第１ベクターグループに基づき得られたものである。
【００３１】
具体的に、第１サブバンド上の第１プリコーディングマトリックス集合の表示情報は、
第１ＰＭＩを含み、前記第１ＰＭＩは第１コードブック内の前記第１プリコーディングマトリックス集合のインデックスであり、前記第１コードブックは、前記ベクターグループ集合及び位相集合に基づき得られた複数の第１プリコーディングマトリックス集合を含み、または、
第１ＰＭＩ及び第２ＰＭＩを含み、前記第１ＰＭＩは、第１コードブック内の第４プリコーディングマトリックス集合のインデックスであり、第２ＰＭＩは、前記第４プリコーディングマトリックス集合内の前記第１プリコーディングマトリックス集合のインデックスであり、前記第１コードブックは、前記ベクターグループ集合及び位相集合に基づき得られた複数の第１プリコーディングマトリックス集合を含み、前記第４プリコーディングマトリックス集合は、１つ以上の第１プリコーディングマトリックス集合を含み、かつ前記第１コードブックの部分集合である。
【００３２】
具体的に、第１プリコーディングマトリックス集合は、第２プリコーディングマトリックス及び約定した第３プリコーディングマトリックス集合に基づいて得られたものであり、前記第１プリコーディングマトリックス集合内の各々プリコーディングマトリックスは、第２プリコーディングマトリックス及び第３プリコーディングマトリックス集合内の１つのプリコーディングマトリックスを計算して得られたものである。
【００３３】
具体的に、第１サブバンド上の第１プリコーディングマトリックス集合の表示情報は、
第１ＰＭＩを含み、前記第１ＰＭＩは、１つの第２プリコーディングマトリックスの第２プリコーディングマトリックス集合内のインデックスであり、前記第１プリコーディングマトリックス集合は前記第２プリコーディングマトリックスに基づいて得られたものであり、または、
第１ＰＭＩ及び第２ＰＭＩを含み、前記第１ＰＭＩは、第２プリコーディングマトリックス集合内の１つの第２プリコーディングマトリックス部分集合のインデックスであり、前記第２ＰＭＩは、前記第１ＰＭＩにより示された第２プリコーディングマトリックス部分集合内の前記第２プリコーディングマトリックスのインデックスであり、前記第１プリコーディングマトリックス集合は前記第２プリコーディングマトリックスに基づいて得られたものである。
【００３４】
具体的に、第１サブバンド上の第１プリコーディングマトリックス集合の表示情報は、
第１ＰＭＩを含み、前記第１ＰＭＩは第１コードブック内の前記第１プリコーディングマトリックス集合のインデックスであり、前記第１コードブックは、第２プリコーディングマトリックス集合及び第３プリコーディングマトリックス集合に基づいて得られた複数の第１プリコーディングマトリックス集合を含み、１つの第１プリコーディングマトリックス集合は、前記第２プリコーディングマトリックス集合内の各々第２プリコーディングマトリックス及び第３プリコーディングマトリックス集合に基づいて得られたものであり、または、
第１ＰＭＩ及び第２ＰＭＩを含み、前記第１ＰＭＩは、第１コードブック内の第４プリコーディングマトリックス集合のインデックスであり、第２ＰＭＩは、前記第４プリコーディングマトリックス集合内の前記第１プリコーディングマトリックス集合のインデックスであり、前記第１コードブックは、第２プリコーディングマトリックス集合及び第３プリコーディングマトリックス集合に基づいて得られた複数の第１プリコーディングマトリックス集合を含み、前記第４プリコーディングマトリックス集合は、１つ以上の第１プリコーディングマトリックス集合を含み、かつ前記第１コードブックの部分集合である。
【００３５】
さらに、第２確定モジュールは、
第１サブバンド内の物理リソースに対応する第１プリコーディングマトリックス集合内のプリコーディングマトリックスに基づき、第２サブバンド内の物理リソースに対応するプリコーディングマトリックスを確定し、
第２サブバンド内の物理リソースに対応するプリコーディングマトリックスに基づき、第２サブバンド上のＣＱＩを確定する。
【００３６】
本発明の上述実施例によれば、端末ダウンリンク伝送レイヤの数に対応する第１サブバンド上の第１プリコーディングマトリックス集合を取得した後、前記第１プリコーディングマトリックス集合及びダウンリンクチャネル情報に基づき、第２サブバンド上のチャネル・クオリティ指示子（ＣＱＩ）を確定して、ＣＳＩをフィードバックする。上述のような実施例において、端末は、実の各々物理リソースにおいて用いられるプリコーディングマトリックスではなく、第１プリコーディングマトリックス集合のインデックスのみを報告するため、従来の閉ループ伝送と比べれば、フィードバックシグナリングオーバヘッドを低減することができ、また、第１プリコーディングマトリックス集合に基づきＣＳＩを測定し、従来のプリコーディングマトリックス１つのみに基づいてＣＳＩを測定することと比べ、ＣＳＩとチャネル状態のマッチングを向上することができる。
【００３７】
本発明の実施例に係るプリコーディング方法は、
基地局は、端末よりフィードバックされたチャネル状態情報（ＣＳＩ）を受信するステップと、
前記基地局は、前記ＰＭＩに基づき、第１サブバンド上の第１プリコーディングマトリックス集合を確定するステップと、
前記基地局は、前記第１プリコーディングマトリックス集合に基づき、第１サブバンド上の物理リソースにおいて伝送されるデータに対し、前記物理リソースに対応するプリコーディングマトリックスを用いて、プリコーディングするステップとを備え、
前記ＣＳＩには、第１サブバンド上の第１プリコーディングマトリックス集合を示すＰＭＩが含まれ、
前記第１プリコーディングマトリックス集合には、１つ以上のプリコーディングマトリックスが含まれ、第１サブバンド内の１個の物理リソースは、第１プリコーディングマトリックス集合内の各々プリコーディングマトリックスに対応する。
【００３８】
具体的に、基地局は、前記ＰＭＩに基づき、第１サブバンド上の第１プリコーディングマトリックス集合を確定する場合、
前記基地局は、前記ＰＭＩに基づき、約定したベクターグループ集合内の第１ベクターグループのインデックスを確定し、
前記基地局は、前記第１ベクターグループ及び位相集合内の位相係数に基づき、第１サブバンド上の第１プリコーディングマトリックス集合を取得する。
【００３９】
具体的に、第１サブバンド上の第１プリコーディングマトリックス集合の表示情報は、
第１ＰＭＩを含み、前記第１ＰＭＩは、約定したベクターグループ集合内の第１ベクターグループのインデックスであり、前記第１ベクターグループに基づき、前記第１プリコーディングマトリックス集合を得、または、
第１ＰＭＩ及び第２ＰＭＩを含み、前記第１ＰＭＩは前記ベクターグループ集合内の１ベクターグループの部分集合のインデックスであり、前記第２ＰＭＩは、前記第１ＰＭＩにより示されるベクターグループの部分集合内の第１ベクターグループのインデックスであり、前記第１ベクターグループに基づき、前記第１プリコーディングマトリックス集合を得る。
【００４０】
具体的に、第１サブバンド上の第１プリコーディングマトリックス集合の表示情報は、
第１ＰＭＩを含み、前記第１ＰＭＩは、第１コードブック内の第１プリコーディングマトリックス集合インデックスであり、前記第１コードブックには、約定したベクターグループ集合及び位相集合に基づいて得られた複数の第１プリコーディングマトリックス集合が含まれ、
前記基地局は、前記第１ＰＭＩに基づき、第１サブバンド上の第１プリコーディングマトリックス集合を確定し、
または、
前記第１サブバンド上の第１プリコーディングマトリックス集合の表示情報は、第１ＰＭＩ及び第２ＰＭＩを含み、前記第１ＰＭＩは、第１コードブック内の第４プリコーディングマトリックス集合のインデックスであり、第２ＰＭＩは、前記第４プリコーディングマトリックス集合内の第１プリコーディングマトリックス集合のインデックスであり、前記第１コードブックには、約定したベクターグループ集合及び位相集合に基づいて得られた複数の第１プリコーディングマトリックス集合が含まれ、前記第４プリコーディングマトリックス集合は、１つ以上の第１プリコーディングマトリックス集合を含み、かつ前記第１コードブックの部分集合であり、
前記基地局は、前記第１ＰＭＩに基づき、及び第２ＰＭＩ第１サブバンド上の第１プリコーディングマトリックス集合を確定する。
【００４１】
具体的に、基地局は、前記ＰＭＩに基づき、第１サブバンド上の第１プリコーディングマトリックス集合を確定する場合、
前記基地局は、前記ＰＭＩに基づき、第２プリコーディングマトリックス集合内の第２プリコーディングマトリックスのインデックスを確定し、
前記基地局記第２プリコーディングマトリックス及び約定した第３プリコーディングマトリックス集合第１サブバンド上の第１プリコーディングマトリックス集合を取得し、前記第１プリコーディングマトリックス集合内の各々プリコーディングマトリックスは、前記第２プリコーディングマトリックスと、第３プリコーディングマトリックス集合内の１つのプリコーディングマトリックスを演算して得られたものである。
【００４２】
具体的に、第１サブバンド上の第１プリコーディングマトリックス集合の表示情報は、
第１ＰＭＩを含み、前記第１ＰＭＩは、第２プリコーディングマトリックス集合内の前記第２プリコーディングマトリックスのインデックスであり、前記第２プリコーディングマトリックスに基づき、前記第１プリコーディングマトリックス集合を得、または、
第１ＰＭＩ及び第２ＰＭＩを含み、前記第１ＰＭＩは、第２プリコーディングマトリックス集合内の１つの第２プリコーディングマトリックス部分集合のインデックスであり、前記第２ＰＭＩは、前記第１ＰＭＩにより示された第２プリコーディングマトリックス部分集合内の前記第２プリコーディングマトリックスのインデックスであり、前記第２プリコーディングマトリックスに基づき、前記第１プリコーディングマトリックス集合を得る。
【００４３】
具体的に、第１サブバンド上の第１プリコーディングマトリックス集合の表示情報は、第１ＰＭＩを含み、前記第１ＰＭＩは、第１コードブック内の第１プリコーディングマトリックス集合インデックスであり、前記第１コードブックは、第２プリコーディングマトリックス集合及び第３プリコーディングマトリックス集合に基づいて得られた複数の第１プリコーディングマトリックス集合を含み、１つの第１プリコーディングマトリックス集合は、前記第２プリコーディングマトリックス集合内の各々第２プリコーディングマトリックス及び第３プリコーディングマトリックス集合に基づいて得られたものであり、
前記基地局は、前記第１ＰＭＩに基づき、第１サブバンド上の第１プリコーディングマトリックス集合を確定し、
または、
前記第１サブバンド上の第１プリコーディングマトリックス集合の表示情報は、第１ＰＭＩ及び第２ＰＭＩを含み、前記第１ＰＭＩは、第１コードブック内の第４プリコーディングマトリックス集合のインデックスであり、第２ＰＭＩは、前記第４プリコーディングマトリックス集合内の第１プリコーディングマトリックス集合のインデックスであり、前記第１コードブックは、第２プリコーディングマトリックス集合及び第３プリコーディングマトリックス集合に基づいて得られた複数の第１プリコーディングマトリックス集合を含み、前記第４プリコーディングマトリックス集合は、１つ以上の第１プリコーディングマトリックス集合を含み、かつ前記第１コードブックの部分集合であり、
前記基地局は、前記第１ＰＭＩに基づき、及び第２ＰＭＩ第１サブバンド上の第１プリコーディングマトリックス集合を確定する。
【００４４】
前記第１サブバンドにおいて、i番目の物理リソースは、前記第１プリコーディングマトリックス集合内のk番目のプリコーディングマトリックスに対応し、ここで、
k=i mod Ｋであり、i=０,１,２…Ｎ，k=０,１,２,３,…,Ｋ-１、Ｋは、第１プリコーディングマトリックス集合内のプリコーディングマトリックスの数であり、Ｎは第１サブバンド内の物理リソース数であり、または、
k=ceil(i/v) mod Ｋであり、ここで、ceil(i/v)はi/vより小さくない最少整数を示し、v=ＲＩまたはvはアンテナポート数であり、i=０,１,２…Ｎ，k=０,１,２,３,…,Ｋ-１，Ｋは、第１プリコーディングマトリックス集合内のプリコーディングマトリックスの数であり、Ｎは第１サブバンド内の物理リソース数である。
【００４５】
本発明の実施例に係る基地局は、
端末よりフィードバックされたチャネル状態情報（ＣＳＩ）を受信し、前記ＣＳＩには、第１サブバンド上の第１プリコーディングマトリックス集合を示すＰＭＩが含まれる受信モジュールと、
前記ＰＭＩに基づき、第１サブバンド上の第１プリコーディングマトリックス集合を確定し，前記第１プリコーディングマトリックス集合には、１つ以上のプリコーディングマトリックスが含まれ、第１サブバンド内の１個の物理リソースは、第１プリコーディングマトリックス集合内の各々プリコーディングマトリックスに対応する確定モジュールと、
前記第１プリコーディングマトリックス集合に基づき、第１サブバンド上の物理リソースにおいて伝送されるデータに対し、前記物理リソースに対応するプリコーディングマトリックスを用いて、プリコーディングするプリコーディングモジュールとを備える。
【００４６】
前記確定モジュールは、
前記ＰＭＩに基づき、約定したベクターグループ集合内の第１ベクターグループのインデックスを確定し、
前記第１ベクターグループ及び位相集合内の位相係数に基づき、第１サブバンド上の第１プリコーディングマトリックス集合を取得する。
【００４７】
具体的に、第１サブバンド上の第１プリコーディングマトリックス集合の表示情報は、第１ＰＭＩを含み、前記第１ＰＭＩは、第１コードブック内の第１プリコーディングマトリックス集合インデックスであり、前記第１コードブックには、約定したベクターグループ集合及び位相集合に基づいて得られた複数の第１プリコーディングマトリックス集合が含まれ、
前記基地局は、前記第１ＰＭＩに基づき、第１サブバンド上の第１プリコーディングマトリックス集合を確定し、
または、
前記第１サブバンド上の第１プリコーディングマトリックス集合の表示情報は、第１ＰＭＩ及び第２ＰＭＩを含み、前記第１ＰＭＩは、第１コードブック内の第４プリコーディングマトリックス集合のインデックスであり、第２ＰＭＩは、前記第４プリコーディングマトリックス集合内の第１プリコーディングマトリックス集合のインデックスであり、前記第１コードブックには、約定したベクターグループ集合及び位相集合に基づいて得られた複数の第１プリコーディングマトリックス集合が含まれ、前記第４プリコーディングマトリックス集合は、１つ以上の第１プリコーディングマトリックス集合を含み、かつ前記第１コードブックの部分集合であり、
前記基地局は、前記第１ＰＭＩに基づき、及び第２ＰＭＩ第１サブバンド上の第１プリコーディングマトリックス集合を確定する。
【００４８】
前記確定モジュールは、
前記ＰＭＩに基づき、第２プリコーディングマトリックス集合内の第２プリコーディングマトリックスのインデックスを確定し、
前記第２プリコーディングマトリックス及び約定した第３プリコーディングマトリックス集合に基づき、第１サブバンド上の第１プリコーディングマトリックス集合を取得し、前記第１プリコーディングマトリックス集合内の各々プリコーディングマトリックスは、前記第２プリコーディングマトリックスと、第３プリコーディングマトリックス集合内の１つのプリコーディングマトリックスを演算して得られたものである。
【００４９】
具体的に、第１サブバンド上の第１プリコーディングマトリックス集合の表示情報は、第１ＰＭＩを含み、
前記第１ＰＭＩは、第１コードブック内の第１プリコーディングマトリックス集合インデックスであり、前記第１コードブックは、第２プリコーディングマトリックス集合及び第３プリコーディングマトリックス集合に基づいて得られた複数の第１プリコーディングマトリックス集合を含み、１つの第１プリコーディングマトリックス集合は、前記第２プリコーディングマトリックス集合内の各々第２プリコーディングマトリックス及び第３プリコーディングマトリックス集合に基づいて得られたものであり、
前記基地局は、前記第１ＰＭＩに基づき、第１サブバンド上の第１プリコーディングマトリックス集合を確定し、
または、
前記第１サブバンド上の第１プリコーディングマトリックス集合の表示情報は、第１ＰＭＩ及び第２ＰＭＩを含み、前記第１ＰＭＩは、第１コードブック内の第４プリコーディングマトリックス集合のインデックスであり、第２ＰＭＩは、前記第４プリコーディングマトリックス集合内の第１プリコーディングマトリックス集合のインデックスであり、前記第１コードブックは、第２プリコーディングマトリックス集合及び第３プリコーディングマトリックス集合に基づいて得られた複数の第１プリコーディングマトリックス集合を含み、前記第４プリコーディングマトリックス集合は、１つ以上の第１プリコーディングマトリックス集合を含み、かつ前記第１コードブックの部分集合であり、
前記基地局は、前記第１ＰＭＩに基づき、及び第２ＰＭＩ第１サブバンド上の第１プリコーディングマトリックス集合を確定する。
【発明の効果】
【００５０】
本発明の上述実施例によれば、上述実施例に係る端末側のＣＳＩのフィードバック方法で、基地局がプリコーディングする場合、根端末よりフィードバックされたＣＳＩに含まれるＰＭＩに基づき、第１サブバンド上の第１プリコーディングマトリックス集合を確定し、確定された第１プリコーディングマトリックス集合に基づき、第１サブバンド上の物理リソースにおいて伝送されるデータに対し、前記物理リソースに対応するプリコーディングマトリックスを用いて、プリコーディングする。上述実施例において、基地局が第１プリコーディングマトリックス集合内のプリコーディングマトリックスに基づき、各々物理リソースに対し、当該物理リソースに対応する第１プリコーディングマトリックス集合内の１つのプリコーディングマトリックスをプリコーディングし、これは、従来のプリコーディングマトリックス１つのみに基づいてプリコーディングすることと比べ、プリコーディング後のデータがチャネル状態とよりよくマッチングし、チャネル変化によるプリコーディング利得及びＣＱＩへの影響を低減し、チャネル情報の測定をより正確にし、かつ、プリコーディング利得を確保し、検出性能を向上する。
【００５１】
本発明に係る実施例や従来の技術方案をより明確に説明するために、以下に実施例を説明するために必要な図面について簡単に紹介する。無論、以下の説明における図面は本発明に係る実施例の一部であり、当業者は、創造性作業をしないことを前提として、これらの図面に基づいて他の図面を得ることができる。
【図面の簡単な説明】
【００５２】
【図１】従来の技術における単一のユーザーを例とするＭＩＭＯシステムの構成図である。
【図２】従来の技術におけるコードブック方式のプリコーディング技術による伝送の構成図である。
【図３】本発明の実施例に係るＣＳＩフィードバックのフローチャートである。
【図４】本発明の実施例に係るプリコーディングのフローチャートである。
【図５】本発明の実施例に係る端末の構成図である。
【図６】本発明の実施例に係る基地局の構成図である。
【図７】本発明の他の実施例に係る端末の構成図である。
【図８】本発明の他の実施例に係る基地局の構成図である。
【発明を実施するための形態】
【００５３】
以下に本発明に係る実施形態において図面を結合して本発明の実施形態における技術方案について詳細に、完全に説明するが、次に陳述する実施形態は単に本発明のいくつかの実施形態であり、その全てではない。本分野の一般の技術者にとって、創造性的労働をしなくても、これらの実施形態に基づいてその他の実施形態を容易に獲得することができ、全て本発明の保護範囲に属することは明白である。
【００５４】
本発明の技術案は多様な通信システムに応用することができる。例えば、ＧＳＭ(登録商標)（Ｇｌｏｂａｌ Ｓｙｓｔｅｍ ｏｆ Ｍｏｂｉｌｅ ｃｏｍｍｕｎｉｃａｔｉｏｎ）システム、ＣＤＭＡ（Ｃｏｄｅ Ｄｉｖｉｓｉｏｎ Ｍｕｌｔｉｐｌｅ Ａｃｃｅｓｓ）システム、ＷＣＤＭＡ(登録商標)（Ｗｉｄｅｂａｎｄ Ｃｏｄｅ Ｄｉｖｉｓｉｏｎ Ｍｕｌｔｉｐｌｅ Ａｃｃｅｓｓ）システム、ＧＰＲＳ（Ｇｅｎｅｒａｌ Ｐａｃｋｅｔ Ｒａｄｉｏ Ｓｅｒｖｉｃｅ）、ＬＴＥ（Ｌｏｎｇ Ｔｅｒｍ Ｅｖｏｌｕｔｉｏｎ）システム、ＬＴＥ-Ａ（Ａｄｖａｎｃｅｄ ｌｏｎｇ ｔｅｒｍ ｅｖｏｌｕｔｉｏｎ）システム、ＵＭＴＳ（Ｕｎｉｖｅｒｓａｌ Ｍｏｂｉｌｅ Ｔｅｌｅｃｏｍｍｕｎｉｃａｔｉｏｎ Ｓｙｓｔｅｍ）等に応用できる。
【００５５】
また、本発明に係る実施例において、ＵＥは、ＭＳ（Ｍｏｂｉｌｅ Ｓｔａｔｉｏｎ）、移動端末（Ｍｏｂｉｌｅ Ｔｅｒｍｉｎａｌ）、ＭＴ（Ｍｏｂｉｌｅ Ｔｅｌｅｐｈｏｎｅ）、携帯（ｈａｎｄｓｅｔ）及び携帯機器（ｐｏｒｔａｂｌｅ ｅｑｕｉｐｍｅｎｔ）を含むが、それに限られない。当該ユーザー設備は、ＲＡＮ（Ｒａｄｉｏ Ａｃｃｅｓｓ Ｎｅｔｗｏｒｋ，ＲＡＮ）を介して１つまたは複数のコアネットワークと通信することができる。例えば、ユーザー設備は、ＭＴ（Ｃｅｌｌｕｌａｒ  ｐｈｏｎｅとも呼ばれる）、無線通信機能を有するコンピュータなどを含むこともできる。ユーザー設備は、携帯式、ポケット式、手持ち式、コンピュータに内蔵されるかまたは、車載の移動装置であることもできる。
【００５６】
本発明に係る実施例において、基地局（例えば、接続点）は、ＡＮ（Ａｃｃｅｓｓ  Ｎｅｔｗｏｒｋ）で無線インターフェースにおいて、１つまたは複数のセクターを介して無線端末と通信する設備であることができる。基地局は、受信した無線フレームとＩＰ組み分けを相互に転換して、無線端末とＡＮの他の部分間のルーターとすることができる。ここで、ＡＮの他の部分は、ＩＰネットワークを含むことができる。基地局は、無線インターフェースに対する属性管理を協調することができる。例えば、基地局は、ＧＳＭ(登録商標)またはＣＤＭＡの基地局（Ｂａｓｅ Ｔｒａｎｓｃｅｉｖｅｒ Ｓｔａｔｉｏｎ，ＢＴＳ）であってもよいし、ＷＣＤＭＡ(登録商標)の基地局（ＮｏｄｅＢ）であってもよく、ＬＴＥの進化型基地局（ＮｏｄｅＢまたはｅＮＢまたはｅ-ＮｏｄｅＢ，ｅｖｏｌｕｔｉｏｎａｌ Ｎｏｄｅ Ｂ）であってもよいが、本発明をそれに限定しない。
【００５７】
本発明に係る実施例の目的、技術案及びメリットをより明確にするため、以下、本発明に係る実施例の図面を参考しながら、本発明に係る実施例の技術案を明確かつ完全に説明する。説明した実施例は本発明の一部の実施例にすぎず、全部の実施例ではないのが明らかである。本発明の実施例に基づき、当業者は、創造性作業をしない限りに得られた他の実施例は、全部本発明の保護範囲に属する。
【００５８】
ＬＴＥネットワークには、ＭＩＭＯ技術を用いてシステム容量を拡大し、スループットを向上する。図１は単一のユーザーを例とするＭＩＭＯシステム構成ブロック図である。送信端（例えば、基地局）及び受信端（例えば、端末）に複数のアンテナがある。送信端において、入力されたシリアルコードストリームは、一連の前処理（例えば、変調、コーディング、重み付け、およびマッピング）を介していくつかの並列の別個のコードサブストリームに変換され、異なる送信アンテナにより送信される。受信端において、送信アンテナ数により少なくないアンテナグループを介して受信し、推定されたチャネル伝送と送信されたコードサブストリームとの間の所定のコーディング関係にしたがって、多経路受信信号を、空間領域及び時間領域において処理し、こうして、いくつかの送信サブコードストリームを分離し、シリアルデータに変換して出力する。
【００５９】
しかしながら、容量が拡張されるにつれて、チャネルマトリックス内のチャネル間の相関のために干渉も高くなる。端末の実施の複雑さがチャネル間の干渉の影響を受けるのを軽減し、またシステムのオーバヘッドを低減し、ＭＩＭＯシステムの容量を可能な限り改善するために、プリコーディングは、既存の技術に導入される。
【００６０】
ＬＴＥ Ｒｅｌ-８システムには、スペクトル効率を改善するために閉ループプリコーディングが導入されている。コードブックと呼ばれるプリコーディングマトリクスの同じセットは、閉ループプリコーディングに必要とされるように基地局と端末の両方に格納される。端末がセル共通パイロットを使用してチャネル情報を推定した後、所定規則に従ってコードブックから１つのプリコーディングマトリックスを選出し、コードブック内の前記プリコーディングマトリックスのインデックスを、アップリンクチャネルを介して、基地局にフィードバックし、当該インデックスをＰＭＩ（Ｐｒｅｃｏｄｉｎｇ Ｍａｔｒｉｘ Ｉｎｄｉｃａｔｏｒ，プリコーディングマトリックス指示子）とする。基地局は、受信したＰＭＩに基づき、端末に用いられたプリコーディングマトリックスを確定する。端末は、ＰＭＩを報告するともに、対応のＲＩ（Ｒａｎｋ Ｉｎｄｉｃａｔｏｒ，ランク指示子）及びＣＱＩ（Ｃｈａｒｔｅｒｅｄ Ｑｕａｌｉｔｙ Ｉｎｄｉｃａｔｏｒ，チャネル・クオリティ指示子）も報告することにより、基地局が、ダウンリンク伝送のコードワード数、伝送レイヤの数及び各々コードワードに用いられる変調コーディングスキームを確定することができるようになる。
【００６１】
異なる伝送レイヤの数（Ｒａｎｋ）に対応するコードブックのサイズ及び含まれるコードワードが異なる可能性がある。ＬＴＥシステムには、最大で2つのコードワードのダウンリンク伝送がサポートされ、各コードワードは各自異なる変調およびコーディング方式を有することができ、別個のハイブリッド自動再送要求（ＨＡＲＱ）プロセスが各コードワードに対して使用される。ダウンリンク伝送レイヤの数が２より大きければ、１つのコードワードは、複数のデータストリーム（１つのデータストリームが１つのレイヤである）にマッピングすることができる。コードワードとレイヤ間のマッピング関係や事前に約定され、レイヤの数Lが偶数であれば、各々コードワードがマッピングされる伝送レイヤの数はL / 2である。レイヤの数Lが奇数であれば、２つのコードワードがマッピングされるレイヤの数それぞれは(L-１)/２、(L+１)/２である。
【００６２】
図２は、コードブックスキームをベースとするプリコーディング技術を利用する無線ネットワークの構成図であり、基地局２０１と、端末２０２と、無線リンク２０３とを備える。端末２０２及び基地局２０１に複数のアンテナがある。端末２０２と基地局２０１に、同様なプリコーディングマトリックス集合（コードブック）が設定された。端末２０２は、ダウンリンクチャネルを測定して、プリコーディングマトリックスを確定した後、無線リンク２０３を介して、基地局２０１にＣＳＩをフィードバックする。当該ＣＳＩには、基地局と端末の間の無線通信チャネル・クオリティを示すＣＱＩと、送信される信号を整形するための好ましいプリコーディングマトリックスを示すＰＭＩと、端末によって好まれるデータチャネルの有用な送信層の数を示すＲＩと、推定チャネル係数とのうちの１つまたは複数の情報が含まれる。フィードバックされたＣＳＩは、基地局２０１に適応的に適切な送信方式を設定できるようにさせ、カバレッジエリアを改善し、またはユーザデータの伝送率を改善し、または端末２０２への将来の送信のためにチャネル・クオリティをより正確に予測する。
【００６３】
従来のダウンリンクＭＩＭＯフィードバックメカニズムにおけるＣＳＩのフィードバックを提供する端末のシグナリングオーバーヘッドが大きく、特に高いｒａｎｋ伝送の場合、フィードバックオーバヘッドの増大は、性能上の対応する利得を達成することができない。また、従来のコードブック設計の性能は、高速での移動性のシナリオでは大幅に低下するため、伝送効率を保証することはできない。よって、業界では、ＣＳＩのフィードバックを提供する端末のシグナリングオーバーヘッドを低減することが非常に望ましい。
【００６４】
ＣＳＩのフィードバックを提供する端末のシグナリングオーバーヘッドを低減するため、本発明に係る実施例は、チャネル状態情報（ＣＳＩ）のフィードバック案を提供する。当該案はダウンリンクＭＩＭＯ伝送シナリオに適用できる。本発明に係る実施例において、端末は、サブバンドにおいて、サブバンド上のプリコーディングマトリックス集合を確定し、集合内の複数のプリコーディングマトリックスをサブバンドにおける異なる物理リソース上のプリコーディングマトリックスとして、アップリンクＣＱＩ測定を行い、かつ、対応のＣＳＩをフィードバックする。異なる物理リソースにおいて異なるプリコーディングマトリックスを用いてアップリンクプリコーディングを行い、また、確定されたプリコーディングマトリックス集合を示すＰＭＩをフィードバックすることにより、フィードバックオーバヘッドを低減し、高速移動性のシナリオにおける性能を保証することができる。以下、図面を参照しながら、本発明に係る実施例を詳細に説明する。
【００６５】
図３に示す流れを把握するため、まず、図３の流れに現れた技術用語を説明する。
【００６６】
サブバンド（ｓｕｂｂａｎｄ）：ＬＴＥシステムにおける物理レイヤフィードバックチャネル情報の周波数領域の粒度単位である。システム帯域幅は、いくつかのサブバンドに分割されることができ、例えば、システム帯域幅に応じて、サブバンドのサイズは、４、６または８など複数のＰＲＢであることができる。
【００６７】
第１サブバンド：第１帯域幅サイズのサブバンドである。本発明に係る実施例において、第１サブバンドには、１つ以上のＰＲＢ（Ｐｈｙｓｉｃａｌ Ｒｅｓｏｕｒｃｅ Ｂｌｏｃｋ，物理リソースブロック）が含まれることができ、または、第１サブバンドの幅はシステム帯域幅である。端末は、基地局と一緒に、第１サブバンドの帯域幅サイズを事前に約定することができる。
【００６８】
第２サブバンド：第２帯域幅サイズのサブバンドである。本発明に係る実施例において、第２サブバンドには１つ以上のＰＲＢが含まれ、または、第２サブバンドの幅はシステム帯域幅である。端末は、基地局と一緒に、第２サブバンドの帯域幅サイズを事前に約定することができる。
【００６９】
本発明に係る実施例において、第２サブバンドの帯域幅は第１サブバンドの帯域幅より大きいか等しい。
【００７０】
本発明に係る実施例において、第２サブバンドは、第１サブバンドと同じであってもよい。または、第２サブバンドは複数の第１サブバンドを含むことができる。
【００７１】
物理リソース：本発明に係る実施例において、異なる物理リソースは、異なる時間領域リソースであってもよく、異なる周波数領域リソースであってもよい。または、異なる時間領域のリソースの組み合わせであってもよい。具体的に、帯域幅サイズ内の物理リソース（例えば、リソース要素（Ｒｅｓｏｕｒｃｅ Ｅｌｅｍｅｎｔ，ＲＥ）、サブキャリア、ＰＲＢまたは、ＰＲＢ集合、または、データシンボルを伝送するＲＥ、サブキャリア、ＰＲＢまたはＰＲＢ集合）を設定する。
【００７２】
例えば、第１サブバンド内の異なるＰＲＢは、異なる列ベクター排列順によって得られた拡張プリコーディングマトリックスに対応するか、または、第１サブバンドにおけるデータを伝送する異なるＲＥは、異なる列ベクター排列順によって得られた拡張プリコーディングマトリックスに対応する。
【００７３】
ベクターグループ集合：本発明に係る実施例において、第１プリコーディングマトリックス集合を得るためのベクターグループ集合は、端末及び基地局により事前に約定したベクターグループ集合であることができる。例えば、プロトコルに、ベクターグループ集合を明記するか、または、ベクターグループ集合より得られた第１コードブックを明記する。前記第１コードブックに１つ以上の第１プリコーディングマトリックス集合が含まれる。
【００７４】
本発明に係る実施例において、第２プリコーディングマトリックス集合を得るためのベクターグループは、端末及び基地局により事前に約定したベクターグループ集合内のベクターグループであることができる。例えば、プロトコルにベクターグループ集合を明記するか、ベクターグループ集合より得られた第２コードブックを明記する。ここで、第２コードブックに１つ以上の第２プリコーディングマトリックスが含まれる。
【００７５】
本発明に係る実施例において、ベクターグループ集合内の１ベクターグループに１つ以上のベクターが含まれる。グループ内に複数のベクターがあれば、ベクターの間に、固定の位相関係を有し、即ち、ベクターグループ内の１ベクターよりベクターグループ内の他のベクターを得る。本発明の好ましい実施例において、ベクターグループ内の隣接するベクターは、約定したサイズがTであるベクター集合{Vt}において、固定的にD個のベクターが間隔されている。こうして得られたベクターグループ集合内のk番目のベクターグループは、
【００７６】
【数３】
2019512948.tif 000005
【００７７】
である。
本発明の一部の好ましい実施例において、ベクターグループ集合内のベクターグループのベクターは、ＤＦＴ（DiscＲＥte FouＲＩer Transform）ベクターであるか、または、アンテナアレー応答ベクターである。
【００７８】
例えば、ベクターは約定したベクター集合{Vt=Vm}から選出され、
【００７９】
【数４】
2019512948.tif 000006
【００８０】
など。ここで、dはアンテナ間の距離であり、波長を単位とし、Ｍはベクター長である。異なるmは異なるベクターに対応する。例えば、集合内のt番目のベクターVt=Vm、かつ、m=n*(t-１)であり、nは約定した固定整数であり、かつk=１,２,…,(３２/n)である。
【００８１】
説明の便宜のために、本明細書で言及されるマトリックスは、電力の正規化を考慮したものとする。実際の用途では、マトリックスは、電力を変化させないように、対応する電力係数に例えば、1 / 2,1 / 4などを乗算することができる
【００８２】
図３は本発明の実施例に係るＣＳＩのフィードバック方法のフローチャートであり、当該流れは端末において実施されることができる。
【００８３】
図３に示すように、当該流れには、下記ステップを備える。
【００８４】
ステップ３０１において、端末は、ダウンリンク伝送レイヤの数に基づき、ダウンリンク伝送レイヤの数に対応する第１サブバンド上の第１プリコーディングマトリックス集合を取得し、前記第１プリコーディングマトリックス集合には、１つ以上のプリコーディングマトリックスが含まれ、第１サブバンド内の１個の物理リソースは、第１プリコーディングマトリックス集合内の各々プリコーディングマトリックスに対応する。
【００８５】
ここで、ダウンリンク伝送レイヤの数（または、ダウンリンクデータストリーム数とも称され、即ち、ランク指示子ＲＩの値である）は、端末がダウンリンクチャネル情報に基づいて推定し得られることができ、または、端末及び基地局により事前に約定されたものである。
【００８６】
具体的に、第１サブバンド上の第１プリコーディングマトリックス集合内のプリコーディングマトリックスの列数は、ダウンリンク伝送レイヤの数と同様である。
【００８７】
本発明の一部の実施例において、第１サブバンドにおいて、i番目の物理リソースは、第１プリコーディングマトリックス集合内のk番目のプリコーディングマトリックスに対応する。
k=i mod Ｋ
ここで、i=０,１,２…Ｎ，k=０,１,２,３,…,Ｋ-１である。Ｋは、第１プリコーディングマトリックス集合内のプリコーディングマトリックスの数であり、Ｎは第１サブバンド内の物理リソース数である。
または、
k=ceil(i/v) mod Ｋ
であり、ここで、ceil(i/v)はi/vより小さくない最少整数を示し、v=ＲＩまたはvはアンテナポート数であり、i=０,１,２…Ｎ，k=０,１,２,３,…,Ｋ-１，Ｋは、第１プリコーディングマトリックス集合内のプリコーディングマトリックスの数であり、Ｎは第１サブバンド内の物理リソース数である。
【００８８】
具体的に、ステップ３０１は以下の方法で実施されてもよいが、これらに限られない。
【００８９】
方法１：端末は、約定したベクターグループ集合内のベクターグループ及び位相集合内の位相係数に基づき、ダウンリンク伝送レイヤの数に対応する第１サブバンド上の第１プリコーディングマトリックス集合を取得する。
【００９０】
前記ベクターグループ集合には、１つ以上のベクターグループが含まれ、各々ベクターグループは、１つの第１プリコーディングマトリックス集合の取得に用いられる。ベクターグループ集合に複数のベクターグループが含まれれば、異なるベクターグループは、異なる第１プリコーディングマトリックス集合の取得に用いられる。
【００９１】
本発明に係る実施例において、ベクターグループ集合より得られる全部の第１プリコーディングマトリックス集合により構成された集合を、第１コードブックとも呼ばれる。
【００９２】
ここで、位相集合には１つ以上の位相係数が含まれ、１つの位相係数に基づいて１つの第１プリコーディングマトリックス集合内の１つのプリコーディングマトリックスが得られる。位相集合に複数の位相係数が含まれれば、ベクターグループ集合内の１ベクターグループ及び位相集合内の異なる位相係数により、ベクターグループに対応する第１プリコーディングマトリックス集合内の異なるプリコーディングマトリックスを得られる。本発明に係る実施例において、
【００９３】
【数５】
2019512948.tif 000007
【００９４】
で位相集合を示し、
【００９５】
【数６】
2019512948.tif 000008
【００９６】
は、位相集合内の１つの位相係数を示し、０<=n<Ｎ，Ｎは位相集合内の位相係数の数である。
【００９７】
本発明の一部の好ましい実施例において、位相集合は
【００９８】
【数７】
2019512948.tif 000009
【００９９】
である。前記nは整数であり、０<=n<Ｎ、Ｎは位相集合内の位相係数の数である。例えば、n=０,１，Ｎ=２，φ0=1,φ1=jであるか、または、n=０,１,２,３，Ｎ=４，φ0=1,φ1=j,φ2=-1,φ3=-jなどである。
【０１００】
方法１は、約定したベクターグループ集合内のベクターグループ及び位相集合内の位相係数により、第１プリコーディングマトリックス集合を取得する。例えば、約定したベクターグループ集合内の１ベクターグループ{V１,…,Vm,…,VＭ}に、Ｍ個の列ベクターのベクターグループが含まれば、位相集合{φn}にＮ個の位相係数が含まれる。φnは、位相集合内の１つの位相係数を示す。また、ダウンリンク伝送レイヤの数が４であれば、対応するランクＲａｎｋ=４である第１プリコーディングマトリックス集合内のプリコーディングマトリックスは、
【０１０１】
【数８】
2019512948.tif 000010
【０１０２】
などである。
ここで、i１、i２、i３、i４は、１より大きいか等しい、かつＭ小さいか等しい正整数である。
【０１０３】
例えば、i１=i２=１, i３=i４=２, Ｍ=２，Ｎ=１であれば、Ｒａｎｋ=４の第１プリコーディングマトリックス集合内のプリコーディングマトリックスは、
【０１０４】
【数９】
2019512948.tif 000011
【０１０５】
などである。
例えば、i１=１, i２=２, i３= ３, i４=４，Ｍ=２，Ｎ=１であれば、Ｒａｎｋ=４である第１プリコーディングマトリックス集合内のプリコーディングマトリックスは、
【０１０６】
【数１０】
2019512948.tif 000012
【０１０７】
などである。
ダウンリンク伝送レイヤの数が他の値である場合、即ち、Ｒａｎｋが他の値であれば、類似する方法で第１プリコーディングマトリックス集合内のプリコーディングマトリックスを得ることができる。
【０１０８】
例えば、ダウンリンク伝送レイヤの数が３であり、i１=i２=１, i３=２, Ｍ=２，Ｎ=１であれば、Ｒａｎｋ=３である第１プリコーディングマトリックス集合のプリコーディングマトリックスは、
【０１０９】
【数１１】
2019512948.tif 000013
【０１１０】
などである。
i１=i２=１, i３=２, Ｍ=２，Ｎ=１であれば、Ｒａｎｋ=３である第１プリコーディングマトリックス集合のプリコーディングマトリックスは、
【０１１１】
【数１２】
2019512948.tif 000014
【０１１２】
などである。
i１=１，i２=２，i３=３， Ｍ=３，Ｎ=１であれば、Ｒａｎｋ=３である第１プリコーディングマトリックス集合のプリコーディングマトリックスは、
【０１１３】
【数１３】
2019512948.tif 000015
【０１１４】
などである。
または、ダウンリンク伝送レイヤの数Ｒａｎｋ=３に対応する第１プリコーディングマトリックス集合は、ダウンリンク伝送レイヤの数Ｒａｎｋ=４に対応する第１プリコーディングマトリックス集合内のプリコーディングマトリックスそれぞれの前の３列から得られることができる。
【０１１５】
具体的に、方法１において、約定したベクターグループ集合内のベクターグループ及び位相集合内の位相係数に基づき、第１プリコーディングマトリックス集合を得る場合、
１つの位相係数に基づき得られた位相マトリックスと、ベクターグループ集合内の１ベクターグループ内のベクターを、クロネッカー積算し、積載し得られたマトリックス内の列ベクターを用いて第１プリコーディングマトリックス集合内の１つのプリコーディングマトリックスを構成する。
【０１１６】
ここで、１つの位相マトリックスwnは、１つの位相係数
【０１１７】
【数１４】
2019512948.tif 000016
【０１１８】
に基づいて得られる。本発明の一部の好ましい実施例において、位相マトリックスは、
【０１１９】
【数１５】
2019512948.tif 000017
【０１２０】
である。
さらに、上述の、約定したベクターグループ集合内のベクターグループ及び位相集合内の位相係数に基づいて第１プリコーディングマトリックス集合内の１つのプリコーディングマトリックスを得ることは、以下のように得ることができる。
【０１２１】
第１プリコーディングマトリックス集合内の１つのプリコーディングマトリックスの列数は、ダウンリンク伝送レイヤの数と同様であるため、ダウンリンク伝送レイヤの数が偶数（２×Lとし、Lは、１より大きいか等しい整数である）であれば、位相マトリックス
【０１２２】
【数１６】
2019512948.tif 000018
【０１２３】
と、当該ベクターグループ内のL個のベクターを、クロネッカー積算し、得られた列ベクターをカスケードして、列数が２×Lであるマトリックスを得る。当該マトリックスの列数は、ダウンリンク伝送レイヤの数（２×L）と同様であり、当該マトリックス内の全部の列ベクターを選出する。即ち、当該列数が２×Lであるマトリックスは、１つの第１プリコーディングマトリックス集合内の１つのプリコーディングマトリックスとすることができる。ダウンリンク伝送レイヤの数が奇数（２×L+１とする）であれば、位相マトリックス
【０１２４】
【数１７】
2019512948.tif 000019
【０１２５】
と当該ベクターグループ内のL個のベクターを、クロネッカー積算して、２×L個の列ベクターを得、さらに、当該ベクターグループ内の他の１つのベクターを、位相マトリックス
【０１２６】
【数１８】
2019512948.tif 000020
【０１２７】
とクロネッカー積算して、第２×L+１個の列ベクターを得、得られた２×L個の列ベクターと代２×L+１個の列ベクターをカスケードし、列数が２×L+１であるマトリックスを得る。即ち、当該マトリックスの列数は、ダウンリンク伝送レイヤの数（２×L+１）と同様であり、当該マトリックス内の全部の列ベクターを選出する。即ち、当該列数が２×L+１であるマトリックスは、１つの第１プリコーディングマトリックス集合内の１つのプリコーディングマトリックスとすることができる。
【０１２８】
または、上述の、約定したベクターグループ集合内のベクターグループ及び位相集合内の位相係数に基づいて、第１プリコーディングマトリックス集合内の１つのプリコーディングマトリックスを得るのは、以下のように得ることができる。
【０１２９】
当該ベクターグループを{V１,…,Vm,…,VＭ}とすれば、位相係数
【０１３０】
【数１９】
2019512948.tif 000021
【０１３１】
に基づいて得られた位相マトリックス
【０１３２】
【数２０】
2019512948.tif 000022
【０１３３】
と、当該ベクターグループ内のベクターV１,…,Vm,…,VＭぞれぞれをクロネッカー積算して得られたマトリックスは、
【０１３４】
【数２１】
2019512948.tif 000023
【０１３５】
であり、ここで、βは定数電力係数を示す。
得られたマトリックス
【０１３６】
【数２２】
2019512948.tif 000024
【０１３７】
について、ダウンリンク伝送レイヤの数Ｋに基づき、当該マトリックスからＫ個の列ベクターを選出し、１つの第１プリコーディングマトリックス集合内の１つのプリコーディングマトリックスを得る。例えば、ダウンリンク伝送レイヤの数がＫであれば、第１プリコーディングマトリックス集合内の１つのプリコーディングマトリックス（Ｒａｎｋ=Ｋ）は、得られたマトリックス（Ｒａｎｋ=I）からＫ個の列ベクターを選出して得られるものである。ここで、I>Ｋである。
【０１３８】
好ましくは、位相マトリックスと１ベクターグループ内のベクターをクロネッカー積算して得られた１つのマトリックスに対し、ダウンリンク伝送レイヤの数（Ｋとする）に基づき、マトリックス内の前のＫ列の列ベクターを選出し、１つの第１プリコーディングマトリックス集合内の１つのプリコーディングマトリックスを得る。
例えば、位相集合内の位相係数が
【０１３９】
【数２３】
2019512948.tif 000025
【０１４０】
であり、定数電力係数b=1、Ｋはダウンリンク伝送レイヤの数である。ベクターグループ{V１,…,Vm,…,VＭ}内のベクターと
【０１４１】
【数２４】
2019512948.tif 000026
【０１４２】
に基づく位相マトリックス
【０１４３】
【数２５】
2019512948.tif 000027
【０１４４】
を、クロネッカー積算し、マトリックス
【０１４５】
【数２６】
2019512948.tif 000028
【０１４６】
を得る。マトリックスW１内の先頭Ｋ個の列ベクターを選出し、１つの第１プリコーディングマトリックス集合内の１つのプリコーディングマトリックスを得る。
【０１４７】
【数２７】
2019512948.tif 000029
【０１４８】
に基づく位相マトリックス
【０１４９】
【数２８】
2019512948.tif 000030
【０１５０】
をクロネッカー積算し、マトリックス
【０１５１】
【数２９】
2019512948.tif 000031
【０１５２】
を得る。マトリックスW２内の先頭Ｋ個の列ベクターを選出して、他の１つの第１プリコーディングマトリックス集合内の１つのプリコーディングマトリックスを得る。
例えば、位相集合内の位相係数が
【０１５３】
【数３０】
2019512948.tif 000032
【０１５４】
定数電力係数b=1、Ｋはダウンリンク伝送レイヤの数である。一方、ベクターグループ{V１,…,Vm,…,VＭ}と
【０１５５】
【数３１】
2019512948.tif 000033
【０１５６】
に基づく位相マトリックス
【０１５７】
【数３２】
2019512948.tif 000034
【０１５８】
とをクロネッカー積算し、マトリックス
【０１５９】
【数３３】
2019512948.tif 000035
【０１６０】
を得る。マトリックスW１内の先頭Ｋ個の列ベクターを選出し、１つの第１プリコーディングマトリックス集合内の１つのプリコーディングマトリックスを得る。
【０１６１】
【数３４】
2019512948.tif 000036
【０１６２】
に基づく位相マトリックス
【０１６３】
【数３５】
2019512948.tif 000037
【０１６４】
をクロネッカー積算し、マトリックス
【０１６５】
【数３６】
2019512948.tif 000038
【０１６６】
を得る。マトリックスW２内の先頭Ｋ個の列ベクターを選出し、他の１つの第１プリコーディングマトリックス集合内の１つのプリコーディングマトリックスを得る。
よって、ベクターグループ集合内の１ベクターグループ及び位相集合
【０１６７】
【数３７】
2019512948.tif 000039
【０１６８】
内の異なる位相係数
【０１６９】
【数３８】
2019512948.tif 000040
【０１７０】
に基づいて、ベクターグループに対応する第１プリコーディングマトリックス集合内の異なるプリコーディングマトリックスを得ることができ、Ｎは位相集合内の位相係数の数を示す。よって、ベクターグループ集合内の１ベクターグループの場合、Ｎ個のプリコーディングマトリックスを含む第１プリコーディングマトリックス集合を１つ得ることができる。
【０１７１】
ベクターグループ集合には、１つ以上のベクターグループが含まれるため、ステップ３０１において得られた、ダウンリンク伝送レイヤの数に対応する第１サブバンド上の第１プリコーディングマトリックス集合数が複数である可能性がある。
【０１７２】
得られた、ダウンリンク伝送レイヤの数に対応する第１サブバンド上の第１プリコーディングマトリックス集合数が複数である場合、ステップ３０１において得られた第１プリコーディングマトリックス集合について、所定の規則に従い、複数の第１プリコーディングマトリックス集合から１つの第１プリコーディングマトリックス集合を選出する。
【０１７３】
具体的に、端末は、各々第１プリコーディングマトリックス集合を、第１サブバンド内の物理リソースのプリコーディングとし、異なる第１プリコーディングマトリックス集合を計算して得られたチャネル容量、または、伝送ブロックサイズ、または、ＳＩＮＲなどの物理量を比較することにより、複数の第１プリコーディングマトリックス集合から１つの第１プリコーディングマトリックス集合を選出する。ここで、１つの第１プリコーディングマトリックス集合の場合、集合内の異なるプリコーディングマトリックスを、第１サブバンド内の異なる物理リソースにおいてデータシンボルの伝送に用いられるプリコーディングマトリックスとすることにより、対応の物理量を測定し、前記第１プリコーディングマトリックス集合に対応する物理量測定状況を得る。
【０１７４】
方法２：端末は、第２プリコーディングマトリックス及び第３プリコーディングマトリックス集合に基づき、ダウンリンク伝送レイヤの数に対応する第１サブバンド上の第１プリコーディングマトリックス集合を取得し、前記第１プリコーディングマトリックス集合内の各々プリコーディングマトリックスは、第２プリコーディングマトリックス及び第３プリコーディングマトリックス集合内の１つのプリコーディングマトリックスを計算して得られたものである。
【０１７５】
前記第２プリコーディングマトリックスは、第２プリコーディングマトリックス集合内の１つのマトリックスであり、前記第２プリコーディングマトリックス集合は、端末及び基地局により事前に約定されたものである。
【０１７６】
具体的に、第２プリコーディングマトリックスは、約定したベクターグループ集合内の１ベクターグループ内の１ベクターより構成され、または、第２プリコーディングマトリックスは、約定したベクターグループ集合内の１ベクターグループ内の複数のベクターより構成され、または、第２プリコーディングマトリックスは、約定したベクターグループ集合内の１ベクターグループ内の１つ以上のベクター及び０ベクターより構成される。ここで、０ベクターは、すべての要素が０であるベクターである。即ち、第２プリコーディングマトリックスは、ベクターグループ内のベクターであってもよいし、または、第２プリコーディングマトリックスの各々列ベクターは、ベクターグループ内のベクターであるか、または、第２プリコーディングマトリックスの各々列ベクターは、ベクターグループ内のベクター及び０ベクターにより構成される。
【０１７７】
本発明に係る実施例において、約定したベクターグループ集合内のベクターグループ内のベクターに基づいて得られた第２プリコーディングマトリックスより構成された第２プリコーディングマトリックス集合を、第２コードブックとも称する。
【０１７８】
例えば、第２プリコーディングマトリックス集合を得るためのベクターグループをP個の列ベクターが含まれるベクターグループ{V１,…,Vp,…,VP}とし、かつ、ダウンリンク伝送レイヤの数を４（Ｒａｎｋ=４）とすれば、P=１の場合、第２プリコーディングマトリックス集合に含まれる第２プリコーディングマトリックスが
【０１７９】
【数３９】
2019512948.tif 000041
【０１８０】
などである。P=２の場合、第２プリコーディングマトリックス集合に含まれる第２プリコーディングマトリックスは、
【０１８１】
【数４０】
2019512948.tif 000042
【０１８２】
などである。P=４の場合、第２プリコーディングマトリックス集合に含まれる第２プリコーディングマトリックスは、
【０１８３】
【数４１】
2019512948.tif 000043
【０１８４】
などである。
ここで、第３プリコーディングマトリックス集合は、前記端末及び基地局により事前に約定したものである。例えば、プロトコルに事前に定義されたものである。
例えば、第３プリコーディングマトリックス集合は、ブロック対角のマトリックス集合である。
【０１８５】
【数４２】
2019512948.tif 000044
【０１８６】
また、例えば、第３プリコーディングマトリックス集合は、列交換マトリックス集合である。
【０１８７】
【数４３】
2019512948.tif 000045
【０１８８】
また、例えば、第３プリコーディングマトリックス集合は、以下のような他のマトリックス集合である。
【０１８９】
【数４４】
2019512948.tif 000046
【０１９０】
例えば、第３プリコーディングマトリックス集合は、以下のような他のマトリックスである。
【０１９１】
【数４５】
2019512948.tif 000047
【０１９２】
本発明の一部の実施例において、方法２での第２プリコーディングマトリックスと、第３プリコーディングマトリックス集合内の１つのプリコーディングマトリックスの間の演算は、マトリックス積算、または、マトリックス・クロネッカー積算である。
【０１９３】
ここで、方法２での第２プリコーディングマトリックスと、第３プリコーディングマトリックス集合内の１つのプリコーディングマトリックスの間の演算は、その数式は、
【０１９４】
【数４６】
2019512948.tif 000048
【０１９５】
であり、ここで、f(.)は、演算過程を示す。
具体的に、方法２での第２プリコーディングマトリックスと、第３プリコーディングマトリックス集合内の１つのプリコーディングマトリックスの間の演算は、積算であり、数式としては、
【０１９６】
【数４７】
2019512948.tif 000049
【０１９７】
である。または、方法２での第２プリコーディングマトリックスと第３プリコーディングマトリックス集合内の１つのプリコーディングマトリックスの間の演算は、クロネッカー積算であり、数式としては、
【０１９８】
【数４８】
2019512948.tif 000050
【０１９９】
である。
本発明の一部の実施例において、第１プリコーディングマトリックス集合内の、方法２で得られた第１プリコーディングマトリックス集合内のプリコーディングマトリックスのインデックスは、約定した第３プリコーディングマトリックス集合内の、演算により前記プリコーディングマトリックスを得るための第３プリコーディングマトリックスのインデックスである。
【０２００】
物理リソースについて、第１サブバンド内の各々物理リソースは、１つの第１プリコーディングマトリックス集合内のプリコーディングマトリックスに対応する。方法２において、第１サブバンドにおけるT個の連続の物理リソースのうちのi番目の物理リソースに対応するt番目の第１プリコーディングマトリックス集合内のプリコーディングマトリックスは、１つの第２プリコーディングマトリックスと、約定した第３プリコーディングマトリックス集合内のt番目の第３プリコーディングマトリックスを演算して得られたものである。
【０２０１】
具体的に、上述の、第２プリコーディングマトリックス及び第３プリコーディングマトリックス集合に基づいて第１プリコーディングマトリックス集合を得ることは、以下のように得ることができる。
【０２０２】
第２プリコーディングマトリックス集合内のＱ個の第２プリコーディングマトリックス及び第３プリコーディングマトリックス集合に基づき、ダウンリンク伝送レイヤの数に対応する第１サブバンド上のＱ個の第１プリコーディングマトリックス集合を得る。ここで、各々第２プリコーディングマトリックス及び第３プリコーディングマトリックス集合に基づいて、１つの第１プリコーディングマトリックス集合を得る。所定の規則に従い、Ｑ個の第１プリコーディングマトリックス集合から１つの第１プリコーディングマトリックス集合を選出し、前記Ｑは１より大きいか等しい整数である。
【０２０３】
理解されたいのは、ダウンリンク伝送レイヤの数に基づき、第１プリコーディングマトリックス集合内のプリコーディングマトリックスのランク（Ｒａｎｋ）を確定することができ、第１プリコーディングマトリックス集合を演算して、第２プリコーディングマトリックス及び第３プリコーディングマトリックス集合を得ることができる。約定した演算規則により確定されることができるが、本発明は、この以上の例を挙げない。
【０２０４】
ここで、端末が所定の規則に従い、Ｑ個の第１プリコーディングマトリックス集合から１つの第１プリコーディングマトリックス集合を選出することは、方法１での、複数の第１プリコーディングマトリックス集合から１つの第１プリコーディングマトリックス集合を選出する過程と類似し、端末は、各々第１プリコーディングマトリックス集合を、第１サブバンド内の物理リソースのプリコーディングとし、異なる第１プリコーディングマトリックス集合の計算により得られたチャネル容量、または、伝送ブロックサイズ、または、ＳＩＮＲなどの物理量を比較することにより、Ｑ個の第１プリコーディングマトリックス集合から１つの第１プリコーディングマトリックス集合を選出する。ここで、１つの第１プリコーディングマトリックス集合の場合、当該集合内の異なるプリコーディングマトリックスを、第１サブバンド内の異なる物理リソースにおけるデータシンボルの伝送に用いられるプリコーディングマトリックスとすることにより、対応の物理量を測定する。
【０２０５】
本発明の一部の実施例において、上述の、第２プリコーディングマトリックス及び第３プリコーディングマトリックス集合に基づいて第１プリコーディングマトリックス集合を取得することは、以下のように取得することができる。
【０２０６】
所定の規則に従い、第２プリコーディングマトリックス集合から１つの第２プリコーディングマトリックスを選出し、選出された第２プリコーディングマトリックス及び第３プリコーディングマトリックス集合に基づき、ダウンリンク伝送レイヤの数に対応する第１サブバンド上の１つの第１プリコーディングマトリックス集合を得る。
【０２０７】
具体的に、端末は、まず、ダウンリンクチャネル情報に基づいて、第２プリコーディングマトリックス集合から１つの第２プリコーディングマトリックスを選出し、選出された前記第２プリコーディングマトリックスと、第３プリコーディングマトリックス集合を演算して１つの第１プリコーディングマトリックス集合を取得する。ここで、端末は、第２プリコーディングマトリックスを選出する場合、第２プリコーディングマトリックス集合内の第２プリコーディングマトリックスを、第１サブバンド内の物理リソースのプリコーディングとして、異なる第２プリコーディングマトリックスの計算により得られたチャネル容量、伝送ブロックサイズ、ＳＩＮＲなどの物理量を比較することにより、１つの第２プリコーディングマトリックスを選出する。
【０２０８】
本発明の一部の好ましい実施例において、端末は、ダウンリンク伝送レイヤの数に基づき、上記ステップ３０１での、ダウンリンク伝送レイヤの数に対応する第１サブバンド上の第１プリコーディングマトリックス集合を取得した後、得られた第１プリコーディングマトリックス集合内のプリコーディングマトリックス及びプリコーディングマトリックスに対応する列ベクターの排列パターンに基づき、列ベクターを排列し、第１サブバンド上の第５プリコーディングマトリックス集合を取得し、そして、次のステップでの、ダウンリンクチャネル情報及び第１サブバンド上の第５プリコーディングマトリックス集合に基づき、第２サブバンド上のチャネル・クオリティ指示子（ＣＱＩ）を確定する。
【０２０９】
よって、第５プリコーディングマトリックス集合には、第１プリコーディングマトリックス集合内のプリコーディングマトリックスが含まれ、また、第１プリコーディングマトリックス集合内のプリコーディングマトリックスを、プリコーディングマトリックスに対応する列ベクターの排列パターンに基づいて、列ベクター排列した後に得られたプリコーディングマトリックスがさらに含まれる。ここで、列ベクターの排列パターンは、基地局及び端末により事前に約定されたものである。
【０２１０】
例えば、ステップ３０１により得られた第１プリコーディングマトリックス集合内の１つのプリコーディングマトリックスには、４つの列ベクターが含まれ、最初列ベクターの排列パターンが{１,２,３,４}であれば、列ベクターを排列して得られた第５プリコーディングマトリックス集合には、前記プリコーディングマトリックスを、{２,３,４,１}{３,４,１,２}{４,１,２,３}との３種の列ベクターの排列パターンに基づいて得られたプリコーディングマトリックスが含まれる。通常の列ベクターの排列パターンは、{１,２,３,４}、{２,１,４,３}、{３,４,１,２}、{４,３,２,１}などの組み合わせであってもよい。
【０２１１】
ステップ３０２：端末は、ダウンリンクチャネル情報及び第１サブバンド上の第１プリコーディングマトリックス集合に基づき、第２サブバンド上のチャネル・クオリティ指示子（ＣＱＩ）を確定する。
【０２１２】
具体的に、端末は、第１サブバンド内の物理リソースに対応する第１プリコーディングマトリックス集合内のプリコーディングマトリックスに基づき、第２サブバンド内の物理リソースに対応するプリコーディングマトリックスを確定し、また、第２サブバンド内の物理リソースに対応するプリコーディングマトリックスに基づき、第２サブバンド上のＣＱＩを確定する。実施の場合、端末が第２サブバンド内の物理リソースに対応する第２プリコーディングマトリックスに基づいて第２サブバンド上のＣＱＩを確定する場合、端末は、第２サブバンド内の物理リソースにおいてデータを伝送するとき、当該物理リソースに対応する第２プリコーディングマトリックスを用いてプリコーディングをしたとすることにより、第２サブバンド上のＣＱＩを確定する。
【０２１３】
具体的に、第２サブバンドに１つ以上のサブバンドが含まれ、第２サブバンドに１つのみの第１サブバンドが含まれば、例えば、第２サブバンド及び第１サブバンドがともにシステム帯域幅であれば、端末は、第１サブバンド上の第１プリコーディングマトリックス集合内の異なるプリコーディングマトリックスを、第２サブバンド内の異なる物理リソースにおけるデータシンボルの伝送に用いられるプリコーディングマトリックスとし、各々物理リソースのダウンリンクチャネル情報及びプリコーディングマトリックスに基づき、第２サブバンド内の各々物理リソース上の等価ＳＩＮＲを計算し、第２サブバンド内の各々物理リソース上の等価ＳＩＮＲを得た後、第２サブバンドのＣＱＩを計算する。
【０２１４】
第２サブバンドに複数の第１サブバンドが含まれば、端末は、第２サブバンドに含まれる各々サブバンドについて、各々第１サブバンドのために１つの第１プリコーディングマトリックス集合を取得する。ここで、各々第１サブバンドのために第１プリコーディングマトリックス集合を取得する方法は同様であることができる。また、各々第１サブバンドに対し、第１プリコーディングマトリックス集合に基づいて、各々サブバンド内の異なる物理リソースにおけるデータシンボルの伝送に用いられるプリコーディングマトリックスを取得した後、各々物理リソースのダウンリンクチャネル情報及びプリコーディングマトリックスに基づいて、各々第１サブバンド内の各々物理リソース上の等価ＳＩＮＲを計算して、第２サブバンド内の各々物理リソース上の等価ＳＩＮＲを取得し、さらに、第２サブバンドのＣＱＩを計算する。
【０２１５】
ステップ３０３：端末は、ＣＳＩをフィードバックし、前記ＣＳＩには、前記ダウンリンク伝送レイヤの数を示すＲＩと、第１サブバンド上の第１プリコーディングマトリックス集合を示すＰＭＩと、第２サブバンド上のＣＱＩとのうちの１つまたは複数が含まれる。
【０２１６】
具体的に、端末よりフィードバックされたＣＳＩは、基地局により設定されることができる。例えば、基地局は、端末がＣＱＩのみを報告するように設定するか、または、ＲＩ及びＣＱＩを報告するように設定するか、または、ＲＩ、ＰＭＩ及びＣＱＩなどを報告するように設定する。
【０２１７】
ここで、端末が第１サブバンド上の第１プリコーディングマトリックス集合を示すＰＭＩをフィードバックすることは、多様なフィードバック方式で、フィードバックすることができる。以下、ステップ３０１の方法１及び方法２で、第１サブバンド上の第１プリコーディングマトリックス集合を取得する２つの状況の例を挙げて、フィードバック方式を説明する。
【０２１８】
＜状況１＞ステップ３０１の方法１で第１サブバンド上の第１プリコーディングマトリックス集合を取得する。
【０２１９】
当該状況で、第１サブバンド上の第１プリコーディングマトリックス集合を示す、指示方式は、以下の指示方式を含むことができるが、これらに限られない。
【０２２０】
指示方式１：第１サブバンド上の第１プリコーディングマトリックス集合の表示情報には第１ＰＭＩが含まれ、前記第１ＰＭＩは、約定したベクターグループ集合内の第１ベクターグループのインデックスであり、前記第１プリコーディングマトリックス集合は、前記第１ベクターグループに基づき、得られたものである。
【０２２１】
具体的に、端末は、約定したベクターグループ集合内の、第１プリコーディングマトリックス集合を得るためのベクターグループのインデックスを、前記第１プリコーディングマトリックス集合の表示情報とし、即ち、第１ＰＭＩとする。
【０２２２】
本発明の一部の好ましい実施例において、約定したベクターグループ集合内の１つのベクターグループのインデックスは、約定したベクター集合内の、当該ベクターグループ内の１番目の列ベクターのインデックスである。例えば、約定したベクター集合が{V１, V２,…, Vd, … VD}であり、ベクターグループ集合内のi番目のベクターグループの１番目のベクターがVi,１= Vdであれば、i番目のベクターグループに対応するインデックス情報は、即ち、dである。
【０２２３】
指示方式２：第１サブバンド上の第１プリコーディングマトリックス集合の表示情報には、第１ＰＭＩ及び第２ＰＭＩが含まれ、前記第１ＰＭＩは、約定したベクターグループ集合内の１ベクターグループの部分集合のインデックスであり、第２ＰＭＩは、第１ＰＭＩにより示されるベクターグループの部分集合の第１ベクターグループのインデックスであり、前記第１プリコーディングマトリックス集合は、前記第１ベクターグループに基づき得られたものである。
【０２２４】
具体的に、ベクターグループの部分集合と第１ＰＭＩの対応関係、及びベクターグループと第２ＰＭＩの対応関係は、基地局及びＵＥにより事前に設定されたものである。例えば、ベクターグループ集合に３２個のベクターグループがあり、各々ベクターグループの部分集合に重複しない４つのベクターグループが含まれば、総計８個のベクターグループの部分集合があり、第１ＰＭＩ及び第２ＰＭＩ値範囲それぞれは０-７及び０-３である。
【０２２５】
本発明の一部の好ましい実施例において、第２ＰＭＩは、端末により、最近いくつかに、フィードバックしたベクターグループの部分集合の、第１プリコーディングマトリックス集合を得るためのベクターグループのインデックスであることができる。例えば、第２ＰＭＩは、端末が最近にフィードバックしたベクターグループの部分集合内の、第１プリコーディングマトリックス集合を得るためのベクターグループのインデックスであることができる。
【０２２６】
指示方式３：第１サブバンド上の第１プリコーディングマトリックス集合の表示情報には第１ＰＭＩが含まれ、前記第１ＰＭＩは第１コードブック内の前記第１プリコーディングマトリックス集合のインデックスであり、第１コードブックには、約定したベクターグループ集合及び位相集合に基づいて得られた複数の第１プリコーディングマトリックス集合が含まれる。
【０２２７】
本発明の一部の実施例において、端末は、基地局と一緒に第１コードブックを約定し、第１コードブック内の、第１プリコーディングマトリックス集合のインデックス情報を表示情報とする。例えば、第１コードブックに４つの第１プリコーディングマトリックス集合が含まれる場合、当該表示情報は、２ビットを有することにより、４つの集合それぞれを示す。
【０２２８】
指示方式４：第１サブバンド上の第１プリコーディングマトリックス集合の表示情報には、第１ＰＭＩ及び第２ＰＭＩが含まれる。前記第１ＰＭＩは、第１コードブック内の第４プリコーディングマトリックス集合のインデックスである。第２ＰＭＩは、第４プリコーディングマトリックス集合内の、第１プリコーディングマトリックス集合のインデックスである。第１コードブックには、約定したベクターグループ集合及び位相集合に基づいて得られた複数の第１プリコーディングマトリックス集合が含まれる。第４プリコーディングマトリックス集合は、１つ以上の第１プリコーディングマトリックス集合を含み、かつ、第１コードブックの部分集合である。
【０２２９】
具体的に、第４プリコーディングマトリックス集合は、第１コードブック内のマトリックス集合であり、かつ、第１コードブック内の複数の第１プリコーディングマトリックス集合を含む。例えば、１６個の第１プリコーディングマトリックス集合があり、各々第４プリコーディングマトリックス集合に４つの第１プリコーディングマトリックス集合が含まれ、そのうちの１つの第４プリコーディングマトリックス集合内の後ろの２つの第１プリコーディングマトリックス集合は、次の第４プリコーディングマトリックスの先頭２つの第１プリコーディングマトリックス集合と同様であれば、総計８個の第４プリコーディングマトリックス集合を有する。第１ＰＭＩ及び第２ＰＭＩの値範囲はそれぞれ０-７及び０-３である。
【０２３０】
ここで、第４プリコーディングマトリックス集合と第１ＰＭＩの対応関係、及び第１プリコーディングマトリックス集合と第２ＰＭＩの対応関係は、基地局及び端末により事前に約定することができる。
【０２３１】
本発明の一部の好ましい実施例において、第２ＰＭＩは、端末が最近何回にフィードバックした第４プリコーディングマトリックス集合内の、第１プリコーディングマトリックス集合のインデックスである。
【０２３２】
＜状況２＞ステップ３０１の方法２で第１サブバンド上の第１プリコーディングマトリックス集合を取得する。
【０２３３】
当該状況で、第１サブバンド上の第１プリコーディングマトリックス集合を示す。示す方式は、以下の指示方式を有するが、これらに限られない。
【０２３４】
指示方式１：第１サブバンド上の第１プリコーディングマトリックス集合の表示情報には第１ＰＭＩが含まれる。前記第１ＰＭＩは、１つの第２プリコーディングマトリックスの第２プリコーディングマトリックス集合内のインデックスである。第１プリコーディングマトリックス集合は、前記第２プリコーディングマトリックスに基づいて得られたものである。
【０２３５】
指示方式２：第１サブバンド上の第１プリコーディングマトリックス集合の表示情報には、第１ＰＭＩ及び第２ＰＭＩが含まれる。前記第１ＰＭＩは、第２プリコーディングマトリックス集合内の１つの第２プリコーディングマトリックス部分集合のインデックスである。第２ＰＭＩは、第１ＰＭＩにより示された第２プリコーディングマトリックス部分集合ないの、第２プリコーディングマトリックスのインデックスである。第１プリコーディングマトリックス集合は、前記第２プリコーディングマトリックスに基づいて得られたものである。
【０２３６】
具体的に、第２プリコーディングマトリックス部分集合と第１ＰＭＩの対応関係，及び第２プリコーディングマトリックスと第２ＰＭＩの対応関係は、基地局及びＵＥにより事前に設定されたものである。例えば、各々第２プリコーディングマトリックス部分集合に４つの第２プリコーディングマトリックスが含まれ、総計４つの第２プリコーディングマトリックス部分集合があれば、第１ＰＭＩ及び第２ＰＭＩ値の範囲は０-３である。
【０２３７】
本発明の一部の好ましい実施例において、第２ＰＭＩは、端末が最近何回にフィードバックした第２プリコーディングマトリックス部分集合内の、第１プリコーディングマトリックス集合を得るための第２プリコーディングマトリックスのインデックスである。
【０２３８】
指示方式３：第１サブバンド上の第１プリコーディングマトリックス集合の表示情報には第１ＰＭＩが含まれる。前記第１ＰＭＩは、第１コードブック内の第１プリコーディングマトリックス集合インデックスである。第１コードブックは、第２プリコーディングマトリックス集合及び第３プリコーディングマトリックス集合に基づいて得られた複数の第１プリコーディングマトリックス集合を含む。１つの第１プリコーディングマトリックス集合は、前記第２プリコーディングマトリックス集合内の各々第２プリコーディングマトリックス及び第３プリコーディングマトリックス集合に基づいて得られたものである。
【０２３９】
指示方式４：第１サブバンド上の第１プリコーディングマトリックス集合の表示情報には、第１ＰＭＩ及び第２ＰＭＩが含まれる。前記第１ＰＭＩは、第１コードブック内の第４プリコーディングマトリックス集合のインデックスである。第２ＰＭＩは、第４プリコーディングマトリックス集合内内の、第１プリコーディングマトリックス集合のインデックスである。第１コードブックは、第２プリコーディングマトリックス集合及び第３プリコーディングマトリックス集合に基づいて得られた複数の第１プリコーディングマトリックス集合を含む。第４プリコーディングマトリックス集合は、１つ以上の第１プリコーディングマトリックス集合を含み、かつ、第１コードブックの部分集合である。
【０２４０】
ここで、以上に例示した端末がフィードバックする２つのＰＭＩにおいて、第１ＰＭＩは、長期間広帯域情報であり、通常は、広帯域フィードバックであり、かつ、報告周期が長い。第２ＰＭＩは、短期間サブバンド情報であり、サブバンドフィードバックであり、かつ報告周期は、第１ＰＭＩより短い。
【０２４１】
本発明の一部の実施例において、第２サブバンドがシステム帯域幅であり、第２サブバンドには複数の第１サブバンドが含まれば、端末は、各々第１サブバンド上の第１プリコーディングマトリックス集合表示情報それぞれをフィードバックし、または、そのうちの１つの第１サブバンドを選出し、かつ、当該サブバンドのインデックス及び当該サブバンドの第１プリコーディングマトリックス集合表示情報を、基地局にフィードバックする。例えば、端末は、第１プリコーディングマトリックス集合に基づいて得られたチャネル・クオリティが最優である第１サブバンドを選出して、フィードバックすることができる。
【０２４２】
よって、本発明に係る実施例のＣＳＩ方法によれば、端末は、サブバンドにおいて、サブバンド上のプリコーディングマトリックス集合を確定し、集合内の複数のプリコーディングマトリックスをサブバンドにおける異なる物理リソース上のプリコーディングマトリックスとして、アップリンクＣＱＩ測定を行い、かつ、対応のＣＳＩをフィードバックする。
【０２４３】
本発明の実施例に係るＣＳＩ方法において、端末は、各々リソースにおいて実に用いるプリコーディングマトリックスではなく、第１プリコーディングマトリックス集合のインデックスのみを報告するため、従来の閉ループ伝送と比べれば、フィードバックシグナリングオーバヘッドを低減することができる。第１プリコーディングマトリックス集合に基づきＣＳＩを測定することは、従来のプリコーディングマトリックス１つのみに基づいてＣＳＩを測定することと比べ、ＣＳＩとチャネル状態のマッチングを向上することができる。また、端末が用いる、ビームに対応するインデックスを報告することにより、基地局がダウンリンクプリコーディングを行う場合、ビームフォーミング利得及びプリコーディング利得を取得することができ、従来の開ループ伝送より、性能が優れる。
【０２４４】
また、本発明の実施例に係るＣＳＩ方法において、端末は、異なる物理リソースにおいて異なるプリコーディングマトリックスを用いてプリコーディングを行うことにより、チャネル変化によるプリコーディング利得及びＣＱＩへの影響を低減し、チャネル情報の測定をより正確にし、かつ、プリコーディング利得を確保し、検出性能を向上する。特に高速の場合、本発明に係る実施例の技術は、従来のＭＩＭＯ伝送と比べると、性能を著しく向上することができる。よって、本発明の実施例に係るＣＳＩ方法は、フィードバックオーバヘッドを低減する以上、高速移動性のシナリオにおける性能を保証することもできる。
【０２４５】
本発明の実施例に係るＣＳＩのフィードバック方法をより詳細に説明するため、以下、図３の方法流れを参照しながら、本発明の実施例に係るＣＳＩのフィードバック方法について、例を挙げて説明する。
【０２４６】
例１：ダウンリンク伝送レイヤの数Ｒａｎｋ=２であり、ベクターグループ集合内の１ベクターグループは、{Vm, Vm’}である。ここで、１ベクターは、
【０２４７】
【数４９】
2019512948.tif 000051
【０２４８】
であり、位相係数は、
【０２４９】
【数５０】
2019512948.tif 000052
【０２５０】
である。位相係数に基づいて得られた位相マトリックスは、
【０２５１】
【数５１】
2019512948.tif 000053
【０２５２】
であり、n=０,１である。よって、位相マトリックス数は２であり、それぞれは、
【０２５３】
【数５２】
2019512948.tif 000054
【０２５４】
である。
ベクターグループ{Vm, Vm’}に対応する１つの第１プリコーディングマトリックス集合は、以下のように取得する。
ベクターグループ{Vm, Vm’}内の１ベクター
【０２５５】
【数５３】
2019512948.tif 000055
【０２５６】
と、２つの位相マトリックスを演算して、２つのプリコーディングマトリックスを得、以下の数式で示す。
【０２５７】
【数５４】
2019512948.tif 000056
【０２５８】
（前記n=０,１）。当該２つのマトリックスは、１つの第１プリコーディングマトリックス集合を構成する。
【０２５９】
第１プリコーディングマトリックス集合の示す方法１：
第１プリコーディングマトリックス集合は、第１ＰＭＩにより示される。当該ＰＭＩは、ベクターグループ集合内の、前記第１プリコーディングマトリックス集合の取得に用いられるベクターグループ{Vm, Vm’}のインデックスである。
【０２６０】
第１プリコーディングマトリックス集合の示す方法２：
第１プリコーディングマトリックス集合、第１ＰＭＩ（表１のi１）及び第２ＰＭＩ（表１のi２）により、識別される。即ち、i１及びi２は、１つの第１プリコーディングマトリックス集合を示す。ここで、i１は、前記第１コードブック内の、第１コードブック内の１つの部分集合のインデックス（１つの部分集合は、４つの第１プリコーディングマトリックス集合を含む）である。i２は、i１が示す部分集合内の第１プリコーディングマトリックス集合のインデックスである。
【０２６１】
１つの第１プリコーディングマトリックス集合には、当該集合内の、プリコーディングマトリックスのインデックスは、第３インデックス（表１内のi３）である。
【０２６２】
【表１】
2019512948.tif 000057
【０２６３】
例２：ダウンリンク伝送レイヤの数Ｒａｎｋ=２であり、ベクターグループ集合内の１ベクターグループは{Vm, Vm’}である。そのうちの１つのベクターは、
【０２６４】
【数５５】
2019512948.tif 000058
【０２６５】
であり、位相係数は、
【０２６６】
【数５６】
2019512948.tif 000059
【０２６７】
である。位相係数に基づいて得られた位相マトリックスは、
【０２６８】
【数５７】
2019512948.tif 000060
【０２６９】
であり、n=０,１である。よって、位相マトリックスの数は２であり、それぞれは、
【０２７０】
【数５８】
2019512948.tif 000061
【０２７１】
である。
ベクターグループ
{Vm, Vm’}
に対応する１つの第１プリコーディングマトリックス集合は、以下の通りに取得することができる。
ベクターグループ
{Vm, Vm’}内の１ベクタ
【０２７２】
【数５９】
2019512948.tif 000062
【０２７３】
を、２つの位相マトリックスそれぞれと演算して、２つのプリコーディングマトリックスを得、下記数式で示す。
【０２７４】
【数６０】
2019512948.tif 000063
【０２７５】
（前記n=０,１）。この２つのマトリックスは、１つの第１プリコーディングマトリックス集合を構成する。
【０２７６】
第１プリコーディングマトリックス集合は、第１ＰＭＩにより示され、当該ＰＭＩは、ベクターグループ集合内の、前記第１プリコーディングマトリックス集合の取得に用いられるベクターグループ{Vm, Vm’}のインデックスである。
【０２７７】
１つの第１プリコーディングマトリックス集合いは、集合内の、プリコーディングマトリックスのインデックスは、第３インデックス（表２のi３）である。
【０２７８】
【表２】
2019512948.tif 000064
【０２７９】
例３：ダウンリンク伝送レイヤの数Ｒａｎｋ=２であり、ベクターグループ集合内の１ベクターグループは、
{Vm, Vm’}
であり、そのうちの１ベクターは、
【０２８０】
【数６１】
2019512948.tif 000065
【０２８１】
であり、位相マトリックスの数は２であり、それぞれは、
【０２８２】
【数６２】
2019512948.tif 000066
【０２８３】
である。ベクターグループ
{Vm, Vm’}
に対応する１つの第１プリコーディングマトリックス集合は、以下の通りに取得することができる。
ベクターグループ
{Vm, Vm’}
内の１ベクター
【０２８４】
【数６３】
2019512948.tif 000067
【０２８５】
を、２つの位相マトリックスとそれぞれに演算して、２つのプリコーディングマトリックスを得、以下の数式で示す。
【０２８６】
【数６４】
2019512948.tif 000068
【０２８７】
この２つのマトリックスは、１つの第１プリコーディングマトリックス集合を構成する。
【０２８８】
第１プリコーディングマトリックス集合は、第１ＰＭＩにより示され、当該ＰＭＩは、ベクターグループ集合内の、前記第１プリコーディングマトリックス集合の取得に用いられるベクターグループ{Vm, Vm’}のインデックスである。
【０２８９】
１つの第１プリコーディングマトリックス集合には、当該集合内の、プリコーディングマトリックスのインデックスは、第３インデックス（表３内のi３）である。
【０２９０】
【表３】
2019512948.tif 000069
【０２９１】
例４：ダウンリンク伝送レイヤの数Ｒａｎｋ=４であり、第２プリコーディング集合内の１つの第２プリコーディングマトリックスは、
【０２９２】
【数６５】
2019512948.tif 000070
【０２９３】
であり、
第３プリコーディングマトリックス集合は、
Zn
である。
ここで、Znは、事前に定義したマトリックス集合から選出する。
【０２９４】
【表４】
2019512948.tif 000071
【０２９５】
第２プリコーディングマトリックスは、
【０２９６】
【数６６】
2019512948.tif 000072
【０２９７】
である。対応する１つの第１プリコーディングマトリックス集合は、第２プリコーディングマトリックスと、第３プリコーディングマトリックス集合Znを、下記数式とおりに演算して、得られる。
【０２９８】
【数６７】
2019512948.tif 000073
【０２９９】
第１プリコーディングマトリックス集合は、第１ＰＭＩにより示され、当該ＰＭＩは、第２プリコーディングマトリックス集合内の、前記第１プリコーディングマトリックス集合の取得に用いられる第２プリコーディングマトリックス
【０３００】
【数６８】
2019512948.tif 000074
【０３０１】
のインデックスである。
１つの第１プリコーディングマトリックス集合には、当該集合内の、プリコーディングマトリックスのインデックスは、第３インデックス（表４内のi３）である。さらに、i３は、第３プリコーディングマトリックス集合Zn内の、前記第１プリコーディングマトリックス集合の取得に用いられる第３プリコーディングマトリックスのインデックスである。
【０３０２】
【表５】
2019512948.tif 000075
【０３０３】
例５：ダウンリンク伝送レイヤの数Ｒａｎｋ=４であり、第２プリコーディング集合内の１つの第２プリコーディングマトリックスは、
【０３０４】
【数６９】
2019512948.tif 000076
【０３０５】
であり、第３プリコーディングマトリックス集合は、Znである。
ここで、Znは、事前に定義したマトリックス集合から選出される。例えば、
【０３０６】
【表６】
2019512948.tif 000077
【０３０７】
第２プリコーディングマトリックスは、
【０３０８】
【数７０】
2019512948.tif 000078
【０３０９】
である。対応の１つの第１プリコーディングマトリックス集合は、第２プリコーディングマトリックスと第３プリコーディングマトリックス集合Znを、下記の数式で演算して得られる。
【０３１０】
【数７１】
2019512948.tif 000079
【０３１１】
第１プリコーディングマトリックス集合は、第１ＰＭＩにより示され、当該ＰＭＩは、第２プリコーディングマトリックス集合内の、前記第１プリコーディングマトリックス集合の取得に用いられる第２プリコーディングマトリックス
【０３１２】
【数７２】
2019512948.tif 000080
【０３１３】
のインデックスである。
１つの第１プリコーディングマトリックス集合には、当該集合内の、プリコーディングマトリックスのインデックスは、第３インデックス（表５のi３）である。さらに、i３は、第３プリコーディングマトリックス集合Zn内の、前記第１プリコーディングマトリックス集合の取得に用いられる第３プリコーディングマトリックスのインデックスである。
【０３１４】
【表７】
2019512948.tif 000081
【０３１５】
例６：ダウンリンク伝送レイヤの数Ｒａｎｋ=４である。第２プリコーディング集合内の１つの第２プリコーディングマトリックスは、
【０３１６】
【数７３】
2019512948.tif 000082
【０３１７】
である。第３プリコーディングマトリックス集合は、
Zn
である。
ここで、Znは、事前に定義したマトリックス集合から選出される。例えば、
【０３１８】
【表８】
2019512948.tif 000083
【０３１９】
第２プリコーディングマトリックスは、
【０３２０】
【数７４】
2019512948.tif 000084
【０３２１】
である。対応の１つの第１プリコーディングマトリックス集合は、第２プリコーディングマトリックスと第３プリコーディングマトリックス集合Znを、下記の数式で演算して得られる。
【０３２２】
【数７５】
2019512948.tif 000085
【０３２３】
第１プリコーディングマトリックス集合は、第１ＰＭＩにより示され、当該ＰＭＩは、第２プリコーディングマトリックス集合内の、前記第１プリコーディングマトリックス集合の取得に用いられる第２プリコーディングマトリックス
【０３２４】
【数７６】
2019512948.tif 000086
【０３２５】
のインデックスである。
１つの第１プリコーディングマトリックス集合には、当該集合内の、プリコーディングマトリックスのインデックスは、第３インデックス（表６のi３）である。さらに、i３は、第３プリコーディングマトリックス集合Zn内の、前記第１プリコーディングマトリックス集合の取得に用いられる第３プリコーディングマトリックスのインデックスである。
【０３２６】
【表９】
2019512948.tif 000087
【０３２７】
本発明の他の実施例は、プリコーディング方法を提供する。
図４は本発明の他の実施例にかかるプリコーディング方法のフローチャートである。当該流れは、基地局において実施され、当該流れは、下記ステップを備える。
【０３２８】
ステップ４０１において、基地局は、端末よりフィードバックされたチャネル状態情報（ＣＳＩ）を受信し、前記ＣＳＩには、第１サブバンド上の第１プリコーディングマトリックス集合を示すＰＭＩが含まれる。
【０３２９】
ステップ４０２において、基地局は、前記ＰＭＩに基づき、第１サブバンド上の第１プリコーディングマトリックス集合を確定し、前記第１プリコーディングマトリックス集合には、１つ以上のプリコーディングマトリックスが含まれ、第１サブバンド内の１個の物理リソースは、第１プリコーディングマトリックス集合内の各々プリコーディングマトリックスに対応する。
【０３３０】
ステップ４０３において、基地局は、第１プリコーディングマトリックス集合に基づき、第１サブバンド上の物理リソースにおいて伝送されるデータに対し、前記物理リソースに対応するプリコーディングマトリックスを用いて、プリコーディングする。
【０３３１】
具体的に、端末における、ＣＱＩの測定及びＣＳＩのフィードバック方法は、上記端末側の方法実施例と類似し、ここで、繰り返して説明しない。勿論、端末は、他の方式で、ＣＱＩ測定及びＣＳＩフィードバックを行うこともできる。
【０３３２】
前記第１サブバンド、第２サブバンドの定義、ベクターグループの定義及び設定は、前の実施例と同様であり、ここで、繰り返して説明しない。
【０３３３】
ここで、基地局が、第１サブバンド上の第１プリコーディングマトリックス集合の表示情報に基づき、第１プリコーディングマトリックス集合を確定する場合、前記端末側の方法実施例中の端末よりフィードバックされた第１サブバンド上の第１プリコーディングマトリックス集合の表示情報に応じて、調整することができる。基地局が第１プリコーディングマトリックス集合を確定する流れは、上記端末側におけるＣＳＩのフィードバック方法の実施例のステップ１を参考することができる。
【０３３４】
また、第１サブバンドにおいて、物理リソースと第１プリコーディングマトリックス集合内のプリコーディングマトリックスの対応関係、物理リソースの定義も、上記実施例の流れと類似するため、ここで、繰り返して説明しない。
【０３３５】
同様な技術思想に基づき、本発明に係る実施例は、端末をさらに提供する。
図５は本発明の実施例に係る端末の構成図である。当該端末は、上記端末側におけるＣＳＩフィードバック流れを実施することができる。
【０３３６】
図５に示すように、本発明の実施例に係る端末は、
ダウンリンク伝送レイヤの数に基づき、前記ダウンリンク伝送レイヤの数に対応する第１サブバンド上の第１プリコーディングマトリックス集合を取得し、前記第１プリコーディングマトリックス集合には、１つ以上のプリコーディングマトリックスが含まれ、第１サブバンド内の１個の物理リソースは、第１プリコーディングマトリックス集合内の各々プリコーディングマトリックスに対応する第１確定モジュール５０１と、
ダウンリンクチャネル情報及び第１サブバンド上の第１プリコーディングマトリックス集合に基づき、第２サブバンド上のチャネル・クオリティ指示子（ＣＱＩ）を確定する第２確定モジュール５０２と、
ＣＳＩをフィードバックする，前記ＣＳＩには、前記ダウンリンク伝送レイヤの数を示すＲＩと、第１サブバンド上の第１プリコーディングマトリックス集合を示すＰＭＩと、第２サブバンド上のＣＱＩとのうちの１つまたは複数が含まれるフィードバックモジュール５０３とを備える。
【０３３７】
具体的に、図５に示す端末は、上記端末側の方法実施例を実施することができ、具体的な実施は、端末側の方法実施例と類似し、ここで、繰り返して説明しない。
【０３３８】
前記第１サブバンド、第２サブバンドの定義、ベクターグループの定義及び設定は、上記実施例と同様であるため、ここで、繰り返して説明しない。第１サブバンドにおいて、物理リソースと第１プリコーディングマトリックス集合内のプリコーディングマトリックスの対応関係、物理リソースの定義も、上記実施例の流れと類似するため、ここで、繰り返して説明しない。
【０３３９】
同様な技術思想に基づき、本発明に係る実施例は、基地局をさらに提供する。
図６は本発明の実施例に係る基地局の構成図である。当該基地局は、上記基地局側におけるプリコーディング流れを実施することができる。
【０３４０】
図６に示すように、本発明の実施例に係る基地局は、
端末よりフィードバックされたチャネル状態情報（ＣＳＩ）を受信し、前記ＣＳＩには、第１サブバンド上の第１プリコーディングマトリックス集合を示すＰＭＩが含まれる受信モジュール６０１と、
前記ＰＭＩに基づき、第１サブバンド上の第１プリコーディングマトリックス集合を確定し、前記第１プリコーディングマトリックス集合には、１つ以上のプリコーディングマトリックスが含まれ、第１サブバンド内の１個の物理リソースは、第１プリコーディングマトリックス集合内の各々プリコーディングマトリックスに対応する確定モジュール６０２と、
前記第１プリコーディングマトリックス集合に基づき、第１サブバンド上の物理リソースにおいて伝送されるデータに対し、前記物理リソースに対応するプリコーディングマトリックスを用いて、プリコーディングするプリコーディングモジュール６０３とを備える。
【０３４１】
具体的に、図６に示す基地局は、上記基地局側の方法実施例を実施し、具体的な実施は上記基地局側の方法実施例と類似するため、ここで、繰り返して説明しない。
【０３４２】
前記第１サブバンド、第２サブバンドの定義、ベクターグループの定義及び設定は、上記実施例と同様であるため、ここで、繰り返して説明しない。第１サブバンドにおいて、物理リソースと第１プリコーディングマトリックス集合内のプリコーディングマトリックスの対応関係、物理リソースの定義も、上記実施例の流れと類似するため、ここで、繰り返して説明しない。
【０３４３】
同様な技術思想に基づき、本発明の他の実施例は、端末をさらに提供する。当該端末は、前記端末側におけるＣＳＩフィードバック流れを実施する。
図７は本発明の実施例に係る端末の構成図である。当該端末は、上記端末側におけるＣＳＩフィードバック流れを実施する。図に示すように、当該端末は、プロセッサ７０１と、メモリ７０２と、通信モジュール７０３と、バスインターフェースとを備える。
【０３４４】
プロセッサ７０１は、バスアーキテクチャ及び通常の処理を管理し、メモリ７０２は、プロセッサ７０１が動作する際に利用するデータを記憶することができる。通信モジュール７０３は、プロセッサ７０１の制御によりデータを送受信する。
【０３４５】
バスアーキテクチャは、いずれの数の相互接続するバス及びブリッジを備える。具体的に、プロセッサ７０１が代表となる１つまたは複数のプロセッサ及びメモリ７０２が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースは、インターフェースを提供する。プロセッサ７０１は、バスアーキテクチャ及び通常の処理を管理し、メモリ７０２は、プロセッサ７０１が動作する際に利用するデータを記憶することができる。
【０３４６】
本発明に係る実施例により開示されたユーザー装置側の周波数ドメインにおける拡散伝送流れは、プロセッサ７０１に適用することができるか、または、プロセッサ７０１により実現される。実現の間、周波数ドメインにおける拡散伝送流れにおける各々ステップは、プロセッサ７０１内のハードウェアの論理集積回路またはソフトウェア形式の指令により完成されることができる。プロセッサ７０１、汎用プロセッサ、デジタル信号プロセッサ、専用集積回路、フィールドプログラマブル・ゲートアレイまたはたのプログラマブルロジック・デバイス、ディスクリート・ゲートまたはトランジスタロジック・デバイス 、ディスクリート・ハードウェアコンポネントであることができ、本発明に係る実施例により開示した各々方法、ステップ及びロジックブロック図を実現・執アップリンクすることができる。汎用プロセッサはマイクロプロセッサまたはいずれのノーマルプロセッサなどであることができる。本発明に係る実施例に開示された方法のステップを参照すれば、ハードウェアプロセッサにより直接に執アップリンクして完成するか、または、プロセッサ内のハードウェア及びソフトウェアモジュールの組み合わせにより執アップリンクされて完成することができる。ソフトウェアモジュールは、ランダムメモリ、フラッシュメモリ、リードオンリーメモリ，プログラマブルリードオンリーメモリまたは電気的消去可能プログラマブルメモリ、レジスタなど本分野のよく知られる記憶媒体に格納されることができる。当該記憶媒体はメモリ７０２に位置し、プロセッサ７０１はメモリ７０２に格納される情報を読み出して、そのハードウェアと協働して周波数ドメインにおける拡散伝送のステップを完成する。
【０３４７】
図７の端末は、含まれるプロセッサ７０１、メモリ７０２、通信モジュール７０３及びバスインターフェースにより、上記端末側のＣＳＩのフィードバック方法実施例に記載した流れを実施することができる。
【０３４８】
同様な技術思想に基づき、本発明の他の実施例は、基地局をさらに提供し、当該基地局は、上記基地局側におけるプリコーディング流れを実施する。
図８は本発明の実施例に係る基地局の構成図である。当該基地局は、上記基地局側のプリコーディング流れを実施する。図に示すように、当該基地局は、プロセッサ８０１と、メモリ８０２と、通信インターフェース８０３と、バスインターフェースとを備える。
【０３４９】
プロセッサ８０１は、バスアーキテクチャ及び通常の処理を管理し、メモリ８０２は、プロセッサ８０１が動作する際に利用するデータを記憶することができる。通信インターフェース８０３は、プロセッサ８０１の制御によりデータを送受信する。
【０３５０】
バスアーキテクチャは、いずれの数の相互接続するバス及びブリッジを備える。具体的に、プロセッサ８０１が代表となる１つまたは複数のプロセッサ及びメモリ８０２が代表となるメモリの多様な回路により接続される。バスアーキテクチャは、外部設備、電圧レギュレーター及び電力管理回路等の他の回路を接続することもできる。これらは、当該分野の周知技術であるため、本発明において、詳細に説明しない。バスインターフェースは、インターフェースを提供する。プロセッサ８０１は、バスアーキテクチャ及び通常の処理を管理し、メモリ８０２は、プロセッサ８０１が動作する際に利用するデータを記憶することができる。
【０３５１】
本発明に係る実施例により開示されたユーザー装置側の周波数ドメインにおける拡散伝送流れは、プロセッサ８０１に適用することができるか、または、プロセッサ８０１により実現される。実現の間、周波数ドメインにおける拡散伝送流れにおける各々ステップは、プロセッサ８０１内のハードウェアの論理集積回路またはソフトウェア形式の指令により完成されることができる。プロセッサ８０１は、汎用プロセッサ、デジタル信号プロセッサ、専用集積回路、フィールドプログラマブル・ゲートアレイまたはたのプログラマブルロジック・デバイス、ディスクリート・ゲートまたはトランジスタロジック・デバイス、ディスクリート・ハードウェアコンポネントであることができ、本発明に係る実施例により開示した各々方法、ステップ及びロジックブロック図を実現・執アップリンクすることができる。汎用プロセッサはマイクロプロセッサまたはいずれのノーマルプロセッサなどであることができる。本発明に係る実施例に開示された方法のステップを参照すれば、ハードウェアプロセッサにより直接に執アップリンクして完成するか、または、プロセッサ内のハードウェア及びソフトウェアモジュールの組み合わせにより執アップリンクされて完成することができる。ソフトウェアモジュールは、ランダムメモリ、フラッシュメモリ、リードオンリーメモリ，プログラマブルリードオンリーメモリまたは電気的消去可能プログラマブルメモリ、レジスタなど本分野のよく知られる記憶媒体に格納されることができる。当該記憶媒体はメモリ１８０２に位置し、プロセッサ８０１はメモリ８０２に格納される情報をよみだして、そのハードウェアと協働して周波数ドメインにおける拡散伝送のステップを完成する。
【０３５２】
本分野の技術者として、本発明の実施形態が、方法、システム或いはコンピュータプログラム製品を提供できるため、本発明は完全なハードウェア実施形態、完全なソフトウェア実施形態、またはソフトウェアとハードウェアの両方を結合した実施形態を採用できることがかわるはずである。さらに、本発明は、一つ或いは複数のコンピュータプログラム製品の形式を採用できる。当該製品はコンピュータ使用可能なプログラムコードを含むコンピュータ使用可能な記憶媒体（ディスク記憶装置、ＣＤ-ＲＯＭ、光学記憶装置等を含むがそれとは限らない）において実施する。
【０３５３】
以上は本発明の実施形態の方法、装置（システム）、およびコンピュータプログラム製品のフロー図および／またはブロック図によって、本発明を記述した。理解すべきことは、コンピュータプログラム指令によって、フロー図および／またはブロック図における各フローおよび／またはブロックと、フロー図および／またはブロック図におけるフローおよび／またはブロックの結合を実現できる。プロセッサはこれらのコンピュータプログラム指令を、汎用コンピュータ、専用コンピュータ、組込み式処理装置、或いは他のプログラム可能なデータ処理装置設備の処理装置器に提供でき、コンピュータ或いは他のプログラム可能なデータ処理装置のプロセッサは、これらのコンピュータプログラム指令を実アップリンクし、フロー図における一つ或いは複数のフローおよび／またはブロック図における一つ或いは複数のブロックに指定する機能を実現する。
【０３５４】
これらのコンピュータプログラム指令は又、コンピュータ或いは他のプログラム可能なデータ処理装置を特定方式で動作させるコンピュータ読取記憶装置に記憶できる。これによって、指令を含む装置は当該コンピュータ読取記憶装置内の指令を実アップリンクでき、フロー図における一つ或いは複数のフローおよび／またはブロック図における一つ或いは複数のブロックに指定する機能を実現する。
【０３５５】
これらコンピュータプログラム指令はさらに、コンピュータ或いは他のプログラム可能なデータ処理装置設備に実装もできる。コンピュータプログラム指令が実装されたコンピュータ或いは他のプログラム可能設備は、一連の操作ステップを実アップリンクすることによって、関連の処理を実現し、コンピュータ或いは他のプログラム可能な設備において実アップリンクされる指令によって、フロー図における一つ或いは複数のフローおよび／またはブロック図における一つ或いは複数のブロックに指定する機能を実現する。
【０３５６】
上述した実施形態に記述された技術的な解決手段を改造し、或いはその中の一部の技術要素を置換することもできる。そのような、改造と置換は本発明の各実施形態の技術の範囲から逸脱するとは見なされない。
【０３５７】
無論、当業者によって、上述した実施形態に記述された技術的な解決手段を改造し、或いはその中の一部の技術要素を置換することもできる。そのような、改造と置換は本発明の各実施形態の技術の範囲から逸脱するとは見なされない。そのような改造と置換は、すべて本発明の請求の範囲に属する。
【０３５８】
本出願は、２０１６年０３月１１日に中国特許局に提出し、出願番号が２０１６１０１４１８９１.１であり、発明名称が「ＣＳＩのフィードバック方法、プリコーディング方法及び装置」との中国特許出願を基礎とする優先権を主張し、その開示の総てをここに取り込む。
【符号の説明】
【０３５９】
５０１  第１確定モジュール
５０２  第２確定モジュール
５０３  フィードバックモジュール
６０１  受信モジュール
６０２  確定モジュール
６０３  プリコーディングモジュール
【図１】
2019512948.tif 000090
【図２】
2019512948.tif 000091
【図３】
2019512948.tif 000092
【図４】
2019512948.tif 000093
【図５】
2019512948.tif 000094
【図６】
2019512948.tif 000095
【図７】
2019512948.tif 000096
【図８】
2019512948.tif 000097
【手続補正書】
【提出日】平成30年11月9日(2018.11.9)
【手続補正１】
【補正対象書類名】特許請求の範囲
【補正対象項目名】全文
【補正方法】変更
【補正の内容】
【特許請求の範囲】
【請求項１】
端末は、ダウンリンク伝送レイヤの数に基づき、前記ダウンリンク伝送レイヤの数に対応する第１サブバンド上の第１プリコーディングマトリックス集合を取得するステップであって、前記第１プリコーディングマトリックス集合には、１つ以上の第１プリコーディングマトリックスが含まれ、第１サブバンド内の１個の物理リソースは、第１プリコーディングマトリックス集合内の各々第１プリコーディングマトリックスに対応する前記取得するステップと、
前記端末は、ダウンリンクチャネル情報及び第１サブバンド上の第１プリコーディングマトリックス集合に基づき、第２サブバンド上のチャネル・クオリティ指示子（ＣＱＩ）を確定するステップと、
前記端末は、ＣＳＩをフィードバックするステップであって、前記ＣＳＩには、前記ダウンリンク伝送レイヤの数を示すＲＩと、第１サブバンド上の第１プリコーディングマトリックス集合の表示情報と、第２サブバンド上のＣＱＩとのうちの１つまたは複数が含まれる前記フィードバックするステップとを備えることを特徴とするチャネル状態情報（ＣＳＩ）のフィードバック方法。
【請求項２】
前記第１プリコーディングマトリックス集合は、約定したベクターグループ集合内のベクターグループ及び位相集合内の位相係数にもとづいて得られたものであり、
また、前記ベクターグループ集合には、１つ以上のベクターグループが含まれ、１ベクターグループに基づき１つの第１プリコーディングマトリックス集合が得られ、及び/または、
前記位相集合には１つ以上の位相係数が含まれ、１つの位相係数に基づいて１つの第１プリコーディングマトリックス集合内の１つの第１プリコーディングマトリックスが得られることを特徴とする請求項１に記載のチャネル状態情報（ＣＳＩ）のフィードバック方法。
【請求項３】
約定したベクターグループ集合内のベクターグループ及び位相集合内の位相係数に基づき、前記第１プリコーディングマトリックス集合を得る場合、
１つの位相係数に基づき得られた位相マトリックスと、前記ベクターグループ集合内の１ベクターグループ内のベクターを、クロネッカー積算し、積載し得られたマトリックス内の列ベクターを用いて第１プリコーディングマトリックス集合内の１つの第１プリコーディングマトリックスを構成し、
前記位相マトリックスは、
【数１】
2019512948.tif 000098
であることを特徴とする請求項２に記載のチャネル状態情報（ＣＳＩ）のフィードバック方法。
【請求項４】
前記第１サブバンド上の第１プリコーディングマトリックス集合の表示情報は、
第１ＰＭＩを含み、前記第１ＰＭＩは、約定したベクターグループ集合内の第１ベクターグループのインデックスであり、前記第１プリコーディングマトリックス集合は、前記第１ベクターグループに基づき得られたものであり、または、
第１ＰＭＩ及び第２ＰＭＩを含み、前記第１ＰＭＩは前記ベクターグループ集合内の１ベクターグループの部分集合のインデックスであり、前記第２ＰＭＩは、前記第１ＰＭＩにより示されるベクターグループの部分集合内の第１ベクターグループのインデックスであり、前記第１プリコーディングマトリックス集合は、前記第１ベクターグループに基づき得られたものであることを特徴とする請求項２または請求項３に記載のチャネル状態情報（ＣＳＩ）のフィードバック方法。
【請求項５】
前記第１サブバンド上の第１プリコーディングマトリックス集合の表示情報は、
第１ＰＭＩを含む、前記第１ＰＭＩは第１コードブック内の前記第１プリコーディングマトリックス集合のインデックスであり、前記第１コードブックは、前記ベクターグループ集合及び位相集合に基づき得られた複数の第１プリコーディングマトリックス集合を含むか、または、
第１ＰＭＩ及び第２ＰＭＩを含み、前記第１ＰＭＩは、第１コードブック内の第４プリコーディングマトリックス集合のインデックスであり、第２ＰＭＩは、前記第４プリコーディングマトリックス集合内の前記第１プリコーディングマトリックス集合のインデックスであり、前記第１コードブックは、前記ベクターグループ集合及び位相集合に基づき得られた複数の第１プリコーディングマトリックス集合を含み、前記第４プリコーディングマトリックス集合は、１つ以上の第１プリコーディングマトリックス集合を含み、かつ前記第１コードブックの部分集合であることを特徴とする請求項２または請求項３に記載のチャネル状態情報（ＣＳＩ）のフィードバック方法。
【請求項６】
前記第１プリコーディングマトリックス集合は、第２プリコーディングマトリックス及び約定した第３プリコーディングマトリックス集合に基づいて得られたものであり、前記第１プリコーディングマトリックス集合内の各々第１プリコーディングマトリックスは、第２プリコーディングマトリックス及び第３プリコーディングマトリックス集合内の１つのプリコーディングマトリックスを計算して得られたものであり、
また、
前記第２プリコーディングマトリックスは、約定したベクターグループ集合内の１ベクターグループ内の１ベクターより構成され、または、
前記第２プリコーディングマトリックスは、約定したベクターグループ集合内の１ベクターグループ内の複数のベクターより構成され、または、
前記第２プリコーディングマトリックスは、約定したベクターグループ集合内の１ベクターグループ内の１つ以上のベクター及び０ベクターより構成され、前記０ベクターは、すべての要素が０であるベクターであることを特徴とする請求項１に記載のチャネル状態情報（ＣＳＩ）のフィードバック方法。
【請求項７】
前記第１サブバンド上の第１プリコーディングマトリックス集合の表示情報は、
第１ＰＭＩを含み、前記第１ＰＭＩは、１つの第２プリコーディングマトリックスの第２プリコーディングマトリックス集合内のインデックスであり、前記第１プリコーディングマトリックス集合は前記第２プリコーディングマトリックスに基づいて得られたものであり、
または、第１ＰＭＩ及び第２ＰＭＩを含み、前記第１ＰＭＩは、第２プリコーディングマトリックス集合内の１つの第２プリコーディングマトリックス部分集合のインデックスであり、前記第２ＰＭＩは、前記第１ＰＭＩにより示された第２プリコーディングマトリックス部分集合内の前記第２プリコーディングマトリックスのインデックスであり、前記第１プリコーディングマトリックス集合は前記第２プリコーディングマトリックスに基づいて得られたものであり、
または、
前記第１サブバンド上の第１プリコーディングマトリックス集合の表示情報は、
第１ＰＭＩを含み、前記第１ＰＭＩは第１コードブック内の前記第１プリコーディングマトリックス集合のインデックスであり、前記第１コードブックは、第２プリコーディングマトリックス集合及び第３プリコーディングマトリックス集合に基づいて得られた複数の第１プリコーディングマトリックス集合を含み、１つの第１プリコーディングマトリックス集合は、前記第２プリコーディングマトリックス集合内の各々第２プリコーディングマトリックス及び第３プリコーディングマトリックス集合に基づいて得られたものであり、
または、第１ＰＭＩ及び第２ＰＭＩを含み、前記第１ＰＭＩは、第１コードブック内の第４プリコーディングマトリックス集合のインデックスであり、第２ＰＭＩは、前記第４プリコーディングマトリックス集合内の前記第１プリコーディングマトリックス集合のインデックスであり、前記第１コードブックは、第２プリコーディングマトリックス集合及び第３プリコーディングマトリックス集合に基づいて得られた複数の第１プリコーディングマトリックス集合を含み、前記第４プリコーディングマトリックス集合は、１つ以上の第１プリコーディングマトリックス集合を含み、かつ前記第１コードブックの部分集合であることを特徴とする請求項６に記載のチャネル状態情報（ＣＳＩ）のフィードバック方法。
【請求項８】
前記端末は、ダウンリンクチャネル情報及び第１サブバンド上の第１プリコーディングマトリックス集合に基づき、第２サブバンド上のチャネル・クオリティ指示子（ＣＱＩ）を確定する場合、
前記端末は、第１サブバンド内の物理リソースに対応する第１プリコーディングマトリックス集合内の第１プリコーディングマトリックスに基づき、第２サブバンド内の物理リソースに対応するプリコーディングマトリックスを確定し、
前記端末は、第２サブバンド内の物理リソースに対応するプリコーディングマトリックスに基づき、第２サブバンド上のＣＱＩを確定することを特徴とする請求項１ないし請求項７のいずれか１項に記載のチャネル状態情報（ＣＳＩ）のフィードバック方法。
【請求項９】
端末は、ダウンリンク伝送レイヤの数に基づき、前記ダウンリンク伝送レイヤの数に対応する第１サブバンド上の第１プリコーディングマトリックス集合を取得した後、前記第１プリコーディングマトリックス集合内の第１プリコーディングマトリックスに対し、第１プリコーディングマトリックスに対応する列ベクターの排列パターンに基づき、列ベクターを排列し、第１サブバンド上の第５プリコーディングマトリックス集合を取得し、
前記端末を第２サブバンド上のＣＱＩを確定する場合、ダウンリンクチャネル情報及び第１サブバンド上の第５プリコーディングマトリックス集合に基づき、第２サブバンド上のチャネル・クオリティ指示子（ＣＱＩ）を確定することを特徴とする請求項１に記載のチャネル状態情報（ＣＳＩ）のフィードバック方法。
【請求項１０】
基地局は、端末よりフィードバックされたチャネル状態情報（ＣＳＩ）を受信するステップであって、前記ＣＳＩには、第１サブバンド上の第１プリコーディングマトリックス集合の表示情報が含まれる前記受信するステップと、
前記基地局は、前記表示情報に基づき、第１サブバンド上の第１プリコーディングマトリックス集合を確定するステップであって、前記第１プリコーディングマトリックス集合には、１つ以上のプリコーディングマトリックスが含まれ、第１サブバンド内の１個の物理リソースは、第１プリコーディングマトリックス集合内の各々第１プリコーディングマトリックスに対応する前記確定するステップと、
前記基地局は、前記第１プリコーディングマトリックス集合に基づき、第１サブバンド上の物理リソースにおいて伝送されるデータに対し、前記物理リソースに対応する第１プリコーディングマトリックスを用いて、プリコーディングするステップとを備えることを特徴とするプリコーディング方法。
【請求項１１】
前記基地局は、前記表示情報に基づき、第１サブバンド上の第１プリコーディングマトリックス集合を確定する場合、
前記基地局は、前記表示情報に基づき、約定したベクターグループ集合内の第１ベクターグループのインデックスを確定し、
前記基地局は、前記第１ベクターグループ及び位相集合内の位相係数に基づき、第１サブバンド上の第１プリコーディングマトリックス集合を取得することを特徴とする請求項１０に記載のプリコーディング方法。
【請求項１２】
前記第１サブバンド上の第１プリコーディングマトリックス集合の表示情報は、
第１ＰＭＩを含み、前記第１ＰＭＩは、約定したベクターグループ集合内の第１ベクターグループのインデックスであり、前記第１ベクターグループに基づき、前記第１プリコーディングマトリックス集合を得るか、
または、第１ＰＭＩ及び第２ＰＭＩを含み、前記第１ＰＭＩは前記ベクターグループ集合内の１ベクターグループの部分集合のインデックスであり、前記第２ＰＭＩは、前記第１ＰＭＩにより示されるベクターグループの部分集合内の第１ベクターグループのインデックスであり、前記第１ベクターグループに基づき、前記第１プリコーディングマトリックス集合を得ることを特徴とする請求項１１に記載のプリコーディング方法。
【請求項１３】
前記第１サブバンド上の第１プリコーディングマトリックス集合の表示情報は、第１ＰＭＩを含み、前記第１ＰＭＩは、第１コードブック内の第１プリコーディングマトリックス集合インデックスであり、前記第１コードブックには、約定したベクターグループ集合及び位相集合に基づいて得られた複数の第１プリコーディングマトリックス集合が含まれ、
前記基地局は、前記第１ＰＭＩに基づき、第１サブバンド上の第１プリコーディングマトリックス集合を確定し、
または、
前記第１サブバンド上の第１プリコーディングマトリックス集合の表示情報は、第１ＰＭＩ及び第２ＰＭＩを含み、前記第１ＰＭＩは、第１コードブック内の第４プリコーディングマトリックス集合のインデックスであり、第２ＰＭＩは、前記第４プリコーディングマトリックス集合内の第１プリコーディングマトリックス集合のインデックスであり、前記第１コードブックには、約定したベクターグループ集合及び位相集合に基づいて得られた複数の第１プリコーディングマトリックス集合が含まれ、前記第４プリコーディングマトリックス集合は、１つ以上の第１プリコーディングマトリックス集合を含み、かつ前記第１コードブックの部分集合であり、
前記基地局は、前記第１ＰＭＩに基づき、及び第２ＰＭＩ第１サブバンド上の第１プリコーディングマトリックス集合を確定することを特徴とする請求項１０に記載のプリコーディング方法。
【請求項１４】
前記基地局は、前記表示情報に基づき、第１サブバンド上の第１プリコーディングマトリックス集合を確定する場合、
前記基地局は、前記表示情報に基づき、第２プリコーディングマトリックス集合内の第２プリコーディングマトリックスのインデックスを確定し、
前記基地局前記第２プリコーディングマトリックス及び約定した第３プリコーディングマトリックス集合に基づき、第１サブバンド上の第１プリコーディングマトリックス集合を取得し、前記第１プリコーディングマトリックス集合内の各々第１プリコーディングマトリックスは、前記第２プリコーディングマトリックスと、第３プリコーディングマトリックス集合内の１つの第１プリコーディングマトリックスを演算して得られたものであることを特徴とする請求項１０に記載のプリコーディング方法。
【請求項１５】
前記第１サブバンド上の第１プリコーディングマトリックス集合の表示情報は、
第１ＰＭＩを含み、前記第１ＰＭＩは、第２プリコーディングマトリックス集合内の前記第２プリコーディングマトリックスのインデックスであり、前記第２プリコーディングマトリックスに基づき、前記第１プリコーディングマトリックス集合を得るか、
または、第１ＰＭＩ及び第２ＰＭＩを含み、前記第１ＰＭＩは、第２プリコーディングマトリックス集合内の１つの第２プリコーディングマトリックス部分集合のインデックスであり、前記第２ＰＭＩは、前記第１ＰＭＩにより示された第２プリコーディングマトリックス部分集合内の前記第２プリコーディングマトリックスのインデックスであり、前記第２プリコーディングマトリックスに基づき、前記第１プリコーディングマトリックス集合を得ることを特徴とする請求項１４に記載のプリコーディング方法。
【請求項１６】
前記第１サブバンド上の第１プリコーディングマトリックス集合の表示情報は、第１ＰＭＩを含み、
前記第１ＰＭＩは、第１コードブック内の第１プリコーディングマトリックス集合インデックスであり、前記第１コードブックは、第２プリコーディングマトリックス集合及び第３プリコーディングマトリックス集合に基づいて得られた複数の第１プリコーディングマトリックス集合を含み、１つの第１プリコーディングマトリックス集合は、前記第２プリコーディングマトリックス集合内の各々第２プリコーディングマトリックス及び第３プリコーディングマトリックス集合に基づいて得られたものであり、
前記基地局は、前記第１ＰＭＩに基づき、第１サブバンド上の第１プリコーディングマトリックス集合を確定し、
または、
前記第１サブバンド上の第１プリコーディングマトリックス集合の表示情報は、第１ＰＭＩ及び第２ＰＭＩを含み、前記第１ＰＭＩは、第１コードブック内の第４プリコーディングマトリックス集合のインデックスであり、第２ＰＭＩは、前記第４プリコーディングマトリックス集合内の第１プリコーディングマトリックス集合のインデックスであり、前記第１コードブックは、第２プリコーディングマトリックス集合及び第３プリコーディングマトリックス集合に基づいて得られた複数の第１プリコーディングマトリックス集合を含み、前記第４プリコーディングマトリックス集合は、１つ以上の第１プリコーディングマトリックス集合を含み、かつ前記第１コードブックの部分集合であり、
前記基地局は、前記第１ＰＭＩに基づき、及び第２ＰＭＩ第１サブバンド上の第１プリコーディングマトリックス集合を確定することを特徴とする請求項１０に記載のプリコーディング方法。
【請求項１７】
ダウンリンク伝送レイヤの数に基づき、前記ダウンリンク伝送レイヤの数に対応する第１サブバンド上の第１プリコーディングマトリックス集合を取得し、前記第１プリコーディングマトリックス集合には、１つ以上のプリコーディングマトリックスが含まれ、第１サブバンド内の１個の物理リソースは、第１プリコーディングマトリックス集合内の各々第１プリコーディングマトリックスに対応する第１確定モジュールと、
ダウンリンクチャネル情報及び第１サブバンド上の第１プリコーディングマトリックス集合に基づき、第２サブバンド上のチャネル・クオリティ指示子（ＣＱＩ）を確定する第２確定モジュールと、
ＣＳＩをフィードバックする，前記ＣＳＩには、前記ダウンリンク伝送レイヤの数を示すＲＩと、第１サブバンド上の第１プリコーディングマトリックス集合の表示情報と、第２サブバンド上のＣＱＩとのうちの１つまたは複数が含まれるフィードバックモジュールとを備えることを特徴とする端末。
【請求項１８】
前記第１プリコーディングマトリックス集合は、約定したベクターグループ集合内のベクターグループ及び位相集合内の位相係数にもとづいて得られたものであり、
また、
前記第１サブバンド上の第１プリコーディングマトリックス集合の表示情報は、
第１ＰＭＩを含み、前記第１ＰＭＩは、約定したベクターグループ集合内の第１ベクターグループのインデックスであり、前記第１プリコーディングマトリックス集合は、前記第１ベクターグループに基づき得られたものであり、
または、第１ＰＭＩ及び第２ＰＭＩを含み、前記第１ＰＭＩは前記ベクターグループ集合内の１ベクターグループの部分集合のインデックスであり、前記第２ＰＭＩは、前記第１ＰＭＩにより示されるベクターグループの部分集合内の第１ベクターグループのインデックスであり、前記第１プリコーディングマトリックス集合は、前記第１ベクターグループに基づき得られたものであることを特徴とする請求項１７に記載の端末。
【請求項１９】
前記第１サブバンド上の第１プリコーディングマトリックス集合の表示情報は、
第１ＰＭＩを含み、前記第１ＰＭＩは第１コードブック内の前記第１プリコーディングマトリックス集合のインデックスであり、前記第１コードブックは、前記ベクターグループ集合及び位相集合に基づき得られた複数の第１プリコーディングマトリックス集合を含み、
または、第１ＰＭＩ及び第２ＰＭＩを含み、前記第１ＰＭＩは、第１コードブック内の第４プリコーディングマトリックス集合のインデックスであり、第２ＰＭＩは、前記第４プリコーディングマトリックス集合内の前記第１プリコーディングマトリックス集合のインデックスであり、前記第１コードブックは、前記ベクターグループ集合及び位相集合に基づき得られた複数の第１プリコーディングマトリックス集合を含み、前記第４プリコーディングマトリックス集合は、１つ以上の第１プリコーディングマトリックス集合を含み、かつ前記第１コードブックの部分集合であることを特徴とする請求項１８に記載の端末。
【請求項２０】
前記第１プリコーディングマトリックス集合は、第２プリコーディングマトリックス及び約定した第３プリコーディングマトリックス集合に基づいて得られたものであり、前記第１プリコーディングマトリックス集合内の各々第１プリコーディングマトリックスは、第２プリコーディングマトリックス及び第３プリコーディングマトリックス集合内の１つのプリコーディングマトリックスを計算して得られたものであり、
また、
前記第１サブバンド上の第１プリコーディングマトリックス集合の表示情報は、
第１ＰＭＩを含み、前記第１ＰＭＩは、１つの第２プリコーディングマトリックスの第２プリコーディングマトリックス集合内のインデックスであり、前記第１プリコーディングマトリックス集合は前記第２プリコーディングマトリックスに基づいて得られたものであり、
または、第１ＰＭＩ及び第２ＰＭＩを含み、前記第１ＰＭＩは、第２プリコーディングマトリックス集合内の１つの第２プリコーディングマトリックス部分集合のインデックスであり、前記第２ＰＭＩは、前記第１ＰＭＩにより示された第２プリコーディングマトリックス部分集合内の前記第２プリコーディングマトリックスのインデックスであり、前記第１プリコーディングマトリックス集合は前記第２プリコーディングマトリックスに基づいて得られたものであることを特徴とする請求項１７に記載の端末。
【請求項２１】
前記第１サブバンド上の第１プリコーディングマトリックス集合の表示情報は、
第１ＰＭＩを含み、前記第１ＰＭＩは第１コードブック内の前記第１プリコーディングマトリックス集合のインデックスであり、前記第１コードブックは、第２プリコーディングマトリックス集合及び第３プリコーディングマトリックス集合に基づいて得られた複数の第１プリコーディングマトリックス集合を含み、１つの第１プリコーディングマトリックス集合は、前記第２プリコーディングマトリックス集合内の各々第２プリコーディングマトリックス及び第３プリコーディングマトリックス集合に基づいて得られたものであり、
または、第１ＰＭＩ及び第２ＰＭＩを含み、前記第１ＰＭＩは、第１コードブック内の第４プリコーディングマトリックス集合のインデックスであり、第２ＰＭＩは、前記第４プリコーディングマトリックス集合内の前記第１プリコーディングマトリックス集合のインデックスであり、前記第１コードブックは、第２プリコーディングマトリックス集合及び第３プリコーディングマトリックス集合に基づいて得られた複数の第１プリコーディングマトリックス集合を含み、前記第４プリコーディングマトリックス集合は、１つ以上の第１プリコーディングマトリックス集合を含み、かつ前記第１コードブックの部分集合であることを特徴とする請求項２０に記載の端末。
【請求項２２】
前記第２確定モジュールは、
第１サブバンド内の物理リソースに対応する第１プリコーディングマトリックス集合内の第１プリコーディングマトリックスに基づき、第２サブバンド内の物理リソースに対応するプリコーディングマトリックスを確定し、
第２サブバンド内の物理リソースに対応するプリコーディングマトリックスに基づき、第２サブバンド上のＣＱＩを確定することを特徴とする請求項１７ないし請求項２１のいずれか１項に記載の端末。
【手続補正２】
【補正対象書類名】明細書
【補正対象項目名】０００６
【補正方法】変更
【補正の内容】
【０００６】
本発明の実施例に係るＣＳＩのフィードバック方法は、
端末は、ダウンリンク伝送レイヤの数に基づき、前記ダウンリンク伝送レイヤの数に対応する第１サブバンド上の第１プリコーディングマトリックス集合を取得するステップと、
前記端末は、ダウンリンクチャネル情報及び第１サブバンド上の第１プリコーディングマトリックス集合に基づき、第２サブバンド上のチャネル・クオリティ指示子（ＣＱＩ）を確定するステップと、
前記端末は、ＣＳＩをフィードバックするステップとを備え、
前記第１プリコーディングマトリックス集合には、１つ以上の第１プリコーディングマトリックスが含まれ、第１サブバンド内の１個の物理リソースは、第１プリコーディングマトリックス集合内の各々第１プリコーディングマトリックスに対応し、
前記ＣＳＩには、前記ダウンリンク伝送レイヤの数を示すＲＩと、第１サブバンド上の第１プリコーディングマトリックス集合の表示情報と、第２サブバンド上のＣＱＩとのうちの１つまたは複数が含まれる。
【手続補正３】
【補正対象書類名】明細書
【補正対象項目名】０００８
【補正方法】変更
【補正の内容】
【０００８】
前記ベクターグループ集合には、１つ以上のベクターグループが含まれ、１ベクターグループに基づき１つの第１プリコーディングマトリックス集合が得られ、及び/または、前記位相集合には１つ以上の位相係数が含まれ、１つの位相係数に基づいて１つの第１プリコーディングマトリックス集合内の１つの第１プリコーディングマトリックスが得られる。
【手続補正４】
【補正対象書類名】明細書
【補正対象項目名】０００９
【補正方法】変更
【補正の内容】
【０００９】
具体的に、約定したベクターグループ集合内のベクターグループ及び位相集合内の位相係数に基づき、前記第１プリコーディングマトリックス集合を得るのは、
１つの位相係数に基づき得られた位相マトリックスと、前記ベクターグループ集合内の１ベクターグループ内のベクターを、クロネッカー積算し、積載し得られたマトリックス内の列ベクターを用いて第１プリコーディングマトリックス集合内の１つの第１プリコーディングマトリックスを構成する。
【手続補正５】
【補正対象書類名】明細書
【補正対象項目名】００１７
【補正方法】変更
【補正の内容】
【００１７】
前記第１プリコーディングマトリックス集合は、第２プリコーディングマトリックス及び約定した第３プリコーディングマトリックス集合に基づいて得られたものであり、前記第１プリコーディングマトリックス集合内の各々第１プリコーディングマトリックスは、第２プリコーディングマトリックス及び第３プリコーディングマトリックス集合内の１つのプリコーディングマトリックスを計算して得られたものである。
【手続補正６】
【補正対象書類名】明細書
【補正対象項目名】００２３
【補正方法】変更
【補正の内容】
【００２３】
ここで、端末は、ダウンリンクチャネル情報及び第１サブバンド上の第１プリコーディングマトリックス集合に基づき、第２サブバンド上のチャネル・クオリティ指示子（ＣＱＩ）を確定する場合、
前記端末は、第１サブバンド内の物理リソースに対応する第１プリコーディングマトリックス集合内の第１プリコーディングマトリックスに基づき、第２サブバンド内の物理リソースに対応するプリコーディングマトリックスを確定し、
前記端末は、第２サブバンド内の物理リソースに対応するプリコーディングマトリックスに基づき、第２サブバンド上のＣＱＩを確定する。
【手続補正７】
【補正対象書類名】明細書
【補正対象項目名】００２４
【補正方法】変更
【補正の内容】
【００２４】
さらに、端末は、ダウンリンク伝送レイヤの数に基づき、前記ダウンリンク伝送レイヤの数に対応する第１サブバンド上の第１プリコーディングマトリックス集合を取得した後、前記第１プリコーディングマトリックス集合内の第１プリコーディングマトリックスに対し、プリコーディングマトリックスに対応する列ベクターの排列パターンに基づき、列ベクターを排列し、第１サブバンド上の第５プリコーディングマトリックス集合を取得し、
前記端末第２サブバンド上のＣＱＩを確定する場合、ダウンリンクチャネル情報及び第１サブバンド上の第５プリコーディングマトリックス集合に基づき、第２サブバンド上のチャネル・クオリティ指示子（ＣＱＩ）を確定する。
【手続補正８】
【補正対象書類名】明細書
【補正対象項目名】００２５
【補正方法】変更
【補正の内容】
【００２５】
前記第１サブバンド上の第１プリコーディングマトリックス集合内の第１プリコーディングマトリックスの列数は、前記ダウンリンク伝送レイヤの数と同様である。
【手続補正９】
【補正対象書類名】明細書
【補正対象項目名】００２７
【補正方法】変更
【補正の内容】
【００２７】
具体的に、第１サブバンドにおいて、i番目の物理リソースは、前記第１プリコーディングマトリックス集合内のk番目の第１プリコーディングマトリックスに対応し、
ここで、k=i mod Ｋ、i=０,１,２…Ｎ，k=０,１,２,３,…,Ｋ-１、Ｋは、第１プリコーディングマトリックス集合内の第１プリコーディングマトリックスの数であり、Ｎは第１サブバンド内の物理リソース数であり、または、
k=ceil(i/v) mod Ｋ、ここで、ceil(i/v)はi/vより小さくない最少整数を示し、v=ＲＩまたはvはアンテナポート数であり、i=０,１,２…Ｎ，k=０,１,２,３,…,Ｋ-１，Ｋは、第１プリコーディングマトリックス集合内の第１プリコーディングマトリックスの数であり、Ｎは第１サブバンド内の物理リソース数である。
【手続補正１０】
【補正対象書類名】明細書
【補正対象項目名】００２８
【補正方法】変更
【補正の内容】
【００２８】
本発明の実施例に係る端末は、
ダウンリンク伝送レイヤの数に基づき、前記ダウンリンク伝送レイヤの数に対応する第１サブバンド上の第１プリコーディングマトリックス集合を取得する第１確定モジュールであって、前記第１プリコーディングマトリックス集合には、１つ以上のプリコーディングマトリックスが含まれ、第１サブバンド内の１個の物理リソースは、第１プリコーディングマトリックス集合内の各々第１プリコーディングマトリックスに対応する前記第１確定モジュールと、
ダウンリンクチャネル情報及び第１サブバンド上の第１プリコーディングマトリックス集合に基づき、第２サブバンド上のチャネル・クオリティ指示子（ＣＱＩ）を確定する第２確定モジュールと、
ＣＳＩをフィードバックするフィードバックモジュールであって、前記ＣＳＩには、前記ダウンリンク伝送レイヤの数を示すＲＩと、第１サブバンド上の第１プリコーディングマトリックス集合の表示情報と、第２サブバンド上のＣＱＩとのうちの１つまたは複数が含まれる前記フィードバックモジュールとを備える。
【手続補正１１】
【補正対象書類名】明細書
【補正対象項目名】００３２
【補正方法】変更
【補正の内容】
【００３２】
具体的に、第１プリコーディングマトリックス集合は、第２プリコーディングマトリックス及び約定した第３プリコーディングマトリックス集合に基づいて得られたものであり、前記第１プリコーディングマトリックス集合内の各々第１プリコーディングマトリックスは、第２プリコーディングマトリックス及び第３プリコーディングマトリックス集合内の１つのプリコーディングマトリックスを計算して得られたものである。
【手続補正１２】
【補正対象書類名】明細書
【補正対象項目名】００３５
【補正方法】変更
【補正の内容】
【００３５】
さらに、第２確定モジュールは、
第１サブバンド内の物理リソースに対応する第１プリコーディングマトリックス集合内の第１プリコーディングマトリックスに基づき、第２サブバンド内の物理リソースに対応するプリコーディングマトリックスを確定し、
第２サブバンド内の物理リソースに対応するプリコーディングマトリックスに基づき、第２サブバンド上のＣＱＩを確定する。
【手続補正１３】
【補正対象書類名】明細書
【補正対象項目名】００３７
【補正方法】変更
【補正の内容】
【００３７】
本発明の実施例に係るプリコーディング方法は、
基地局は、端末よりフィードバックされたチャネル状態情報（ＣＳＩ）を受信するステップと、
前記基地局は、前記表示情報に基づき、第１サブバンド上の第１プリコーディングマトリックス集合を確定するステップと、
前記基地局は、前記第１プリコーディングマトリックス集合に基づき、第１サブバンド上の物理リソースにおいて伝送されるデータに対し、前記物理リソースに対応するプリコーディングマトリックスを用いて、プリコーディングするステップとを備え、
前記ＣＳＩには、第１サブバンド上の第１プリコーディングマトリックス集合の表示情報が含まれ、
前記第１プリコーディングマトリックス集合には、１つ以上のプリコーディングマトリックスが含まれ、第１サブバンド内の１個の物理リソースは、第１プリコーディングマトリックス集合内の各々第１プリコーディングマトリックスに対応する。
【手続補正１４】
【補正対象書類名】明細書
【補正対象項目名】００３８
【補正方法】変更
【補正の内容】
【００３８】
具体的に、基地局は、前記表示情報に基づき、第１サブバンド上の第１プリコーディングマトリックス集合を確定する場合、
前記基地局は、前記表示情報に基づき、約定したベクターグループ集合内の第１ベクターグループのインデックスを確定し、
前記基地局は、前記第１ベクターグループ及び位相集合内の位相係数に基づき、第１サブバンド上の第１プリコーディングマトリックス集合を取得する。
【手続補正１５】
【補正対象書類名】明細書
【補正対象項目名】００４１
【補正方法】変更
【補正の内容】
【００４１】
具体的に、基地局は、前記表示情報に基づき、第１サブバンド上の第１プリコーディングマトリックス集合を確定する場合、
前記基地局は、前記表示情報に基づき、第２プリコーディングマトリックス集合内の第２プリコーディングマトリックスのインデックスを確定し、
前記基地局記第２プリコーディングマトリックス及び約定した第３プリコーディングマトリックス集合第１サブバンド上の第１プリコーディングマトリックス集合を取得し、前記第１プリコーディングマトリックス集合内の各々第１プリコーディングマトリックスは、前記第２プリコーディングマトリックスと、第３プリコーディングマトリックス集合内の１つのプリコーディングマトリックスを演算して得られたものである。
【手続補正１６】
【補正対象書類名】明細書
【補正対象項目名】００４４
【補正方法】変更
【補正の内容】
【００４４】
前記第１サブバンドにおいて、i番目の物理リソースは、前記第１プリコーディングマトリックス集合内のk番目の第１プリコーディングマトリックスに対応し、ここで、
k=i mod Ｋであり、i=０,１,２…Ｎ，k=０,１,２,３,…,Ｋ-１、Ｋは、第１プリコーディングマトリックス集合内の第１プリコーディングマトリックスの数であり、Ｎは第１サブバンド内の物理リソース数であり、または、
k=ceil(i/v) mod Ｋであり、ここで、ceil(i/v)はi/vより小さくない最少整数を示し、v=ＲＩまたはvはアンテナポート数であり、i=０,１,２…Ｎ，k=０,１,２,３,…,Ｋ-１，Ｋは、第１プリコーディングマトリックス集合内の第１プリコーディングマトリックスの数であり、Ｎは第１サブバンド内の物理リソース数である。
【手続補正１７】
【補正対象書類名】明細書
【補正対象項目名】００４５
【補正方法】変更
【補正の内容】
【００４５】
本発明の実施例に係る基地局は、
端末よりフィードバックされたチャネル状態情報（ＣＳＩ）を受信し、前記ＣＳＩには、第１サブバンド上の第１プリコーディングマトリックス集合の表示情報が含まれる受信モジュールと、
前記表示情報に基づき、第１サブバンド上の第１プリコーディングマトリックス集合を確定し，前記第１プリコーディングマトリックス集合には、１つ以上のプリコーディングマトリックスが含まれ、第１サブバンド内の１個の物理リソースは、第１プリコーディングマトリックス集合内の各々第１プリコーディングマトリックスに対応する確定モジュールと、
前記第１プリコーディングマトリックス集合に基づき、第１サブバンド上の物理リソースにおいて伝送されるデータに対し、前記物理リソースに対応するプリコーディングマトリックスを用いて、プリコーディングするプリコーディングモジュールとを備える。
【手続補正１８】
【補正対象書類名】明細書
【補正対象項目名】００４６
【補正方法】変更
【補正の内容】
【００４６】
前記確定モジュールは、
前記表示情報に基づき、約定したベクターグループ集合内の第１ベクターグループのインデックスを確定し、
前記第１ベクターグループ及び位相集合内の位相係数に基づき、第１サブバンド上の第１プリコーディングマトリックス集合を取得する。
【手続補正１９】
【補正対象書類名】明細書
【補正対象項目名】００４８
【補正方法】変更
【補正の内容】
【００４８】
前記確定モジュールは、
前記表示情報に基づき、第２プリコーディングマトリックス集合内の第２プリコーディングマトリックスのインデックスを確定し、
前記第２プリコーディングマトリックス及び約定した第３プリコーディングマトリックス集合に基づき、第１サブバンド上の第１プリコーディングマトリックス集合を取得し、前記第１プリコーディングマトリックス集合内の各々第１プリコーディングマトリックスは、前記第２プリコーディングマトリックスと、第３プリコーディングマトリックス集合内の１つのプリコーディングマトリックスを演算して得られたものである。
【手続補正２０】
【補正対象書類名】明細書
【補正対象項目名】００５０
【補正方法】変更
【補正の内容】
【００５０】
本発明の上述実施例によれば、上述実施例に係る端末側のＣＳＩのフィードバック方法で、基地局がプリコーディングする場合、根端末よりフィードバックされたＣＳＩに含まれるＰＭＩに基づき、第１サブバンド上の第１プリコーディングマトリックス集合を確定し、確定された第１プリコーディングマトリックス集合に基づき、第１サブバンド上の物理リソースにおいて伝送されるデータに対し、前記物理リソースに対応するプリコーディングマトリックスを用いて、プリコーディングする。上述実施例において、基地局が第１プリコーディングマトリックス集合内の第１プリコーディングマトリックスに基づき、各々物理リソースに対し、当該物理リソースに対応する第１プリコーディングマトリックス集合内の１つの第１プリコーディングマトリックスをプリコーディングし、これは、従来のプリコーディングマトリックス１つのみに基づいてプリコーディングすることと比べ、プリコーディング後のデータがチャネル状態とよりよくマッチングし、チャネル変化によるプリコーディング利得及びＣＱＩへの影響を低減し、チャネル情報の測定をより正確にし、かつ、プリコーディング利得を確保し、検出性能を向上する。
【手続補正２１】
【補正対象書類名】明細書
【補正対象項目名】００６４
【補正方法】変更
【補正の内容】
【００６４】
ＣＳＩのフィードバックを提供する端末のシグナリングオーバーヘッドを低減するため、本発明に係る実施例は、チャネル状態情報（ＣＳＩ）のフィードバック案を提供する。当該案はダウンリンクＭＩＭＯ伝送シナリオに適用できる。本発明に係る実施例において、端末は、サブバンドにおいて、サブバンド上のプリコーディングマトリックス集合を確定し、集合内の複数のプリコーディングマトリックスをサブバンドにおける異なる物理リソース上のプリコーディングマトリックスとして、アップリンクＣＱＩ測定を行い、かつ、対応のＣＳＩをフィードバックする。異なる物理リソースにおいて異なるプリコーディングマトリックスを用いてアップリンクプリコーディングを行い、また、確定されたプリコーディングマトリックス集合の表示情報をフィードバックすることにより、フィードバックオーバヘッドを低減し、高速移動性のシナリオにおける性能を保証することができる。以下、図面を参照しながら、本発明に係る実施例を詳細に説明する。
【手続補正２２】
【補正対象書類名】明細書
【補正対象項目名】００７６
【補正方法】変更
【補正の内容】
【００７６】
【数３】
2019512948.tif 000099
【手続補正２３】
【補正対象書類名】明細書
【補正対象項目名】００７８
【補正方法】変更
【補正の内容】
【００７８】
例えば、ベクターは約定したベクター集合{Vt=vm}から選出され、
【手続補正２４】
【補正対象書類名】明細書
【補正対象項目名】００８０
【補正方法】変更
【補正の内容】
【００８０】
など。ここで、dはアンテナ間の距離であり、波長を単位とし、Ｍはベクター長である。異なるmは異なるベクターに対応する。例えば、集合内のt番目のベクターVt=vm、かつ、m=n*(t-１)であり、nは約定した固定整数であり、かつk=１,２,…,(３２/n)である。
【手続補正２５】
【補正対象書類名】明細書
【補正対象項目名】００８４
【補正方法】変更
【補正の内容】
【００８４】
ステップ３０１において、端末は、ダウンリンク伝送レイヤの数に基づき、ダウンリンク伝送レイヤの数に対応する第１サブバンド上の第１プリコーディングマトリックス集合を取得し、前記第１プリコーディングマトリックス集合には、１つ以上の第１プリコーディングマトリックスが含まれ、第１サブバンド内の１個の物理リソースは、第１プリコーディングマトリックス集合内の各々第１プリコーディングマトリックスに対応する。
【手続補正２６】
【補正対象書類名】明細書
【補正対象項目名】００８６
【補正方法】変更
【補正の内容】
【００８６】
具体的に、第１サブバンド上の第１プリコーディングマトリックス集合内の第１プリコーディングマトリックスの列数は、ダウンリンク伝送レイヤの数と同様である。
【手続補正２７】
【補正対象書類名】明細書
【補正対象項目名】００８７
【補正方法】変更
【補正の内容】
【００８７】
本発明の一部の実施例において、第１サブバンドにおいて、i番目の物理リソースは、第１プリコーディングマトリックス集合内のk番目の第１プリコーディングマトリックスに対応する。
k=i mod Ｋ
ここで、i=０,１,２…Ｎ，k=０,１,２,３,…,Ｋ-１である。Ｋは、第１プリコーディングマトリックス集合内の第１プリコーディングマトリックスの数であり、Ｎは第１サブバンド内の物理リソース数である。
または、
k=ceil(i/v) mod Ｋ
であり、ここで、ceil(i/v)はi/vより小さくない最少整数を示し、v=ＲＩまたはvはアンテナポート数であり、i=０,１,２…Ｎ，k=０,１,２,３,…,Ｋ-１，Ｋは、第１プリコーディングマトリックス集合内の第１プリコーディングマトリックスの数であり、Ｎは第１サブバンド内の物理リソース数である。
【手続補正２８】
【補正対象書類名】明細書
【補正対象項目名】００９２
【補正方法】変更
【補正の内容】
【００９２】
ここで、位相集合には１つ以上の位相係数が含まれ、１つの位相係数に基づいて１つの第１プリコーディングマトリックス集合内の１つの第１プリコーディングマトリックスが得られる。位相集合に複数の位相係数が含まれれば、ベクターグループ集合内の１ベクターグループ及び位相集合内の異なる位相係数により、ベクターグループに対応する第１プリコーディングマトリックス集合内の異なる第１プリコーディングマトリックスを得られる。本発明に係る実施例において、
【手続補正２９】
【補正対象書類名】明細書
【補正対象項目名】０１００
【補正方法】変更
【補正の内容】
【０１００】
方法１は、約定したベクターグループ集合内のベクターグループ及び位相集合内の位相係数により、第１プリコーディングマトリックス集合を取得する。例えば、約定したベクターグループ集合内の１ベクターグループ{V１,…,Vm,…,VＭ}に、Ｍ個の列ベクターのベクターグループが含まれば、位相集合{φn}にＮ個の位相係数が含まれる。φnは、位相集合内の１つの位相係数を示す。また、ダウンリンク伝送レイヤの数が４であれば、対応するランクＲａｎｋ=４である第１プリコーディングマトリックス集合内の第１プリコーディングマトリックスは、
【手続補正３０】
【補正対象書類名】明細書
【補正対象項目名】０１０３
【補正方法】変更
【補正の内容】
【０１０３】
例えば、i１=i２=１, i３=i４=２, Ｍ=２，Ｎ=１であれば、Ｒａｎｋ=４の第１プリコーディングマトリックス集合内の第１プリコーディングマトリックスは、
【手続補正３１】
【補正対象書類名】明細書
【補正対象項目名】０１０５
【補正方法】変更
【補正の内容】
【０１０５】
などである。
例えば、i１=１, i２=２, i３= ３, i４=４，Ｍ=２，Ｎ=１であれば、Ｒａｎｋ=４である第１プリコーディングマトリックス集合内の第１プリコーディングマトリックスは、
【手続補正３２】
【補正対象書類名】明細書
【補正対象項目名】０１０７
【補正方法】変更
【補正の内容】
【０１０７】
などである。
ダウンリンク伝送レイヤの数が他の値である場合、即ち、Ｒａｎｋが他の値であれば、類似する方法で第１プリコーディングマトリックス集合内の第１プリコーディングマトリックスを得ることができる。
【手続補正３３】
【補正対象書類名】明細書
【補正対象項目名】０１０８
【補正方法】変更
【補正の内容】
【０１０８】
例えば、ダウンリンク伝送レイヤの数が３であり、i１=i２=１, i３=２, Ｍ=２，Ｎ=１であれば、Ｒａｎｋ=３である第１プリコーディングマトリックス集合の第１プリコーディングマトリックスは、
【手続補正３４】
【補正対象書類名】明細書
【補正対象項目名】０１１０
【補正方法】変更
【補正の内容】
【０１１０】
などである。
i１=i２=１, i３=２, Ｍ=２，Ｎ=１であれば、Ｒａｎｋ=３である第１プリコーディングマトリックス集合の第１プリコーディングマトリックスは、
【手続補正３５】
【補正対象書類名】明細書
【補正対象項目名】０１１２
【補正方法】変更
【補正の内容】
【０１１２】
などである。
i１=１，i２=２，i３=３， Ｍ=３，Ｎ=１であれば、Ｒａｎｋ=３である第１プリコーディングマトリックス集合の第１プリコーディングマトリックスは、
【手続補正３６】
【補正対象書類名】明細書
【補正対象項目名】０１１４
【補正方法】変更
【補正の内容】
【０１１４】
などである。
または、ダウンリンク伝送レイヤの数Ｒａｎｋ=３に対応する第１プリコーディングマトリックス集合は、ダウンリンク伝送レイヤの数Ｒａｎｋ=４に対応する第１プリコーディングマトリックス集合内の第１プリコーディングマトリックスそれぞれの前の３列から得られることができる。
【手続補正３７】
【補正対象書類名】明細書
【補正対象項目名】０１１５
【補正方法】変更
【補正の内容】
【０１１５】
具体的に、方法１において、約定したベクターグループ集合内のベクターグループ及び位相集合内の位相係数に基づき、第１プリコーディングマトリックス集合を得る場合、
１つの位相係数に基づき得られた位相マトリックスと、ベクターグループ集合内の１ベクターグループ内のベクターを、クロネッカー積算し、積載し得られたマトリックス内の列ベクターを用いて第１プリコーディングマトリックス集合内の１つの第１プリコーディングマトリックスを構成する。
【手続補正３８】
【補正対象書類名】明細書
【補正対象項目名】０１２０
【補正方法】変更
【補正の内容】
【０１２０】
である。
さらに、上述の、約定したベクターグループ集合内のベクターグループ及び位相集合内の位相係数に基づいて第１プリコーディングマトリックス集合内の１つの第１プリコーディングマトリックスを得ることは、以下のように得ることができる。
【手続補正３９】
【補正対象書類名】明細書
【補正対象項目名】０１２１
【補正方法】変更
【補正の内容】
【０１２１】
第１プリコーディングマトリックス集合内の１つの第１プリコーディングマトリックスの列数は、ダウンリンク伝送レイヤの数と同様であるため、ダウンリンク伝送レイヤの数が偶数（２×Lとし、Lは、１より大きいか等しい整数である）であれば、位相マトリックス
【手続補正４０】
【補正対象書類名】明細書
【補正対象項目名】０１２３
【補正方法】変更
【補正の内容】
【０１２３】
と、当該ベクターグループ内のL個のベクターを、クロネッカー積算し、得られた列ベクターをカスケードして、列数が２×Lであるマトリックスを得る。当該マトリックスの列数は、ダウンリンク伝送レイヤの数（２×L）と同様であり、当該マトリックス内の全部の列ベクターを選出する。即ち、当該列数が２×Lであるマトリックスは、１つの第１プリコーディングマトリックス集合内の１つの第１プリコーディングマトリックスとすることができる。ダウンリンク伝送レイヤの数が奇数（２×L+１とする）であれば、位相マトリックス
【手続補正４１】
【補正対象書類名】明細書
【補正対象項目名】０１２７
【補正方法】変更
【補正の内容】
【０１２７】
とクロネッカー積算して、第２×L+１個の列ベクターを得、得られた２×L個の列ベクターと代２×L+１個の列ベクターをカスケードし、列数が２×L+１であるマトリックスを得る。即ち、当該マトリックスの列数は、ダウンリンク伝送レイヤの数（２×L+１）と同様であり、当該マトリックス内の全部の列ベクターを選出する。即ち、当該列数が２×L+１であるマトリックスは、１つの第１プリコーディングマトリックス集合内の１つの第１プリコーディングマトリックスとすることができる。
【手続補正４２】
【補正対象書類名】明細書
【補正対象項目名】０１２８
【補正方法】変更
【補正の内容】
【０１２８】
または、上述の、約定したベクターグループ集合内のベクターグループ及び位相集合内の位相係数に基づいて、第１プリコーディングマトリックス集合内の１つの第１プリコーディングマトリックスを得るのは、以下のように得ることができる。
【手続補正４３】
【補正対象書類名】明細書
【補正対象項目名】０１３７
【補正方法】変更
【補正の内容】
【０１３７】
について、ダウンリンク伝送レイヤの数Ｋに基づき、当該マトリックスからＫ個の列ベクターを選出し、１つの第１プリコーディングマトリックス集合内の１つの第１プリコーディングマトリックスを得る。例えば、ダウンリンク伝送レイヤの数がＫであれば、第１プリコーディングマトリックス集合内の１つの第１プリコーディングマトリックス（Ｒａｎｋ=Ｋ）は、得られたマトリックス（Ｒａｎｋ=I）からＫ個の列ベクターを選出して得られるものである。ここで、I>Ｋである。
【手続補正４４】
【補正対象書類名】明細書
【補正対象項目名】０１３８
【補正方法】変更
【補正の内容】
【０１３８】
好ましくは、位相マトリックスと１ベクターグループ内のベクターをクロネッカー積算して得られた１つのマトリックスに対し、ダウンリンク伝送レイヤの数（Ｋとする）に基づき、マトリックス内の前のＫ列の列ベクターを選出し、１つの第１プリコーディングマトリックス集合内の１つの第１プリコーディングマトリックスを得る。
例えば、位相集合内の位相係数が
【手続補正４５】
【補正対象書類名】明細書
【補正対象項目名】０１４６
【補正方法】変更
【補正の内容】
【０１４６】
を得る。マトリックスW１内の先頭Ｋ個の列ベクターを選出し、１つの第１プリコーディングマトリックス集合内の１つの第１プリコーディングマトリックスを得る。
【手続補正４６】
【補正対象書類名】明細書
【補正対象項目名】０１５２
【補正方法】変更
【補正の内容】
【０１５２】
を得る。マトリックスW２内の先頭Ｋ個の列ベクターを選出して、他の１つの第１プリコーディングマトリックス集合内の１つの第１プリコーディングマトリックスを得る。
例えば、位相集合内の位相係数が
【手続補正４７】
【補正対象書類名】明細書
【補正対象項目名】０１６０
【補正方法】変更
【補正の内容】
【０１６０】
を得る。マトリックスW１内の先頭Ｋ個の列ベクターを選出し、１つの第１プリコーディングマトリックス集合内の１つの第１プリコーディングマトリックスを得る。
【手続補正４８】
【補正対象書類名】明細書
【補正対象項目名】０１６６
【補正方法】変更
【補正の内容】
【０１６６】
を得る。マトリックスW２内の先頭Ｋ個の列ベクターを選出し、他の１つの第１プリコーディングマトリックス集合内の１つの第１プリコーディングマトリックスを得る。
よって、ベクターグループ集合内の１ベクターグループ及び位相集合
【手続補正４９】
【補正対象書類名】明細書
【補正対象項目名】０１７４
【補正方法】変更
【補正の内容】
【０１７４】
方法２：端末は、第２プリコーディングマトリックス及び第３プリコーディングマトリックス集合に基づき、ダウンリンク伝送レイヤの数に対応する第１サブバンド上の第１プリコーディングマトリックス集合を取得し、前記第１プリコーディングマトリックス集合内の各々第１プリコーディングマトリックスは、第２プリコーディングマトリックス及び第３プリコーディングマトリックス集合内の１つのプリコーディングマトリックスを計算して得られたものである。
【手続補正５０】
【補正対象書類名】明細書
【補正対象項目名】０１９９
【補正方法】変更
【補正の内容】
【０１９９】
である。
本発明の一部の実施例において、第１プリコーディングマトリックス集合内の、方法２で得られた第１プリコーディングマトリックス集合内の第１プリコーディングマトリックスのインデックスは、約定した第３プリコーディングマトリックス集合内の、演算により前記プリコーディングマトリックスを得るための第３プリコーディングマトリックスのインデックスである。
【手続補正５１】
【補正対象書類名】明細書
【補正対象項目名】０２００
【補正方法】変更
【補正の内容】
【０２００】
物理リソースについて、第１サブバンド内の各々物理リソースは、１つの第１プリコーディングマトリックス集合内の第１プリコーディングマトリックスに対応する。方法２において、第１サブバンドにおけるT個の連続の物理リソースのうちのi番目の物理リソースに対応するt番目の第１プリコーディングマトリックス集合内の第１プリコーディングマトリックスは、１つの第２プリコーディングマトリックスと、約定した第３プリコーディングマトリックス集合内のt番目の第３プリコーディングマトリックスを演算して得られたものである。
【手続補正５２】
【補正対象書類名】明細書
【補正対象項目名】０２０３
【補正方法】変更
【補正の内容】
【０２０３】
理解されたいのは、ダウンリンク伝送レイヤの数に基づき、第１プリコーディングマトリックス集合内の第１プリコーディングマトリックスのランク（Ｒａｎｋ）を確定することができ、第１プリコーディングマトリックス集合を演算して、第２プリコーディングマトリックス及び第３プリコーディングマトリックス集合を得ることができる。約定した演算規則により確定されることができるが、本発明は、この以上の例を挙げない。
【手続補正５３】
【補正対象書類名】明細書
【補正対象項目名】０２０８
【補正方法】変更
【補正の内容】
【０２０８】
本発明の一部の好ましい実施例において、端末は、ダウンリンク伝送レイヤの数に基づき、上記ステップ３０１での、ダウンリンク伝送レイヤの数に対応する第１サブバンド上の第１プリコーディングマトリックス集合を取得した後、得られた第１プリコーディングマトリックス集合内の第１プリコーディングマトリックス及びプリコーディングマトリックスに対応する列ベクターの排列パターンに基づき、列ベクターを排列し、第１サブバンド上の第５プリコーディングマトリックス集合を取得し、そして、次のステップでの、ダウンリンクチャネル情報及び第１サブバンド上の第５プリコーディングマトリックス集合に基づき、第２サブバンド上のチャネル・クオリティ指示子（ＣＱＩ）を確定する。
【手続補正５４】
【補正対象書類名】明細書
【補正対象項目名】０２０９
【補正方法】変更
【補正の内容】
【０２０９】
よって、第５プリコーディングマトリックス集合には、第１プリコーディングマトリックス集合内の第１プリコーディングマトリックスが含まれ、また、第１プリコーディングマトリックス集合内の第１プリコーディングマトリックスを、プリコーディングマトリックスに対応する列ベクターの排列パターンに基づいて、列ベクター排列した後に得られたプリコーディングマトリックスがさらに含まれる。ここで、列ベクターの排列パターンは、基地局及び端末により事前に約定されたものである。
【手続補正５５】
【補正対象書類名】明細書
【補正対象項目名】０２１０
【補正方法】変更
【補正の内容】
【０２１０】
例えば、ステップ３０１により得られた第１プリコーディングマトリックス集合内の１つの第１プリコーディングマトリックスには、４つの列ベクターが含まれ、最初列ベクターの排列パターンが{１,２,３,４}であれば、列ベクターを排列して得られた第５プリコーディングマトリックス集合には、前記プリコーディングマトリックスを、{２,３,４,１}{３,４,１,２}{４,１,２,３}との３種の列ベクターの排列パターンに基づいて得られたプリコーディングマトリックスが含まれる。通常の列ベクターの排列パターンは、{１,２,３,４}、{２,１,４,３}、{３,４,１,２}、{４,３,２,１}などの組み合わせであってもよい。
【手続補正５６】
【補正対象書類名】明細書
【補正対象項目名】０２１２
【補正方法】変更
【補正の内容】
【０２１２】
具体的に、端末は、第１サブバンド内の物理リソースに対応する第１プリコーディングマトリックス集合内の第１プリコーディングマトリックスに基づき、第２サブバンド内の物理リソースに対応するプリコーディングマトリックスを確定し、また、第２サブバンド内の物理リソースに対応するプリコーディングマトリックスに基づき、第２サブバンド上のＣＱＩを確定する。実施の場合、端末が第２サブバンド内の物理リソースに対応する第２プリコーディングマトリックスに基づいて第２サブバンド上のＣＱＩを確定する場合、端末は、第２サブバンド内の物理リソースにおいてデータを伝送するとき、当該物理リソースに対応する第２プリコーディングマトリックスを用いてプリコーディングをしたとすることにより、第２サブバンド上のＣＱＩを確定する。
【手続補正５７】
【補正対象書類名】明細書
【補正対象項目名】０２１３
【補正方法】変更
【補正の内容】
【０２１３】
具体的に、第２サブバンドに１つ以上のサブバンドが含まれ、第２サブバンドに１つのみの第１サブバンドが含まれば、例えば、第２サブバンド及び第１サブバンドがともにシステム帯域幅であれば、端末は、第１サブバンド上の第１プリコーディングマトリックス集合内の異なる第１プリコーディングマトリックスを、第２サブバンド内の異なる物理リソースにおけるデータシンボルの伝送に用いられるプリコーディングマトリックスとし、各々物理リソースのダウンリンクチャネル情報及びプリコーディングマトリックスに基づき、第２サブバンド内の各々物理リソース上の等価ＳＩＮＲを計算し、第２サブバンド内の各々物理リソース上の等価ＳＩＮＲを得た後、第２サブバンドのＣＱＩを計算する。
【手続補正５８】
【補正対象書類名】明細書
【補正対象項目名】０２１５
【補正方法】変更
【補正の内容】
【０２１５】
ステップ３０３：端末は、ＣＳＩをフィードバックし、前記ＣＳＩには、前記ダウンリンク伝送レイヤの数を示すＲＩと、第１サブバンド上の第１プリコーディングマトリックス集合の情報表示と、第２サブバンド上のＣＱＩとのうちの１つまたは複数が含まれる。
【手続補正５９】
【補正対象書類名】明細書
【補正対象項目名】０２１７
【補正方法】変更
【補正の内容】
【０２１７】
ここで、端末が第１サブバンド上の第１プリコーディングマトリックス集合の情報表示をフィードバックすることは、多様なフィードバック方式で、フィードバックすることができる。以下、ステップ３０１の方法１及び方法２で、第１サブバンド上の第１プリコーディングマトリックス集合を取得する２つの状況の例を挙げて、フィードバック方式を説明する。
【手続補正６０】
【補正対象書類名】明細書
【補正対象項目名】０２７８
【補正方法】変更
【補正の内容】
【０２７８】
【表２】
2019512948.tif 000100
【手続補正６１】
【補正対象書類名】明細書
【補正対象項目名】０２９０
【補正方法】変更
【補正の内容】
【０２９０】
【表３】
2019512948.tif 000101
【手続補正６２】
【補正対象書類名】明細書
【補正対象項目名】０３０２
【補正方法】変更
【補正の内容】
【０３０２】
【表５】
2019512948.tif 000102
【手続補正６３】
【補正対象書類名】明細書
【補正対象項目名】０３１４
【補正方法】変更
【補正の内容】
【０３１４】
【表７】
2019512948.tif 000103
【手続補正６４】
【補正対象書類名】明細書
【補正対象項目名】０３２６
【補正方法】変更
【補正の内容】
【０３２６】
【表９】
2019512948.tif 000104
【手続補正６５】
【補正対象書類名】明細書
【補正対象項目名】０３２８
【補正方法】変更
【補正の内容】
【０３２８】
ステップ４０１において、基地局は、端末よりフィードバックされたチャネル状態情報（ＣＳＩ）を受信し、前記ＣＳＩには、第１サブバンド上の第１プリコーディングマトリックス集合の情報表示が含まれる。
【手続補正６６】
【補正対象書類名】明細書
【補正対象項目名】０３２９
【補正方法】変更
【補正の内容】
【０３２９】
ステップ４０２において、基地局は、前記情報表示に基づき、第１サブバンド上の第１プリコーディングマトリックス集合を確定し、前記第１プリコーディングマトリックス集合には、１つ以上のプリコーディングマトリックスが含まれ、第１サブバンド内の１個の物理リソースは、第１プリコーディングマトリックス集合内の各々第１プリコーディングマトリックスに対応する。
【手続補正６７】
【補正対象書類名】明細書
【補正対象項目名】０３３４
【補正方法】変更
【補正の内容】
【０３３４】
また、第１サブバンドにおいて、物理リソースと第１プリコーディングマトリックス集合内の第１プリコーディングマトリックスの対応関係、物理リソースの定義も、上記実施例の流れと類似するため、ここで、繰り返して説明しない。
【手続補正６８】
【補正対象書類名】明細書
【補正対象項目名】０３３６
【補正方法】変更
【補正の内容】
【０３３６】
図５に示すように、本発明の実施例に係る端末は、
ダウンリンク伝送レイヤの数に基づき、前記ダウンリンク伝送レイヤの数に対応する第１サブバンド上の第１プリコーディングマトリックス集合を取得し、前記第１プリコーディングマトリックス集合には、１つ以上のプリコーディングマトリックスが含まれ、第１サブバンド内の１個の物理リソースは、第１プリコーディングマトリックス集合内の各々第１プリコーディングマトリックスに対応する第１確定モジュール５０１と、
ダウンリンクチャネル情報及び第１サブバンド上の第１プリコーディングマトリックス集合に基づき、第２サブバンド上のチャネル・クオリティ指示子（ＣＱＩ）を確定する第２確定モジュール５０２と、
ＣＳＩをフィードバックする，前記ＣＳＩには、前記ダウンリンク伝送レイヤの数を示すＲＩと、第１サブバンド上の第１プリコーディングマトリックス集合の情報表示と、第２サブバンド上のＣＱＩとのうちの１つまたは複数が含まれるフィードバックモジュール５０３とを備える。
【手続補正６９】
【補正対象書類名】明細書
【補正対象項目名】０３３８
【補正方法】変更
【補正の内容】
【０３３８】
前記第１サブバンド、第２サブバンドの定義、ベクターグループの定義及び設定は、上記実施例と同様であるため、ここで、繰り返して説明しない。第１サブバンドにおいて、物理リソースと第１プリコーディングマトリックス集合内の第１プリコーディングマトリックスの対応関係、物理リソースの定義も、上記実施例の流れと類似するため、ここで、繰り返して説明しない。
【手続補正７０】
【補正対象書類名】明細書
【補正対象項目名】０３４０
【補正方法】変更
【補正の内容】
【０３４０】
図６に示すように、本発明の実施例に係る基地局は、
端末よりフィードバックされたチャネル状態情報（ＣＳＩ）を受信し、前記ＣＳＩには、第１サブバンド上の第１プリコーディングマトリックス集合の情報表示が含まれる受信モジュール６０１と、
前記情報表示に基づき、第１サブバンド上の第１プリコーディングマトリックス集合を確定し、前記第１プリコーディングマトリックス集合には、１つ以上のプリコーディングマトリックスが含まれ、第１サブバンド内の１個の物理リソースは、第１プリコーディングマトリックス集合内の各々第１プリコーディングマトリックスに対応する確定モジュール６０２と、
前記第１プリコーディングマトリックス集合に基づき、第１サブバンド上の物理リソースにおいて伝送されるデータに対し、前記物理リソースに対応するプリコーディングマトリックスを用いて、プリコーディングするプリコーディングモジュール６０３とを備える。
【手続補正７１】
【補正対象書類名】明細書
【補正対象項目名】０３４２
【補正方法】変更
【補正の内容】
【０３４２】
前記第１サブバンド、第２サブバンドの定義、ベクターグループの定義及び設定は、上記実施例と同様であるため、ここで、繰り返して説明しない。第１サブバンドにおいて、物理リソースと第１プリコーディングマトリックス集合内の第１プリコーディングマトリックスの対応関係、物理リソースの定義も、上記実施例の流れと類似するため、ここで、繰り返して説明しない。
【国際調査報告】
2019512948.tif 000105
2019512948.tif 000106
2019512948.tif 000107
2019512948.tif 000108